(57)【要約】【課題】本発明は、端末、基地局、基地局コントローラ、およびミリメートル波のセルラー通信方法を開示し、ワイヤレス通信技術の分野に関する。【解決手段】端末は、バスと、バスに接続されたプロセッサ、メモリ、送信機、および受信機とを含む。プロセッサは、少なくとも1つのミリメートル波帯域に対応するビームインデックス情報の少なくとも1部分を取得するように受信機を制御し、ビームインデックス情報の少なくとも1部分に対応するビームを使用することにより、少なくとも1つのミリメートル波帯域に対応するミリメートル波基地局と通信するように構成される。本発明は、端末通信の周波数範囲を拡大し、端末のデータ伝送レートを増大させ、端末とミリメートル波基地局との間のミリメートル波通信の間の信号フェージングおよびひずみを減少させ、同じチャネル上のユーザ間の干渉を減少させるために、端末がセルラー通信を実施するときに利用可能な帯域幅が比較的小さいという従来技術における問題を解決する。【選択図】図１
2019180092.tif 000002
【特許請求の範囲】
【請求項１】
バスと、前記バスに接続されたプロセッサ、メモリ、送信機、および受信機とを備える端末であって、前記メモリがいくつかの命令を記憶するように構成され、前記いくつかの命令が前記プロセッサによって実行されるように構成され、
前記プロセッサが、
ミリメートル波帯域に対応するビームインデックス情報を取得するように前記受信機を制御することと、
前記ビームインデックス情報に対応するビームを使用することにより、前記ミリメートル波帯域に対応するミリメートル波基地局と通信することと
を行うように構成される、端末。
【請求項２】
前記プロセッサが、マスタ基地局もしくは前記ミリメートル波基地局によって送信された無線リソース再構成メッセージもしくはブロードキャストメッセージを受信するように前記受信機を制御し、前記無線リソース再構成メッセージもしくは前記ブロードキャストメッセージに備えられた前記ビームインデックス情報を取得するようにさらに構成されるか、または
前記プロセッサが、マスタ基地局もしくは前記ミリメートル波基地局と交渉して、前記ビームインデックス情報について合意するようにさらに構成され、
前記マスタ基地局および前記ミリメートル波基地局が、同じ基地局または異なる基地局である、
請求項1に記載の端末。
【請求項３】
前記プロセッサが、前記ビームインデックス情報内の一部もしくはすべてのビームインデックス情報に対応するビームを選択して、前記ミリメートル波基地局と通信するようにさらに構成されるか、または
前記プロセッサが、前記ビームインデックス情報内にあり、前記マスタ基地局もしくは前記ミリメートル波基地局によって指定された第1のビームインデックス情報を決定し、前記第1のビームインデックス情報に対応するビームに従って前記ミリメートル波基地局と通信するようにさらに構成される、
請求項2に記載の端末。
【請求項４】
前記ビームインデックス情報の各部分が、1つのプリコーディングコードブックについての情報もしくはアンテナ重みの1つのグループについての情報に対応するか、または前記ビームインデックスの各々が、複数のプリコーディングコードブックについての情報もしくはアンテナ重みの複数のグループについての情報に対応し、各プリコーディングコードブックまたはアンテナ重みの各グループについての情報が、ビームを一意に決定する、請求項1から3のいずれか一項に記載の端末。
【請求項５】
前記ビームインデックス情報の各部分が、1つのセクタもしくは1つのセルのカバレージエリアに対応するか、または前記ビームインデックス情報の各部分が、1つのセクタもしくは1つのセルのカバレージエリアの一部に対応し、
前記ビームインデックス情報が、1レベルのインデックス情報またはNレベルのインデックス情報であり、Nが整数であって、N≧2であり、
前記ビームインデックス情報が前記Nレベルのインデックス情報であるとき、前記ビームインデックス情報内のi番目のレベルのインデックス情報が、（i＋1）番目のレベルのインデックス情報に関連付けられ、（i＋1）番目のレベルのインデックス情報に対応するビームのカバレージエリアが、i番目のレベルのインデックス情報に対応するビームのカバレージエリアよりも大きくなく、iが整数であって、2≦i≦Nである、
請求項1から3のいずれか一項に記載の端末。
【請求項６】
前記ビームインデックス情報が、無線リソース管理RRM測定に使用される第2のビームインデックス情報を備え、
前記プロセッサが、
前記第2のビームインデックス情報に対応するビームに従ってRRM測定を実施して、第1の測定結果を取得することであって、前記第1の測定結果が、基準信号受信電力RSRPおよび／または基準信号受信品質RSRQを備える、取得することと、
前記第1の測定結果に従って前記マスタ基地局または前記ミリメートル波基地局に第1の測定報告を送信するように前記送信機を制御することであって、前記第1の測定報告が、以下の情報：最も高いRSRPおよび／もしくは最も高いRSRQを有するビームインデックス情報、最も高いRSRPおよび／もしくは最も高いRSRQを有する前記ビームインデックス情報に対応するビーム上のRSRP測定結果および／もしくはRSRQ測定結果、最も高いRSRPおよび／もしくは最も高いRSRQを有する前記ビームインデックス情報が位置する周波数情報、最も高いRSRPおよび／もしくは最も高いRSRQを有する前記ビームインデックス情報に関連付けられたサービングセル情報、または最も高いRSRPおよび／もしくは最も高いRSRQを有する前記ビームインデックス情報に関連付けられた隣接セル情報のうちの少なくとも1つを備える、制御することと
を行うようにさらに構成され、
前記サービングセル情報または前記隣接セル情報が、物理セル識別子PCIおよび／またはセルグローバル識別情報CGIを使用することによって示される、
請求項1または2に記載の端末。
【請求項７】
前記ビームインデックス情報が、候補RRM測定に使用される第3のビームインデックス情報をさらに備え、
前記プロセッサが、前記第1の測定結果に備えられた前記RSRPが事前構成されたしきい値よりも小さいとき、および／または前記第1の測定結果に備えられた前記RSRQが事前構成されたしきい値よりも小さいとき、前記第3のビームインデックス情報に対応するビームに従ってRRM測定を実施するようにさらに構成される、
請求項6に記載の端末。
【請求項８】
前記ビームインデックス情報が、周波数内測定に使用される第4のビームインデックス情報をさらに備え、
前記プロセッサが、
前記第4のビームインデックス情報に関連付けられた測定ギャップ期間情報を取得するように前記受信機を制御することと、
前記測定ギャップ期間情報によって示された測定ギャップ内で、前記第4のビームインデックス情報に対応するビームに従って前記ミリメートル波帯域上で周波数内測定を実施することと
を行うようにさらに構成される、請求項6に記載の端末。
【請求項９】
前記プロセッサが、最も高いRSRPおよび／または最も高いRSRQを有する前記ビームインデックス情報に対応する前記ビーム上で、前記ミリメートル波基地局と通信するようにさらに構成される、
請求項6に記載の端末。
【請求項１０】
前記プロセッサが、
前記ビームインデックス情報から、物理ランダムアクセスチャネルリソースとして使用される第5のビームインデックス情報を決定することと、
前記第5のビームインデックス情報に対応するビームに従ってランダムアクセスを実施することと
を行うようにさらに構成される、請求項1または2に記載の端末。
【請求項１１】
前記プロセッサが、前記ビームインデックス情報からビームインデックス情報の1部分を前記第5のビームインデックス情報として選択するようにさらに構成されるか、または
前記プロセッサが、前記ビームインデックス情報内にあり、前記物理ランダムアクセスチャネルリソースとして前記マスタ基地局もしくは前記ミリメートル波基地局によって指定されたビームインデックス情報を、前記第5のビームインデックス情報として決定するようにさらに構成される、
請求項10に記載の端末。
【請求項１２】
前記プロセッサが、
前記第5のビームインデックス情報に対応する前記ビーム上でランダムアクセスプリアンブルを送信するように前記送信機を制御することと、
前記第5のビームインデックス情報に対応する前記ビーム上でランダムアクセス応答メッセージを受信するか、または前記ビームインデックス情報に対応する前記ビーム上でランダムアクセス応答メッセージを受信するように前記受信機を制御することと
を行うようにさらに構成される、請求項10に記載の端末。
【請求項１３】
前記ランダムアクセス応答メッセージが第6のビームガイド情報を備え、
前記プロセッサが、
前記第6のビームインデックス情報に対応するビーム上でランダムアクセスメッセージを送信するように前記送信機を制御することであって、前記ランダムアクセスメッセージが前記端末の識別子を備える、制御することと、
前記第6のビームインデックスに対応する前記ビーム上で競合解消メッセージを受信するか、または前記ビームインデックス情報に対応する前記ビーム上で競合解消メッセージを受信するように前記受信機を制御することであって、前記競合解消メッセージが前記端末の前記識別子を備える、制御することと
を行うようにさらに構成され、
前記端末の前記識別子が、前記端末のセル無線ネットワーク一時識別子C−RNTIまたはシステムアーキテクチャエボリューション一時移動局識別子S−TMSIである、
請求項12に記載の端末。
【請求項１４】
前記プロセッサが、
前記ミリメートル波帯域上のセルのサウンディング基準信号構成情報であり、前記マスタ基地局または前記ミリメートル波基地局によって送信されたサウンディング基準信号構成情報を受信するように前記受信機を制御することと、
前記サウンディング基準信号構成情報に従って、前記ビームインデックス情報に対応する前記ビーム上でサウンディング基準信号を送信するように前記送信機を制御することと
を行うようにさらに構成される、
請求項1に記載の端末。
【請求項１５】
ミリメートル波帯域に対応するビームインデックス情報を取得するように構成された受信モジュールと、
前記ビームインデックス情報に対応するビームを使用することにより、前記ミリメートル波帯域に対応するミリメートル波基地局と通信するように構成された通信モジュールと
を備える、端末。
【請求項１６】
前記受信モジュールが、
マスタ基地局または前記ミリメートル波基地局によって送信された無線リソース再構成メッセージまたはブロードキャストメッセージを受信することと、
前記無線リソース再構成メッセージまたは前記ブロードキャストメッセージに備えられた前記ビームインデックス情報を取得することと
を行うようにさらに構成され、
前記通信モジュールが、前記マスタ基地局または前記ミリメートル波基地局と交渉して、前記ビームインデックス情報について合意するようにさらに構成され、
前記マスタ基地局および前記ミリメートル波基地局が、同じ基地局または異なる基地局である、
請求項15に記載の端末。
【請求項１７】
前記通信モジュールが、
前記ビームインデックス情報内の一部もしくはすべてのビームインデックス情報に対応するビームを選択して、前記ミリメートル波基地局と通信すること、または
前記ビームインデックス情報内にあり、前記マスタ基地局もしくは前記ミリメートル波基地局によって指定された第1のビームインデックス情報を決定し、前記第1のビームインデックス情報に対応するビームに従って前記ミリメートル波基地局と通信すること
を行うようにさらに構成される、
請求項16に記載の端末。
【請求項１８】
前記ビームインデックス情報の各部分が、1つのプリコーディングコードブックについての情報もしくはアンテナ重みの1つのグループについての情報に対応するか、または前記ビームインデックスの各々が、複数のプリコーディングコードブックについての情報もしくはアンテナ重みの複数のグループについての情報に対応し、各プリコーディングコードブックまたはアンテナ重みの各グループについての情報が、ビームを一意に決定する、請求項15から17のいずれか一項に記載の端末。
【請求項１９】
前記ビームインデックス情報の各部分が、1つのセクタもしくは1つのセルのカバレージエリアに対応するか、または前記ビームインデックス情報の各部分が、1つのセクタもしくは1つのセルのカバレージエリアの一部に対応し、
前記ビームインデックス情報が、1レベルのインデックス情報またはNレベルのインデックス情報であり、Nが整数であって、N≧2であり、
前記ビームインデックス情報が前記Nレベルのインデックス情報であるとき、前記ビームインデックス情報内のi番目のレベルのインデックス情報が、（i＋1）番目のレベルのインデックス情報に関連付けられ、（i＋1）番目のレベルのインデックス情報に対応するビームのカバレージエリアが、i番目のレベルのインデックス情報に対応するビームのカバレージエリアよりも大きくなく、iが整数であって、2≦i≦Nである、
請求項15から17のいずれか一項に記載の端末。
【請求項２０】
前記ビームインデックス情報が、無線リソース管理RRM測定に使用される第2のビームインデックス情報を備え、前記端末が、
前記第2のビームインデックス情報に対応するビームに従ってRRM測定を実施して、第1の測定結果を取得するように構成された測定モジュールであって、前記第1の測定結果が、基準信号受信電力RSRPおよび／または基準信号受信品質RSRQを備える、測定モジュールと、
前記第1の測定結果に従って前記マスタ基地局または前記ミリメートル波基地局に第1の測定報告を送信するように構成された送信モジュールであって、前記第1の測定報告が、以下の情報：最も高いRSRPおよび／もしくは最も高いRSRQを有するビームインデックス情報、最も高いRSRPおよび／もしくは最も高いRSRQを有する前記ビームインデックス情報に対応するビーム上のRSRP測定結果および／もしくはRSRQ測定結果、最も高いRSRPおよび／もしくは最も高いRSRQを有する前記ビームインデックス情報が位置する周波数情報、最も高いRSRPおよび／もしくは最も高いRSRQを有する前記ビームインデックス情報に関連付けられたサービングセル情報、または最も高いRSRPおよび／もしくは最も高いRSRQを有する前記ビームインデックス情報に関連付けられた隣接セル情報のうちの少なくとも1つを備える、送信モジュールと
をさらに備え、
前記サービングセル情報または前記隣接セル情報が、物理セル識別子PCIおよび／またはセルグローバル識別情報CGIを使用することによって示される、
請求項15または16に記載の端末。
【請求項２１】
前記ビームインデックス情報が、候補RRM測定に使用される第3のビームインデックス情報をさらに備え、前記測定モジュールが、
前記第1の測定結果に備えられた前記RSRPが事前構成されたしきい値よりも小さいとき、および／または前記第1の測定結果に備えられた前記RSRQが事前構成されたしきい値よりも小さいとき、前記第3のビームインデックス情報に対応するビームに従ってRRM測定の実施を開始する
ようにさらに構成される、請求項20に記載の端末。
【請求項２２】
前記ビームインデックス情報が、周波数内測定に使用される第4のビームインデックス情報をさらに備え、
前記受信モジュールが、前記第4のビームインデックス情報に関連付けられた測定ギャップ期間情報を取得するようにさらに構成され、
前記測定モジュールが、前記測定ギャップ期間情報によって示された測定ギャップ内で、前記第4のビームインデックス情報に対応するビームに従って前記ミリメートル波帯域上で周波数内測定を実施するようにさらに構成される、
請求項20に記載の端末。
【請求項２３】
前記通信モジュールが、前記端末により、最も高いRSRPおよび／または最も高いRSRQを有する前記ビームインデックス情報に対応する前記ビーム上で、前記ミリメートル波基地局と通信するようにさらに構成される、
請求項20に記載の端末。
【請求項２４】
前記ビームインデックス情報から、物理ランダムアクセスチャネルリソースとして使用される第5のビームインデックス情報を決定するように構成された決定モジュールと、
前記第5のビームインデックス情報に対応するビームに従ってランダムアクセスを実施するように構成されたアクセスモジュールと
をさらに備える、請求項15または16に記載の端末。
【請求項２５】
前記決定モジュールが、具体的に、前記ビームインデックス情報からビームインデックス情報の1部分を前記第5のビームインデックス情報として選択すること、または
前記ビームインデックス情報内にあり、前記物理ランダムアクセスチャネルリソースとして前記マスタ基地局もしくは前記ミリメートル波基地局によって指定されたビームインデックス情報を、前記第5のビームインデックス情報として決定すること
を行うように構成される、請求項24に記載の端末。
【請求項２６】
前記送信モジュールが、前記第5のビームインデックス情報に対応する前記ビーム上でランダムアクセスプリアンブルを送信するようにさらに構成され、
前記受信モジュールが、
前記第5のビームインデックス情報に対応する前記ビーム上でランダムアクセス応答メッセージを受信すること、または
前記ビームインデックス情報に対応する前記ビーム上でランダムアクセス応答メッセージを受信すること
を行うようにさらに構成される、請求項24に記載の端末。
【請求項２７】
前記ランダムアクセス応答メッセージが第6のビームガイド情報を備え、
前記送信モジュールが、前記第6のビームインデックス情報に対応するビーム上でランダムアクセスメッセージを送信するようにさらに構成され、前記ランダムアクセスメッセージが前記端末の識別子を備え、
前記受信モジュールが、
前記第6のビームインデックスに対応する前記ビーム上で競合解消メッセージを受信すること、または
前記ビームインデックス情報に対応する前記ビーム上で競合解消メッセージを受信すること
を行うようにさらに構成され、前記競合解消メッセージが前記端末の前記識別子を備え、
前記端末の前記識別子が、前記端末のセル無線ネットワーク一時識別子C−RNTIまたはシステムアーキテクチャエボリューション一時移動局識別子S−TMSIである、
請求項26に記載の端末。
【請求項２８】
前記受信モジュールが、前記ミリメートル波帯域上のセルのサウンディング基準信号構成情報であり、前記マスタ基地局または前記ミリメートル波基地局によって送信されたサウンディング基準信号構成情報を受信するようにさらに構成され、
前記送信モジュールが、前記サウンディング基準信号構成情報に従って、前記ビームインデックス情報に対応する前記ビーム上でサウンディング基準信号を送信するようにさらに構成される、
請求項15に記載の端末。
【請求項２９】
バスと、前記バスに接続されたプロセッサ、メモリ、送信機、および受信機とを備える基地局であって、前記メモリがいくつかの命令を記憶するように構成され、前記いくつかの命令が前記プロセッサによって実行されるように構成され、
前記プロセッサが、端末向けに、ミリメートル波帯域に対応するビームインデックス情報を構成するように構成され、前記ビームインデックス情報が、前記ビームインデックス情報に対応するビームを使用することにより、前記ミリメートル波帯域に対応するミリメートル波基地局と通信するように前記端末に命令するために使用される、
基地局。
【請求項３０】
前記プロセッサが、前記ビームインデックス情報を備える無線リソース再構成メッセージもしくはブロードキャストメッセージを前記端末に送信するように前記送信機を制御するようにさらに構成されるか、または
前記プロセッサが、前記端末と交渉して前記ビームインデックス情報を決定するようにさらに構成される、
請求項29に記載の基地局。
【請求項３１】
前記プロセッサが、
前記端末によって送信された測定報告を受信するように前記受信機を制御することであって、前記測定報告が、前記ビームインデックス情報に備えられた第1のビームインデックス情報に対応するビームに従って、前記端末がRRM測定を実施した後、前記RRM測定の測定結果に従って前記端末によって送信された報告である、制御することと、
前記測定報告に従って、前記端末にデータを送信するための前記ミリメートル波基地局、および前記端末にデータを送信するために使用されるビームインデックス情報を決定することと
を行うようにさらに構成される、
請求項29または30に記載の基地局。
【請求項３２】
前記プロセッサが、前記ミリメートル波帯域上のセルのサウンディング基準信号構成情報を前記端末に送信するように前記送信機を制御するようにさらに構成され、前記サウンディング基準信号構成情報が、前記ビームインデックス情報に対応する前記ビーム上でサウンディング基準信号を送信するように前記端末に命令するために使用される、
請求項29または30に記載の基地局。
【請求項３３】
前記プロセッサが、前記ミリメートル波基地局にアップリンク測定構成情報を送信するように前記送信機を制御するようにさらに構成され、前記アップリンク測定構成情報が第2のビームインデックス情報を備え、前記アップリンク測定構成情報が、前記第2のビームインデックス情報に対応するビーム上で、前記端末によって送信されたサウンディング基準信号の電力を測定するように前記ミリメートル波基地局に命令するために使用される、
請求項29または30に記載の基地局。
【請求項３４】
基地局であって、
端末向けに、ミリメートル波帯域に対応するビームインデックス情報を構成するように構成された構成モジュールを備え、前記ビームインデックス情報が、前記ビームインデックス情報に対応するビームを使用することにより、前記基地局と通信するように前記端末に命令するために使用される、
基地局。
【請求項３５】
前記ビームインデックス情報を備える無線リソース再構成メッセージもしくはブロードキャストメッセージを前記端末に送信するように構成された送信モジュール
をさらに備えるか、または
前記基地局が、前記端末と交渉して前記ビームインデックス情報を決定するよう構成された交渉モジュールをさらに備える、
請求項34に記載の基地局。
【請求項３６】
前記端末によって送信された測定報告を受信するように構成された受信モジュールであって、前記測定報告が、前記ビームインデックス情報に備えられた第1のビームインデックス情報に対応するビームに従って、前記端末がRRM測定を実施した後、前記RRM測定の測定結果に従って前記端末によって送信された報告である、受信モジュールと、
前記測定報告に従って、前記端末にデータを送信するためのミリメートル波基地局、および前記端末にデータを送信するために使用されるビームインデックス情報を決定するように構成された決定モジュールと
をさらに備える、請求項34または35に記載の基地局。
【請求項３７】
前記送信モジュールが、前記ミリメートル波帯域上のセルのサウンディング基準信号構成情報を前記端末に送信するようにさらに構成され、前記サウンディング基準信号構成情報が、前記ビームインデックス情報に対応する前記ビーム上でサウンディング基準信号を送信するように前記端末に命令するために使用される、
請求項34または35に記載の基地局。
【請求項３８】
前記送信モジュールが、前記ミリメートル波基地局にアップリンク測定構成情報を送信するようにさらに構成され、前記アップリンク測定構成情報が第2のビームインデックス情報を備え、前記アップリンク測定構成情報が、前記第2のビームインデックス情報に対応するビーム上で、前記端末によって送信されたサウンディング基準信号の電力を測定するように前記ミリメートル波基地局に命令するために使用される、
請求項34または35に記載の基地局。
【請求項３９】
バスと、前記バスに接続されたプロセッサ、メモリ、送信機、および受信機とを備える基地局であって、前記メモリがいくつかの命令を記憶するように構成され、前記いくつかの命令が前記プロセッサによって実行されるように構成され、
前記プロセッサが、端末向けに、ミリメートル波帯域に対応するビームインデックス情報を構成するように構成され、前記ビームインデックス情報が、前記ビームインデックス情報に対応するビームを使用することにより、前記基地局と通信するように前記端末に命令するために使用される、
基地局。
【請求項４０】
前記プロセッサが、前記ビームインデックス情報を備える無線リソース再構成メッセージもしくはブロードキャストメッセージを前記端末に送信するように前記送信機を制御するようにさらに構成されるか、または
前記プロセッサが、前記端末と交渉して前記ビームインデックス情報を決定するようにさらに構成される、
請求項39に記載の基地局。
【請求項４１】
前記プロセッサが、
前記端末によって送信された測定報告を受信するように前記受信機を制御することであって、前記測定報告が、前記ビームインデックス情報に備えられた第1のビームインデックス情報に対応するビームに従って、前記端末がRRM測定を実施した後、前記RRM測定の測定結果に従って前記端末によって送信された測定報告である、制御することと、
基地局コントローラに前記測定報告を送信するように前記送信機を制御することであって、前記測定報告が、前記端末にデータを送信するためのミリメートル波基地局、および前記端末にデータを送信するために使用されるビームインデックス情報を決定するように前記基地局コントローラに命令するために使用される、制御することと
を行うようにさらに構成される、
請求項39または40に記載の基地局。
【請求項４２】
前記プロセッサが、前記ミリメートル波帯域上のセルのサウンディング基準信号構成情報を前記端末に送信するように前記送信機を制御するようにさらに構成され、前記サウンディング基準信号構成情報が、前記ビームインデックス情報に対応する前記ビーム上でサウンディング基準信号を送信するように前記端末に命令するために使用される、
請求項39または40に記載の基地局。
【請求項４３】
前記プロセッサが、
物理ランダムアクセスチャネルリソースとして使用される第2のビームインデックス情報に対応するビーム上で、前記端末によって送信されたランダムアクセスプリアンブルを受信するように前記受信機を制御することと、
前記第2のビームインデックス情報に対応する前記ビーム上でランダムアクセス応答メッセージを送信するように前記送信機を制御することと
を行うようにさらに構成される、
請求項39に記載の基地局。
【請求項４４】
前記ランダムアクセス応答メッセージが第3のビームガイド情報を備え、
前記プロセッサが、
前記第3のビームインデックス情報に対応するビーム上でランダムアクセスメッセージを受信するように前記受信機を制御することであって、前記ランダムアクセスメッセージが前記端末の識別子を備える、制御することと、
前記第3のビームインデックスに対応する前記ビーム上で競合解消メッセージを送信するように前記送信機を制御することであって、前記競合解消メッセージが前記端末の前記識別子を備える、制御することと
を行うようにさらに構成され、
前記端末の前記識別子が、前記端末のセル無線ネットワーク一時識別子C−RNTIまたはシステムアーキテクチャエボリューション一時移動局識別子S−TMSIである、
請求項43に記載の基地局。
【請求項４５】
前記プロセッサが、
マスタ基地局または前記基地局コントローラによって送信されたアップリンク測定構成情報を受信するように前記受信機を制御することであって、前記アップリンク測定構成情報が第4のビームインデックス情報を備える、制御することと、
前記第4のビームインデックス情報に対応するビーム上で、前記端末によって送信された前記サウンディング基準信号の電力を測定することと、
前記サウンディング基準信号の電力であり、測定によって取得された前記電力を備える測定結果を前記基地局コントローラに送信するように前記送信機を制御することであって、前記サウンディング基準信号の前記電力が事前設定された電力しきい値よりも大きいとき、前記測定結果が、前記端末と通信する準備を行うように前記ミリメートル波基地局に命令するように前記基地局コントローラに命令するために使用される、制御することと
を行うようにさらに構成される、
請求項39から44のいずれか一項に記載の基地局。
【請求項４６】
端末向けに、ミリメートル波帯域に対応するビームインデックス情報を構成するように構成された構成モジュールを備え、前記ビームインデックス情報が、前記ビームインデックス情報に対応するビームを使用することにより、前記ミリメートル波帯域に対応するミリメートル波基地局と通信するように前記端末に命令するために使用される、
基地局。
【請求項４７】
前記ビームインデックス情報を備える無線リソース再構成メッセージもしくはブロードキャストメッセージを前記端末に送信するように構成された送信モジュール
をさらに備えるか、または
前記基地局が、前記端末と交渉して前記ビームインデックス情報を決定するように構成された交渉モジュールをさらに備える、
請求項46に記載の基地局。
【請求項４８】
前記基地局が、
前記端末によって送信された測定報告を受信するように構成された受信モジュールであって、前記測定報告が、前記ビームインデックス情報に備えられた第1のビームインデックス情報に対応するビームに従って、前記端末がRRM測定を実施した後、前記RRM測定の測定結果に従って前記端末によって送信された測定報告である、受信モジュール
をさらに備え、
前記送信モジュールが、基地局コントローラに前記測定報告を送信するようにさらに構成され、前記測定報告が、前記端末にデータを送信するための前記ミリメートル波基地局、および前記端末にデータを送信するために使用されるビームインデックス情報を決定するように前記基地局コントローラに命令するために使用される、
請求項46または47に記載の基地局。
【請求項４９】
前記送信モジュールが、前記ミリメートル波帯域上のセルのサウンディング基準信号構成情報を前記端末に送信するようにさらに構成され、前記サウンディング基準信号構成情報が、前記ビームインデックス情報に対応する前記ビーム上でサウンディング基準信号を送信するように前記端末に命令するために使用される、
請求項46または47に記載の基地局。
【請求項５０】
前記受信モジュールが、物理ランダムアクセスチャネルリソースとして使用される第2のビームインデックス情報に対応するビーム上で、前記端末によって送信されたランダムアクセスプリアンブルを受信するようにさらに構成され、
前記送信モジュールが、前記第2のビームインデックス情報に対応する前記ビーム上でランダムアクセス応答メッセージを送信するようにさらに構成される、
請求項46に記載の基地局。
【請求項５１】
前記ランダムアクセス応答メッセージが第3のビームガイド情報を備え、
前記受信モジュールが、前記第3のビームインデックス情報に対応するビーム上でランダムアクセスメッセージを受信するようにさらに構成され、前記ランダムアクセスメッセージが前記端末の識別子を備え、
前記送信モジュールが、前記第3のビームインデックスに対応する前記ビーム上で競合解消メッセージを送信するようにさらに構成され、前記競合解消メッセージが前記端末の前記識別子を備え、
前記端末の前記識別子が、前記端末のセル無線ネットワーク一時識別子C−RNTIまたはシステムアーキテクチャエボリューション一時移動局識別子S−TMSIである、
請求項50に記載の基地局。
【請求項５２】
前記受信モジュールが、マスタ基地局または前記基地局コントローラによって送信されたアップリンク測定構成情報を受信するようにさらに構成され、前記アップリンク測定構成情報が第4のビームインデックス情報を備え、
前記基地局が、前記第4のビームインデックス情報に対応するビーム上で、前記端末によって送信された前記サウンディング基準信号の電力を測定するように構成された測定モジュールをさらに備え、
前記送信モジュールが、前記サウンディング基準信号の電力であり、測定によって取得された前記電力を備える測定結果を送信するようにさらに構成され、前記サウンディング基準信号の前記電力が事前設定された電力しきい値よりも大きいとき、前記測定結果が、前記端末と通信する準備を行うように前記ミリメートル波基地局に命令するように前記基地局コントローラに命令するために使用される、
請求項46から51のいずれか一項に記載の基地局。
【請求項５３】
バスと、前記バスに接続されたプロセッサ、メモリ、送信機、および受信機とを備える基地局コントローラであって、前記メモリがいくつかの命令を記憶するように構成され、前記いくつかの命令が前記プロセッサによって実行されるように構成され、
前記プロセッサが、
ミリメートル波基地局にアップリンク測定構成情報を送信するように前記送信機を制御することであって、前記アップリンク測定構成情報がビームインデックス情報を備え、前記アップリンク測定構成情報が、前記ビームインデックス情報に対応するビーム上で、前記端末によって送信されたサウンディング基準信号の電力を測定するように前記ミリメートル波基地局に命令するために使用される、制御することと、
前記ミリメートル波基地局によって送信され、前記サウンディング基準信号の電力であり、測定によって取得された前記電力を備える測定結果を受信するように前記受信機を制御することと、
前記サウンディング基準信号の前記電力が事前設定された電力しきい値よりも大きいとき、前記端末と通信する準備を行うように前記ミリメートル波基地局に命令することと
を行うように構成され、
前記端末が、ミリメートル波帯域に対応する前記ビームインデックス情報を使用することにより、前記ミリメートル波帯域に対応するミリメートル波基地局と通信する、
基地局コントローラ。
【請求項５４】
前記プロセッサが、
前記ミリメートル波基地局によって送信された測定報告を受信するように前記受信機を制御することであって、前記測定報告が、前記ビームインデックス情報に備えられた第1のビームインデックス情報に対応するビームに従って、前記端末がRRM測定を実施した後、前記RRM測定の測定結果に従って前記端末によって送信された測定報告である、制御することと、
前記測定報告に従って、前記端末にデータを送信するための前記ミリメートル波基地局、および前記端末にデータを送信するために使用されるビームインデックス情報を決定することと
を行うようにさらに構成される、
請求項53に記載の基地局コントローラ。
【請求項５５】
ミリメートル波基地局にアップリンク測定構成情報を送信するように構成された送信モジュールであって、前記アップリンク測定構成情報がビームインデックス情報を備え、前記アップリンク測定構成情報が、前記ビームインデックス情報に対応するビーム上で、前記端末によって送信されたサウンディング基準信号の電力を測定するように前記ミリメートル波基地局に命令するために使用される、送信モジュールと、
前記ミリメートル波基地局によって送信され、前記サウンディング基準信号の電力であり、測定によって取得された前記電力を備える測定結果を受信するように構成された受信モジュールと、
前記サウンディング基準信号の前記電力が事前設定された電力しきい値よりも大きいとき、前記端末と通信する準備を行うように前記ミリメートル波基地局に命令するように構成された命令モジュールと
を備え、
前記端末が、ミリメートル波帯域に対応する前記ビームインデックス情報を使用することにより、前記ミリメートル波帯域に対応するミリメートル波基地局と通信する、
基地局コントローラ。
【請求項５６】
前記受信モジュールが、前記ミリメートル波基地局によって送信された測定報告を受信するようにさらに構成され、前記測定報告が、前記ビームインデックス情報に備えられた第1のビームインデックス情報に対応するビームに従って、前記端末がRRM測定を実施した後、前記RRM測定の測定結果に従って前記端末によって送信された測定報告であり、
前記基地局コントローラが、前記測定報告に従って、前記端末にデータを送信するための前記ミリメートル波基地局、および前記端末にデータを送信するために使用されるビームインデックス情報を決定するように構成された決定モジュールをさらに備える、
請求項55に記載の基地局コントローラ。
【請求項５７】
端末により、ミリメートル波帯域に対応するビームインデックス情報を取得するステップと、
前記端末により、前記ビームインデックス情報に対応するビームを使用することにより、前記ミリメートル波帯域に対応するミリメートル波基地局と通信するステップと
を含む、ミリメートル波のセルラー通信方法。
【請求項５８】
端末により、ミリメートル波帯域に対応するビームインデックス情報を取得する前記ステップが、
マスタ基地局もしくは前記ミリメートル波基地局によって送信された無線リソース再構成メッセージもしくはブロードキャストメッセージを受信するように前記受信機を制御し、無線リソース再構成メッセージもしくは前記ブロードキャストメッセージに備えられた前記ビームインデックス情報を取得するステップ、または
マスタ基地局もしくは前記ミリメートル波基地局と交渉して、前記ビームインデックス情報について合意するステップ
を含み、
前記マスタ基地局および前記ミリメートル波基地局が、同じ基地局または異なる基地局である、
請求項57に記載の方法。
【請求項５９】
前記端末により、前記ビームインデックス情報に対応するビームを使用することにより、前記ミリメートル波帯域に対応するミリメートル波基地局と通信する前記ステップが、
前記ビームインデックス情報内の一部もしくはすべてのビームインデックス情報に対応するビームを選択して、前記ミリメートル波基地局と通信するステップ、または
前記ビームインデックス情報内にあり、前記マスタ基地局もしくは前記ミリメートル波基地局によって指定された第1のビームインデックス情報を決定し、前記第1のビームインデックス情報に対応するビームに従って前記ミリメートル波基地局と通信するステップ
を含む、請求項58に記載の方法。
【請求項６０】
前記ビームインデックス情報の各部分が、1つのプリコーディングコードブックについての情報もしくはアンテナ重みの1つのグループについての情報に対応するか、または前記ビームインデックスの各々が、複数のプリコーディングコードブックについての情報もしくはアンテナ重みの複数のグループについての情報に対応し、各プリコーディングコードブックまたはアンテナ重みの各グループについての情報が、ビームを一意に決定する、請求項57から59のいずれか一項に記載の方法。
【請求項６１】
前記ビームインデックス情報の各部分が、1つのセクタもしくは1つのセルのカバレージエリアに対応するか、または前記ビームインデックス情報の各部分が、1つのセクタもしくは1つのセルのカバレージエリアの一部に対応し、
前記ビームインデックス情報が、1レベルのインデックス情報またはNレベルのインデックス情報であり、Nが整数であって、N≧2であり、
前記ビームインデックス情報が前記Nレベルのインデックス情報であるとき、前記ビームインデックス情報内のi番目のレベルのインデックス情報が、（i＋1）番目のレベルのインデックス情報に関連付けられ、（i＋1）番目のレベルのインデックス情報に対応するビームのカバレージエリアが、i番目のレベルのインデックス情報に対応するビームのカバレージエリアよりも大きくなく、iが整数であって、2≦i≦Nである、
請求項57から59のいずれか一項に記載の方法。
【請求項６２】
前記ビームインデックス情報が、無線リソース管理RRM測定に使用される第2のビームインデックス情報を備え、前記方法が、
前記端末により、前記第2のビームインデックス情報に対応するビームに従ってRRM測定を実施して、第1の測定結果を取得するステップであって、前記第1の測定結果が、基準信号受信電力RSRPおよび／または基準信号受信品質RSRQを備える、ステップと、
前記端末により、前記第1の測定結果に従って前記マスタ基地局または前記ミリメートル波基地局に第1の測定報告を送信するステップであって、前記第1の測定報告が、以下の情報：最も高いRSRPおよび／もしくは最も高いRSRQを有するビームインデックス情報、最も高いRSRPおよび／もしくは最も高いRSRQを有する前記ビームインデックス情報に対応するビーム上のRSRP測定結果および／もしくはRSRQ測定結果、最も高いRSRPおよび／もしくは最も高いRSRQを有する前記ビームインデックス情報が位置する周波数情報、最も高いRSRPおよび／もしくは最も高いRSRQを有する前記ビームインデックス情報に関連付けられたサービングセル情報、または最も高いRSRPおよび／もしくは最も高いRSRQを有する前記ビームインデックス情報に関連付けられた隣接セル情報のうちの少なくとも1つを備える、ステップと
をさらに含み、
前記サービングセル情報または前記隣接セル情報が、物理セル識別子PCIおよび／またはセルグローバル識別情報CGIを使用することによって示される、
請求項57または58に記載の方法。
【請求項６３】
前記ビームインデックス情報が、候補RRM測定に使用される第3のビームインデックス情報をさらに備え、前記方法が、
前記第1の測定結果に備えられた前記RSRPが事前構成されたしきい値よりも小さいとき、および／または前記第1の測定結果に備えられた前記RSRQが事前構成されたしきい値よりも小さいとき、前記端末により、前記第3のビームインデックス情報に対応するビームに従ってRRM測定の実施を開始するステップ
をさらに含む、請求項62に記載の方法。
【請求項６４】
前記ビームインデックス情報が、周波数内測定に使用される第4のビームインデックス情報をさらに備え、前記方法が、
前記端末により、前記第4のビームインデックス情報に関連付けられた測定ギャップ期間情報を取得するステップと、
前記端末により、前記測定ギャップ期間情報によって示された測定ギャップ内で、前記第4のビームインデックス情報に対応するビームに従って前記ミリメートル波帯域上で周波数内測定を実施するステップと
をさらに含む、請求項62に記載の方法。
【請求項６５】
前記端末により、前記ビームインデックス情報に対応するビームを使用することにより、前記ミリメートル波帯域に対応するミリメートル波基地局と通信する前記ステップが、
前記端末により、最も高いRSRPおよび／または最も高いRSRQを有する前記ビームインデックス情報に対応する前記ビーム上で、前記ミリメートル波基地局と通信するステップ
を含む、請求項62に記載の方法。
【請求項６６】
前記端末により、前記ビームインデックス情報から、物理ランダムアクセスチャネルリソースとして使用される第5のビームインデックス情報を決定するステップと、
前記端末により、前記第5のビームインデックス情報に対応するビームに従ってランダムアクセスを実施するステップと
をさらに含む、請求項57または58に記載の方法。
【請求項６７】
前記端末により、前記ビームインデックス情報から、物理ランダムアクセスチャネルリソースとして使用される第5のビームインデックス情報を決定する前記ステップが、
前記ビームインデックス情報からビームインデックス情報の1部分を前記第5のビームインデックス情報として選択するステップ、または
前記ビームインデックス情報内にあり、前記物理ランダムアクセスチャネルリソースとして前記マスタ基地局もしくは前記ミリメートル波基地局によって指定されたビームインデックス情報を、前記第5のビームインデックス情報として決定するステップ
を含む、請求項66に記載の方法。
【請求項６８】
前記端末により、前記第5のビームインデックス情報に対応するビームに従ってランダムアクセスを実施する前記ステップが、
前記第5のビームインデックス情報に対応する前記ビーム上でランダムアクセスプリアンブルを送信するステップと、
前記第5のビームインデックス情報に対応する前記ビーム上でランダムアクセス応答メッセージを受信するか、または前記ビームインデックス情報に対応する前記ビーム上でランダムアクセス応答メッセージを受信するステップと
を含む、請求項66に記載の方法。
【請求項６９】
前記ランダムアクセス応答メッセージが第6のビームガイド情報を備え、前記方法が、
前記端末により、前記第6のビームインデックス情報に対応するビーム上でランダムアクセスメッセージを送信するステップであって、前記ランダムアクセスメッセージが前記端末の識別子を備える、ステップと、
前記端末により、前記第6のビームインデックスに対応する前記ビーム上で競合解消メッセージを受信するか、または前記ビームインデックス情報に対応する前記ビーム上で競合解消メッセージを受信するステップであって、前記競合解消メッセージが前記端末の前記識別子を備える、ステップと
をさらに含み、
前記端末の前記識別子が、前記端末のセル無線ネットワーク一時識別子C−RNTIまたはシステムアーキテクチャエボリューション一時移動局識別子S−TMSIである、
請求項68に記載の方法。
【請求項７０】
前記端末により、前記ミリメートル波帯域上のセルのサウンディング基準信号構成情報であり、前記マスタ基地局または前記ミリメートル波基地局によって送信されたサウンディング基準信号構成情報を受信するステップと、
前記端末により、前記サウンディング基準信号構成情報に従って、前記ビームインデックス情報に対応する前記ビーム上でサウンディング基準信号を送信するステップと
をさらに含む、請求項57に記載の方法。
【請求項７１】
マスタ基地局により、端末向けに、ミリメートル波帯域に対応するビームインデックス情報を構成するステップであって、前記ビームインデックス情報が、前記ビームインデックス情報に対応するビームを使用することにより、前記ミリメートル波帯域に対応するミリメートル波基地局と通信するように前記端末に命令するために使用される、ステップ
を含む、ミリメートル波のセルラー通信方法。
【請求項７２】
マスタ基地局により、端末向けに、ミリメートル波帯域に対応するビームインデックス情報を構成する前記ステップが、
前記ビームインデックス情報を備える無線リソース再構成メッセージもしくはブロードキャストメッセージを前記端末に送信するステップ、または
前記端末と交渉して前記ビームインデックス情報を決定するステップ
を含む、請求項71に記載の方法。
【請求項７３】
前記マスタ基地局により、前記端末によって送信された測定報告を受信するステップであって、前記測定報告が、前記ビームインデックス情報に備えられた第1のビームインデックス情報に対応するビームに従って、前記端末がRRM測定を実施した後、前記RRM測定の測定結果に従って前記端末によって送信された測定報告である、ステップと、
前記マスタ基地局により、前記測定報告に従って、前記端末にデータを送信するための前記ミリメートル波基地局、および前記端末にデータを送信するために使用されるビームインデックス情報を決定するステップと
をさらに含む、請求項71または72に記載の方法。
【請求項７４】
前記方法が、
前記マスタ基地局により、前記ミリメートル波帯域上のセルのサウンディング基準信号構成情報を前記端末に送信するステップであって、前記サウンディング基準信号構成情報が、前記ビームインデックス情報に対応する前記ビーム上でサウンディング基準信号を送信するように前記端末に命令するために使用される、ステップ
をさらに含む、請求項71または72に記載の方法。
【請求項７５】
前記方法が、
前記マスタ基地局により、前記ミリメートル波基地局にアップリンク測定構成情報を送信するステップであって、前記アップリンク測定構成情報が第2のビームインデックス情報を備え、前記アップリンク測定構成情報が、前記第2のビームインデックス情報に対応するビーム上で、前記端末によって送信されたサウンディング基準信号の電力を測定するように前記ミリメートル波基地局に命令するために使用される、ステップ
をさらに含む、請求項71または72に記載の方法。
【請求項７６】
ミリメートル波基地局により、端末向けに、ミリメートル波帯域に対応するビームインデックス情報を構成するステップであって、前記ビームインデックス情報が、前記ビームインデックス情報に対応するビームを使用することにより、前記ミリメートル波帯域に対応するミリメートル波基地局と通信するように前記端末に命令するために使用される、ステップ
を含む、ミリメートル波のセルラー通信方法。
【請求項７７】
ミリメートル波基地局により、端末向けに、ミリメートル波帯域に対応するビームインデックス情報を構成する前記ステップが、
前記ビームインデックス情報を備える無線リソース再構成メッセージもしくはブロードキャストメッセージを前記端末に送信するステップ、または
前記端末と交渉して前記ビームインデックス情報を決定するステップ
を含む、請求項76に記載の方法。
【請求項７８】
前記ミリメートル波基地局により、前記端末によって送信された測定報告を受信するステップであって、前記測定報告が、前記ビームインデックス情報に備えられた第1のビームインデックス情報に対応するビームに従って、前記端末がRRM測定を実施した後、前記RRM測定の測定結果に従って前記端末によって送信された測定報告である、ステップと、
前記ミリメートル波基地局により、基地局コントローラに前記測定報告を送信するステップであって、前記測定報告が、前記端末にデータを送信するための前記ミリメートル波基地局、および前記端末にデータを送信するために使用されるビームインデックス情報を決定するように前記基地局コントローラに命令するために使用される、ステップと
をさらに含む、請求項76または77に記載の方法。
【請求項７９】
前記方法が、
前記ミリメートル波基地局により、前記ミリメートル波帯域上のセルのサウンディング基準信号構成情報を前記端末に送信するステップであって、前記サウンディング基準信号構成情報が、前記ビームインデックス情報に対応する前記ビーム上でサウンディング基準信号を送信するように前記端末に命令するために使用される、ステップ
をさらに含む、請求項76または77に記載の方法。
【請求項８０】
前記ミリメートル波基地局により、物理ランダムアクセスチャネルリソースとして使用される第2のビームインデックス情報に対応するビーム上で、前記端末によって送信されたランダムアクセスプリアンブルを受信するステップと、
前記ミリメートル波基地局により、前記第2のビームインデックス情報に対応する前記ビーム上でランダムアクセス応答メッセージを送信するステップと
をさらに含む、請求項76に記載の方法。
【請求項８１】
前記ランダムアクセス応答メッセージが第3のビームガイド情報を備え、前記方法が、
前記ミリメートル波基地局により、前記第3のビームインデックス情報に対応するビーム上でランダムアクセスメッセージを受信するステップであって、前記ランダムアクセスメッセージが前記端末の識別子を備える、ステップと、
前記ミリメートル波基地局により、前記第3のビームインデックスに対応する前記ビーム上で競合解消メッセージを送信するステップであって、前記競合解消メッセージが前記端末の前記識別子を備える、ステップと
をさらに含み、
前記端末の前記識別子が、前記端末のセル無線ネットワーク一時識別子C−RNTIまたはシステムアーキテクチャエボリューション一時移動局識別子S−TMSIである、
請求項80に記載の方法。
【請求項８２】
前記ミリメートル波基地局により、マスタ基地局または前記基地局コントローラによって送信されたアップリンク測定構成情報を受信するステップであって、前記アップリンク測定構成情報が第4のビームインデックス情報を備える、ステップと、
前記ミリメートル波基地局により、前記第4のビームインデックス情報に対応するビーム上で、前記端末によって送信された前記サウンディング基準信号の電力を測定するステップと、
前記ミリメートル波基地局により、前記サウンディング基準信号の電力であり、測定によって取得された前記電力を備える測定結果を前記基地局コントローラに送信するステップであって、前記サウンディング基準信号の前記電力が事前設定された電力しきい値よりも大きいとき、前記測定結果が、前記端末と通信する準備を行うように前記ミリメートル波基地局に命令するように前記基地局コントローラに命令するために使用される、ステップと
をさらに含む、請求項76から81のいずれか一項に記載の方法。
【請求項８３】
基地局コントローラにより、ミリメートル波基地局にアップリンク測定構成情報を送信するステップであって、前記アップリンク測定構成情報がビームインデックス情報を備え、前記アップリンク測定構成情報が、前記ビームインデックス情報に対応するビーム上で、前記端末によって送信されたサウンディング基準信号の電力を測定するように前記ミリメートル波基地局に命令するために使用される、ステップと、
前記基地局コントローラにより、前記ミリメートル波基地局によって送信され、前記サウンディング基準信号の電力であり、測定によって取得された前記電力を備える測定結果を受信するステップと、
前記サウンディング基準信号の前記電力が事前設定された電力しきい値よりも大きいとき、前記基地局コントローラにより、前記端末と通信する準備を行うように前記ミリメートル波基地局に命令するステップと
を含み、
前記端末が、ミリメートル波帯域に対応する前記ビームインデックス情報を使用することにより、前記ミリメートル波帯域に対応するミリメートル波基地局と通信する、
ミリメートル波のセルラー通信方法。
【請求項８４】
前記基地局コントローラにより、前記ミリメートル波基地局によって送信された測定報告を受信するステップであって、前記測定報告が、前記ビームインデックス情報に備えられた第1のビームインデックス情報に対応するビームに従って、前記端末がRRM測定を実施した後、前記RRM測定の測定結果に従って前記端末によって送信された測定報告である、ステップと、
前記基地局コントローラにより、前記測定報告に従って、前記端末にデータを送信するための前記ミリメートル波基地局、および前記端末にデータを送信するために使用されるビームインデックス情報を決定するステップと
をさらに含む、請求項83に記載の方法。
【発明の詳細な説明】
【技術分野】
【０００１】
本発明は、ワイヤレス通信技術の分野に関し、詳細には、端末、基地局、基地局コントローラ、およびミリメートル波のセルラー通信方法に関する。
【背景技術】
【０００２】
パケットサービスおよびインテリジェント端末の急速な発展に伴い、より良いネットワーク体験をユーザに提供するために、データボリュームが大きい増大する数のサービスが勃興しつつある。それに対応して、データボリュームが大きいこれらのサービスは、無線ネットワークの伝送レートおよびスペクトルに課する要件が増大している。
ロングタームエボリューションアドバンスト（英語：Long Term Evolution−Advanced、略してLTE−A）は、LTEロングタームエボリューション（英語：Long Term Evolution、略してLTE）のさらなる進化である。LTE−Aによって提供されるダウンリンクピークレートおよびアップリンクピークレートは、それぞれ1Gbpsおよび500Mbpsに達する可能性がある。しかしながら、従来技術では、LTE−Aによってサポートされる最大帯域幅は100MHzにすぎず、利用可能なスペクトル範囲は限定されている。したがって、容量およびピークデータレートに対する将来のサービスの要件を満たすことは困難である。
【先行技術文献】
【特許文献】
【０００３】
【特許文献１】米国特許出願公開第２０１３／０１５５８４７号
【特許文献２】米国特許出願公開第２０１３／０２８６９６０号
【特許文献３】特開２０１０−１７１７３４号
【特許文献４】米国特許出願公開第２０１４／０１７７６０７号
【特許文献５】国際公開第２０１４／１３３３１１号
【発明の概要】
【０００４】
LTE−Aによってサポートされる最大帯域幅が100MHzにすぎず、利用可能なスペクトル範囲が限定されているので、容量およびピークデータレートに対する将来のサービスの要件を満たすことが困難であるという従来技術における問題を解決するために、本発明の実施形態は、端末、基地局、基地局コントローラ、およびミリメートル波のセルラー通信方法を提供する。技術的解決策は以下の通りである。
【課題を解決するための手段】
【０００５】
第1の態様によれば、端末が提供され、端末は、バスと、バスに接続されたプロセッサ、メモリ、送信機、および受信機とを含み、メモリはいくつかの命令を記憶するように構成され、いくつかの命令はプロセッサによって実行されるように構成され、
プロセッサは、
ミリメートル波帯域に対応するビームインデックス情報を取得するように受信機を制御することと、
ビームインデックス情報に対応するビームを使用することにより、ミリメートル波帯域に対応するミリメートル波基地局と通信することと
を行うように構成される。
【０００６】
第1の態様の第1の可能な実装方式では、
プロセッサは、マスタ基地局もしくはミリメートル波基地局によって送信された無線リソース再構成メッセージもしくはブロードキャストメッセージを受信するように受信機を制御し、無線リソース再構成メッセージもしくはブロードキャストメッセージに含まれるビームインデックス情報を取得するようにさらに構成されるか、または
プロセッサは、マスタ基地局もしくはミリメートル波基地局と交渉して、ビームインデックス情報について合意するようにさらに構成され、
マスタ基地局およびミリメートル波基地局は、同じ基地局または異なる基地局である。
【０００７】
第1の態様の第1の可能な実装方式を参照して、第1の態様の第2の可能な実装方式では、
プロセッサは、ビームインデックス情報内の一部もしくはすべてのビームインデックス情報に対応するビームを選択して、ミリメートル波基地局と通信するようにさらに構成されるか、または
プロセッサは、ビームインデックス情報内にあり、マスタ基地局もしくはミリメートル波基地局によって指定された第1のビームインデックス情報を決定し、第1のビームインデックス情報に対応するビームに従ってミリメートル波基地局と通信するようにさらに構成される。
【０００８】
第1の態様、または第1の態様の第1もしくは第2の可能な実装方式を参照して、第1の態様の第3の可能な実装方式では、ビームインデックス情報の各部分は、1つのプリコーディングコードブックについての情報もしくはアンテナ重みの1つのグループについての情報に対応するか、またはビームインデックスの各々は、複数のプリコーディングコードブックについての情報もしくはアンテナ重みの複数のグループについての情報に対応し、各プリコーディングコードブックまたはアンテナ重みの各グループについての情報は、ビームを一意に決定する。
【０００９】
第1の態様、または第1の態様の第1もしくは第2の可能な実装方式を参照して、第1の態様の第4の可能な実装方式では、ビームインデックス情報の各部分は、1つのセクタもしくは1つのセルのカバレージエリアに対応するか、またはビームインデックス情報の各部分は、1つのセクタもしくは1つのセルのカバレージエリアの一部に対応し、
ビームインデックス情報は、1レベルのインデックス情報またはNレベルのインデックス情報であり、Nは整数であって、N≧2であり、
ビームインデックス情報がNレベルのインデックス情報であるとき、ビームインデックス情報内のi番目のレベルのインデックス情報は、（i＋1）番目のレベルのインデックス情報に関連付けられ、（i＋1）番目のレベルのインデックス情報に対応するビームのカバレージエリアは、i番目のレベルのインデックス情報に対応するビームのカバレージエリアよりも大きくなく、iは整数であって、2≦i≦Nである。
【００１０】
第1の態様または第1の態様の第1の可能な実装方式を参照して、第1の態様の第5の可能な実装方式では、ビームインデックス情報は、無線リソース管理RRM測定に使用される第2のビームインデックス情報を含み、
プロセッサは、
第2のビームインデックス情報に対応するビームに従ってRRM測定を実施して、第1の測定結果を取得することであって、第1の測定結果が、基準信号受信電力RSRPおよび／または基準信号受信品質RSRQを含む、取得することと、
第1の測定結果に従ってマスタ基地局またはミリメートル波基地局に第1の測定報告を送信するように送信機を制御することであって、第1の測定報告が、以下の情報：最も高いRSRPおよび／もしくは最も高いRSRQを有するビームインデックス情報、最も高いRSRPおよび／もしくは最も高いRSRQを有するビームインデックス情報に対応するビーム上のRSRP測定結果および／もしくはRSRQ測定結果、最も高いRSRPおよび／もしくは最も高いRSRQを有するビームインデックス情報が位置する周波数情報、最も高いRSRPおよび／もしくは最も高いRSRQを有するビームインデックス情報に関連付けられたサービングセル情報、または最も高いRSRPおよび／もしくは最も高いRSRQを有するビームインデックス情報に関連付けられた隣接セル情報のうちの少なくとも1つを含む、制御することと
を行うようにさらに構成され、
サービングセル情報または隣接セル情報は、物理セル識別子PCIおよび／またはセルグローバル識別情報CGIを使用することによって示される。
【００１１】
第1の態様の第5の可能な実装方式を参照して、第1の態様の第6の可能な実装方式では、ビームインデックス情報は、候補RRM測定に使用される第3のビームインデックス情報をさらに含み、
プロセッサは、第1の測定結果に含まれるRSRPが事前構成されたしきい値よりも小さいとき、および／または第1の測定結果に含まれるRSRQが事前構成されたしきい値よりも小さいとき、第3のビームインデックス情報に対応するビームに従ってRRM測定の実施を開始するように送信機および受信機を制御するようにさらに構成される。
【００１２】
第1の態様の第5の可能な実装方式を参照して、第1の態様の第7の可能な実装方式では、ビームインデックス情報は、周波数内測定に使用される第4のビームインデックス情報をさらに含み、
プロセッサは、
第4のビームインデックス情報に関連付けられた測定ギャップ期間情報を取得するように受信機を制御することと、
測定ギャップ期間情報によって示された測定ギャップ内で、第4のビームインデックス情報に対応するビームに従ってミリメートル波帯域上で周波数内測定を実施することと
を行うようにさらに構成される。
【００１３】
第1の態様の第5の可能な実装方式を参照して、第1の態様の第8の可能な実装方式では、
プロセッサは、最も高いRSRPおよび／または最も高いRSRQを有するビームインデックス情報に対応するビーム上で、ミリメートル波基地局と通信するように送信機および受信機を制御するようにさらに構成される。
【００１４】
第1の態様または第1の態様の第1の可能な実装方式を参照して、第1の態様の第9の可能な実装方式では、プロセッサは、
ビームインデックス情報から、物理ランダムアクセスチャネルリソースとして使用される第5のビームインデックス情報を決定することと、
第5のビームインデックス情報に対応するビームに従ってランダムアクセスを実施することと
を行うようにさらに構成される。
【００１５】
第1の態様の第9の可能な実装方式を参照して、第1の態様の第10の可能な実装方式では、
プロセッサは、ビームインデックス情報からビームインデックス情報の1部分を第5のビームインデックス情報として選択するようにさらに構成されるか、または
プロセッサは、ビームインデックス情報内にあり、物理ランダムアクセスチャネルリソースとしてマスタ基地局もしくはミリメートル波基地局によって指定されたビームインデックス情報を、第5のビームインデックス情報として決定するようにさらに構成される。
【００１６】
第1の態様の第9の可能な実装方式を参照して、第1の態様の第11の可能な実装方式では、
プロセッサは、
第5のビームインデックス情報に対応するビーム上でランダムアクセスプリアンブルを送信するように送信機を制御することと、
第5のビームインデックス情報に対応するビーム上でランダムアクセス応答メッセージを受信するか、またはビームインデックス情報に対応するビーム上でランダムアクセス応答メッセージを受信するように受信機を制御することと
を行うようにさらに構成される。
【００１７】
第1の態様の第10の可能な実装方式を参照して、第1の態様の第12の可能な実装方式では、ランダムアクセス応答メッセージは第6のビームインデックス情報を含み、
プロセッサは、
第6のビームインデックス情報に対応するビーム上でランダムアクセスメッセージを送信するように送信機を制御することであって、ランダムアクセスメッセージが端末の識別子を含む、制御することと、
第6のビームインデックスに対応するビーム上で競合解消メッセージを受信するか、またはビームインデックス情報に対応するビーム上で競合解消メッセージを受信するように受信機を制御することであって、競合解消メッセージが端末の識別子を含む、制御することと
を行うようにさらに構成され、
端末の識別子は、端末のセル無線ネットワーク一時識別子C−RNTIまたはシステムアーキテクチャエボリューション一時移動局識別子S−TMSIである。
【００１８】
第1の態様の第13の可能な実装方式では、
プロセッサは、
ミリメートル波帯域上のセルのサウンディング基準信号構成情報であり、マスタ基地局またはミリメートル波基地局によって送信されたサウンディング基準信号構成情報を受信するように受信機を制御することと、
サウンディング基準信号構成情報に従って、ビームインデックス情報に対応するビーム上でサウンディング基準信号を送信するように送信機を制御することと
を行うようにさらに構成される。
【００１９】
第2の態様によれば、端末が提供され、端末は、
ミリメートル波帯域に対応するビームインデックス情報を取得するように構成された受信モジュールと、
ビームインデックス情報に対応するビームを使用することにより、ミリメートル波帯域に対応するミリメートル波基地局と通信するように構成された通信モジュールと
を含む。
【００２０】
第2の態様の第1の可能な実装方式では、
受信モジュールは、
マスタ基地局またはミリメートル波基地局によって送信された無線リソース再構成メッセージまたはブロードキャストメッセージを受信することと、
無線リソース再構成メッセージまたはブロードキャストメッセージに含まれるビームインデックス情報を取得することと
を行うようにさらに構成され、
通信モジュールは、マスタ基地局またはミリメートル波基地局と交渉して、ビームインデックス情報について合意するようにさらに構成され、
マスタ基地局およびミリメートル波基地局は、同じ基地局または異なる基地局である。
【００２１】
第2の態様の第1の可能な実装方式を参照して、第2の態様の第2の可能な実装方式では、
通信モジュールは、
ビームインデックス情報内の一部もしくはすべてのビームインデックス情報に対応するビームを選択して、ミリメートル波基地局と通信すること、または
ビームインデックス情報内にあり、マスタ基地局もしくはミリメートル波基地局によって指定された第1のビームインデックス情報を決定し、第1のビームインデックス情報に対応するビームに従ってミリメートル波基地局と通信すること
を行うようにさらに構成される。
【００２２】
第2の態様、または第2の態様の第1もしくは第2の可能な実装方式を参照して、第2の態様の第3の可能な実装方式では、ビームインデックス情報の各部分は、1つのプリコーディングコードブックについての情報もしくはアンテナ重みの1つのグループについての情報に対応するか、またはビームインデックスの各々は、複数のプリコーディングコードブックについての情報もしくはアンテナ重みの複数のグループについての情報に対応し、各プリコーディングコードブックまたはアンテナ重みの各グループについての情報は、ビームを一意に決定する。
【００２３】
第2の態様、または第2の態様の第1もしくは第2の可能な実装方式を参照して、第2の態様の第4の可能な実装方式では、ビームインデックス情報の各部分は、1つのセクタもしくは1つのセルのカバレージエリアに対応するか、またはビームインデックス情報の各部分は、1つのセクタもしくは1つのセルのカバレージエリアの一部に対応し、
ビームインデックス情報は、1レベルのインデックス情報またはNレベルのインデックス情報であり、Nは整数であって、N≧2であり、
ビームインデックス情報がNレベルのインデックス情報であるとき、ビームインデックス情報内のi番目のレベルのインデックス情報は、（i＋1）番目のレベルのインデックス情報に関連付けられ、（i＋1）番目のレベルのインデックス情報に対応するビームのカバレージエリアは、i番目のレベルのインデックス情報に対応するビームのカバレージエリアよりも大きくなく、iは整数であって、2≦i≦Nである。
【００２４】
第2の態様または第2の態様の第1の可能な実装方式を参照して、第2の態様の第5の可能な実装方式では、ビームインデックス情報は、無線リソース管理RRM測定に使用される第2のビームインデックス情報を含み、端末は、
第2のビームインデックス情報に対応するビームに従ってRRM測定を実施して、第1の測定結果を取得するように構成された測定モジュールであって、第1の測定結果が、基準信号受信電力RSRPおよび／または基準信号受信品質RSRQを含む、測定モジュールと、
第1の測定結果に従ってマスタ基地局またはミリメートル波基地局に第1の測定報告を送信するように構成された送信モジュールであって、第1の測定報告が、以下の情報：最も高いRSRPおよび／もしくは最も高いRSRQを有するビームインデックス情報、最も高いRSRPおよび／もしくは最も高いRSRQを有するビームインデックス情報に対応するビーム上のRSRP測定結果および／もしくはRSRQ測定結果、最も高いRSRPおよび／もしくは最も高いRSRQを有するビームインデックス情報が位置する周波数情報、最も高いRSRPおよび／もしくは最も高いRSRQを有するビームインデックス情報に関連付けられたサービングセル情報、または最も高いRSRPおよび／もしくは最も高いRSRQを有するビームインデックス情報に関連付けられた隣接セル情報のうちの少なくとも1つを含む、送信モジュールと
をさらに含み、
サービングセル情報または隣接セル情報は、物理セル識別子PCIおよび／またはセルグローバル識別情報CGIを使用することによって示される。
【００２５】
第2の態様の第5の可能な実装方式を参照して、第2の態様の第6の可能な実装方式では、ビームインデックス情報は、候補RRM測定に使用される第3のビームインデックス情報をさらに含み、測定モジュールは、
第1の測定結果に含まれるRSRPが事前構成されたしきい値よりも小さいとき、および／または第1の測定結果に含まれるRSRQが事前構成されたしきい値よりも小さいとき、第3のビームインデックス情報に対応するビームに従ってRRM測定の実施を開始するようにさらに構成される。
【００２６】
第2の態様の第5の可能な実装方式を参照して、第2の態様の第7の可能な実装方式では、ビームインデックス情報は、周波数内測定に使用される第4のビームインデックス情報をさらに含み、
受信モジュールは、第4のビームインデックス情報に関連付けられた測定ギャップ期間情報を取得するようにさらに構成され、
測定モジュールは、測定ギャップ期間情報によって示された測定ギャップ内で、第4のビームインデックス情報に対応するビームに従ってミリメートル波帯域上で周波数内測定を実施するようにさらに構成される。
【００２７】
第2の態様の第5の可能な実装方式を参照して、第2の態様の第8の可能な実装方式では、通信モジュールは、端末により、最も高いRSRPおよび／または最も高いRSRQを有するビームインデックス情報に対応するビーム上で、ミリメートル波基地局と通信するようにさらに構成される。
【００２８】
第2の態様または第2の態様の第1の可能な実装方式を参照して、第2の態様の第9の可能な実装方式では、端末は、
ビームインデックス情報から、物理ランダムアクセスチャネルリソースとして使用される第5のビームインデックス情報を決定するように構成された決定モジュールと、
第5のビームインデックス情報に対応するビームに従ってランダムアクセスを実施するように構成されたアクセスモジュールと
をさらに含む。
【００２９】
第2の態様の第9の可能な実装方式を参照して、第2の態様の第10の可能な実装方式では、決定モジュールは、具体的に、
ビームインデックス情報からビームインデックス情報の1部分を第5のビームインデックス情報として選択すること、または
ビームインデックス情報内にあり、物理ランダムアクセスチャネルリソースとしてマスタ基地局もしくはミリメートル波基地局によって指定されたビームインデックス情報を、第5のビームインデックス情報として決定すること
を行うように構成される。
【００３０】
第2の態様の第9の可能な実装方式を参照して、第2の態様の第11の可能な実装方式では、
送信モジュールは、第5のビームインデックス情報に対応するビーム上でランダムアクセスプリアンブルを送信するようにさらに構成され、
受信モジュールは、
第5のビームインデックス情報に対応するビーム上でランダムアクセス応答メッセージを受信すること、または
ビームインデックス情報に対応するビーム上でランダムアクセス応答メッセージを受信すること
を行うようにさらに構成される。
【００３１】
第2の態様の第10の可能な実装方式を参照して、第2の態様の第12の可能な実装方式では、ランダムアクセス応答メッセージは第6のビームガイド情報を含み、
送信モジュールは、第6のビームインデックス情報に対応するビーム上でランダムアクセスメッセージを送信するようにさらに構成され、ランダムアクセスメッセージは端末の識別子を含み、
受信モジュールは、
第6のビームインデックス情報に対応するビーム上で競合解消メッセージを受信すること、または
ビームインデックス情報に対応するビーム上で競合解消メッセージを受信すること
を行うようにさらに構成され、
端末の識別子は、端末のセル無線ネットワーク一時識別子C−RNTIまたはシステムアーキテクチャエボリューション一時移動局識別子S−TMSIである。
【００３２】
第2の態様の第13の可能な実装方式では、
受信モジュールは、ミリメートル波帯域上のセルのサウンディング基準信号構成情報であり、マスタ基地局またはミリメートル波基地局によって送信されたサウンディング基準信号構成情報を受信するようにさらに構成され、
送信モジュールは、サウンディング基準信号構成情報に従って、ビームインデックス情報に対応するビーム上でサウンディング基準信号を送信するようにさらに構成される。
【００３３】
第3の態様によれば、基地局が提供され、基地局は、バスと、バスに接続されたプロセッサ、メモリ、送信機、および受信機とを含み、メモリはいくつかの命令を記憶するように構成され、いくつかの命令はプロセッサによって実行されるように構成され、
プロセッサは、端末向けに、ミリメートル波帯域に対応するビームインデックス情報を構成するように構成され、ビームインデックス情報は、ビームインデックス情報に対応するビームを使用することにより、ミリメートル波帯域に対応するミリメートル波基地局と通信するように端末に命令するために使用される。
【００３４】
第3の態様の第1の可能な実装方式では、
プロセッサは、ビームインデックス情報を含む無線リソース再構成メッセージもしくはブロードキャストメッセージを端末に送信するように送信機を制御するようにさらに構成されるか、または
プロセッサは、端末と交渉してビームインデックス情報を決定するようにさらに構成される。
【００３５】
第3の態様または第3の態様の第1の可能な実装方式を参照して、第3の態様の第2の可能な実装方式では、
プロセッサは、
端末によって送信された測定報告を受信するように受信機を制御することであって、測定報告が、ビームインデックス情報に含まれる第1のビームインデックス情報に対応するビームに従って、端末がRRM測定を実施した後、RRM測定の測定結果に従って端末によって送信された報告である、制御することと、
測定報告に従って、端末にデータを送信するためのミリメートル波基地局、および端末にデータを送信するために使用されるビームインデックス情報を決定することと
を行うようにさらに構成される。
【００３６】
第3の態様または第3の態様の第1の可能な実装方式を参照して、第3の態様の第3の可能な実装方式では、
プロセッサは、ミリメートル波帯域上のセルのサウンディング基準信号構成情報を端末に送信するように送信機を制御するようにさらに構成され、サウンディング基準信号構成情報は、ビームインデックス情報に対応するビーム上でサウンディング基準信号を送信するように端末に命令するために使用される。
【００３７】
第3の態様または第3の態様の第1の可能な実装方式を参照して、第3の態様の第4の可能な実装方式では、
プロセッサは、ミリメートル波基地局にアップリンク測定構成情報を送信するように送信機を制御するようにさらに構成され、アップリンク測定構成情報は第2のビームインデックス情報を含み、アップリンク測定構成情報は、第2のビームインデックス情報に対応するビーム上で、端末によって送信されたサウンディング基準信号の電力を測定するようにミリメートル波基地局に命令するために使用される。
【００３８】
第4の態様によれば、基地局が提供され、基地局は、
端末向けに、ミリメートル波帯域に対応するビームインデックス情報を構成するように構成された構成モジュールを含み、ビームインデックス情報は、ビームインデックス情報に対応するビームを使用することにより、ミリメートル波帯域に対応するミリメートル波基地局と通信するように端末に命令するために使用される。
【００３９】
第4の態様の第1の可能な実装方式では、基地局は、
ビームインデックス情報を含む無線リソース再構成メッセージもしくはブロードキャストメッセージを端末に送信するように構成された送信モジュール
をさらに含むか、または
基地局は、端末と交渉してビームインデックス情報を決定するように構成された交渉モジュールをさらに含む。
【００４０】
第4の態様または第4の態様の第1の可能な実装方式を参照して、第4の態様の第2の可能な実装方式では、基地局は、
端末によって送信された測定報告を受信するように構成された受信モジュールであって、測定報告が、ビームインデックス情報に含まれる第1のビームインデックス情報に対応するビームに従って、端末がRRM測定を実施した後、RRM測定の測定結果に従って端末によって送信された報告である、受信モジュールと、
測定報告に従って、端末にデータを送信するためのミリメートル波基地局、および端末にデータを送信するために使用されるビームインデックス情報を決定するように構成された決定モジュールと
をさらに含む。
【００４１】
第4の態様または第4の態様の第1の可能な実装方式を参照して、第4の態様の第3の可能な実装方式では、
送信モジュールは、ミリメートル波帯域上のセルのサウンディング基準信号構成情報を端末に送信するようにさらに構成され、サウンディング基準信号構成情報は、ビームインデックス情報に対応するビーム上でサウンディング基準信号を送信するように端末に命令するために使用される。
【００４２】
第4の態様または第4の態様の第1の可能な実装方式を参照して、第4の態様の第4の可能な実装方式では、
送信モジュールは、ミリメートル波基地局にアップリンク測定構成情報を送信するようにさらに構成され、アップリンク測定構成情報は第2のビームインデックス情報を含み、アップリンク測定構成情報は、第2のビームインデックス情報に対応するビーム上で、端末によって送信されたサウンディング基準信号の電力を測定するようにミリメートル波基地局に命令するために使用される。
【００４３】
第5の態様によれば、基地局が提供され、基地局は、バスと、バスに接続されたプロセッサ、メモリ、送信機、および受信機とを含み、メモリはいくつかの命令を記憶するように構成され、いくつかの命令はプロセッサによって実行されるように構成され、
プロセッサは、端末向けに、ミリメートル波帯域に対応するビームインデックス情報を構成するように構成され、ビームインデックス情報は、ビームインデックス情報に対応するビームを使用することにより、ミリメートル波帯域に対応するミリメートル波基地局と通信するように端末に命令するために使用される。
【００４４】
第5の態様の第1の可能な実装方式では、プロセッサは、ビームインデックス情報を含む無線リソース再構成メッセージもしくはブロードキャストメッセージを端末に送信するように送信機を制御するようにさらに構成されるか、または
プロセッサは、端末と交渉してビームインデックス情報を決定するようにさらに構成される。
【００４５】
第5の態様または第5の態様の第1の可能な実装方式を参照して、第5の態様の第2の可能な実装方式では、プロセッサは、
端末によって送信された測定報告を受信するように受信機を制御することであって、測定報告が、ビームインデックス情報に含まれる第1のビームインデックス情報に対応するビームに従って、端末がRRM測定を実施した後、RRM測定の測定結果に従って端末によって送信された測定報告である、制御することと、
基地局コントローラに測定報告を送信するように送信機を制御することであって、測定報告が、端末にデータを送信するためのミリメートル波基地局、および端末にデータを送信するために使用されるビームインデックス情報を決定するように基地局コントローラに命令するために使用される、制御することと
を行うようにさらに構成される。
【００４６】
第5の態様または第5の態様の第1の可能な実装方式を参照して、第5の態様の第3の可能な実装方式では、プロセッサは、ミリメートル波帯域上のセルのサウンディング基準信号構成情報を端末に送信するように送信機を制御するようにさらに構成され、サウンディング基準信号構成情報は、ビームインデックス情報に対応するビーム上でサウンディング基準信号を送信するように端末に命令するために使用される。
【００４７】
第5の態様の第4の可能な実装方式では、
プロセッサは、
物理ランダムアクセスチャネルリソースとして使用される第2のビームインデックス情報に対応するビーム上で、端末によって送信されたランダムアクセスプリアンブルを受信するように受信機を制御することと、
第2のビームインデックス情報に対応するビーム上でランダムアクセス応答メッセージを送信するように送信機を制御することと
を行うようにさらに構成される。
【００４８】
第5の態様の第4の可能な実装方式を参照して、
ランダムアクセス応答メッセージは、第3のビームガイド情報を含み、
プロセッサは、
第3のビームインデックス情報に対応するビーム上でランダムアクセスメッセージを受信するように受信機を制御することであって、ランダムアクセスメッセージが端末の識別子を含む、制御することと、
第3のビームインデックスに対応するビーム上で競合解消メッセージを送信するように送信機を制御することであって、競合解消メッセージが端末の識別子を含む、制御することと
を行うようにさらに構成され、
端末の識別子は、端末のセル無線ネットワーク一時識別子C−RNTIまたはシステムアーキテクチャエボリューション一時移動局識別子S−TMSIである。
【００４９】
第5の態様の任意の1つ、または第5の態様の第1から第5の可能な実装方式を参照して、第5の態様の第6の可能な実装方式では、
プロセッサは、
マスタ基地局または基地局コントローラによって送信されたアップリンク測定構成情報を受信するように受信機を制御することであって、アップリンク測定構成情報が第4のビームインデックス情報を含む、制御することと、
第4のビームインデックス情報に対応するビーム上で、端末によって送信されたサウンディング基準信号の電力を測定することと、
サウンディング基準信号の電力であり、測定によって取得された電力を含む測定結果を基地局コントローラに送信するように送信機を制御することであって、サウンディング基準信号の電力が事前設定された電力しきい値よりも大きいとき、測定結果が、端末と通信する準備を行うようにミリメートル波基地局に命令するように基地局コントローラに命令するために使用される、制御することと
を行うようにさらに構成される。
【００５０】
第6の態様によれば、基地局が提供され、基地局は、
端末向けに、ミリメートル波帯域に対応するビームインデックス情報を構成するように構成された構成モジュールを含み、ビームインデックス情報は、ビームインデックス情報に対応するビームを使用することにより、ミリメートル波帯域に対応するミリメートル波基地局と通信するように端末に命令するために使用される。
【００５１】
第6の態様の第1の可能な実装方式では、
基地局は、ビームインデックス情報を含む無線リソース再構成メッセージもしくはブロードキャストメッセージを端末に送信するように構成された送信モジュールをさらに含むか、または
基地局は、端末と交渉してビームインデックス情報を決定するように構成された交渉モジュールをさらに含む。
【００５２】
第6の態様または第6の態様の第1の可能な実装方式を参照して、第6の態様の第2の可能な実装方式では、基地局は、
端末によって送信された測定報告を受信するように構成された受信モジュールであって、測定報告が、ビームインデックス情報に含まれる第1のビームインデックス情報に対応するビームに従って、端末がRRM測定を実施した後、RRM測定の測定結果に従って端末によって送信された測定報告である、受信モジュール
をさらに含み、
送信モジュールは、基地局コントローラに測定報告を送信するようにさらに構成され、測定報告は、端末にデータを送信するためのミリメートル波基地局、および端末にデータを送信するために使用されるビームインデックス情報を決定するように基地局コントローラに命令するために使用される。
【００５３】
第6の態様または第6の態様の第1の可能な実装方式を参照して、第6の態様の第3の可能な実装方式では、
送信モジュールは、ミリメートル波帯域上のセルのサウンディング基準信号構成情報を端末に送信するようにさらに構成され、サウンディング基準信号構成情報は、ビームインデックス情報に対応するビーム上でサウンディング基準信号を送信するように端末に命令するために使用される。
【００５４】
第6の態様の第4の可能な実装方式では、
受信モジュールは、物理ランダムアクセスチャネルリソースとして使用される第2のビームインデックス情報に対応するビーム上で、端末によって送信されたランダムアクセスプリアンブルを受信するようにさらに構成され、
送信モジュールは、第2のビームインデックス情報に対応するビーム上でランダムアクセス応答メッセージを送信するようにさらに構成される。
【００５５】
第6の態様の第4の可能な実装方式を参照して、第6の態様の第5の可能な実装方式では、ランダムアクセス応答メッセージは第3のビームガイド情報を含み、
受信モジュールは、第3のビームインデックス情報に対応するビーム上でランダムアクセスメッセージを受信するようにさらに構成され、ランダムアクセスメッセージは端末の識別子を含み、
送信モジュールは、第3のビームインデックスに対応するビーム上で競合解消メッセージを送信するようにさらに構成され、競合解消メッセージは端末の識別子を含み、
端末の識別子は、端末のセル無線ネットワーク一時識別子C−RNTIまたはシステムアーキテクチャエボリューション一時移動局識別子S−TMSIである。
【００５６】
第6の態様の任意の1つ、または第6の態様の第1から第5の可能な実装方式を参照して、第6の態様の第6の可能な実装方式では、
受信モジュールは、マスタ基地局または基地局コントローラによって送信されたアップリンク測定構成情報を受信するようにさらに構成され、アップリンク測定構成情報は第4のビームインデックス情報を含み、
基地局は、第4のビームインデックス情報に対応するビーム上で、端末によって送信されたサウンディング基準信号の電力を測定するように構成された測定モジュールをさらに含み、
送信モジュールは、サウンディング基準信号の電力であり、測定によって取得された電力を含む測定結果を送信するようにさらに構成され、サウンディング基準信号の電力が事前設定された電力しきい値よりも大きいとき、測定結果は、端末と通信する準備を行うようにミリメートル波基地局に命令するように基地局コントローラに命令するために使用される。
【００５７】
第7の態様によれば、基地局コントローラが提供され、基地局コントローラは、バスと、バスに接続されたプロセッサ、メモリ、送信機、および受信機とを含み、メモリはいくつかの命令を記憶するように構成され、いくつかの命令はプロセッサによって実行されるように構成され、
プロセッサは、
ミリメートル波基地局にアップリンク測定構成情報を送信するように送信機を制御することであって、アップリンク測定構成情報がビームインデックス情報を含み、アップリンク測定構成情報が、ビームインデックス情報に対応するビーム上で、端末によって送信されたサウンディング基準信号の電力を測定するようにミリメートル波基地局に命令するために使用される、制御することと、
ミリメートル波基地局によって送信され、サウンディング基準信号の電力であり、測定によって取得された電力を含む測定結果を受信するように受信機を制御することと、
サウンディング基準信号の電力が事前設定された電力しきい値よりも大きいとき、端末と通信する準備を行うようにミリメートル波基地局に命令することと
を行うように構成され、
端末は、ミリメートル波帯域に対応するビームインデックス情報を使用することにより、ミリメートル波帯域に対応するミリメートル波基地局と通信する。
【００５８】
第7の態様の第1の可能な実装方式では、プロセッサは、
ミリメートル波基地局によって送信された測定報告を受信するように受信機を制御することであって、測定報告が、ビームインデックス情報に含まれる第1のビームインデックス情報に対応するビームに従って、端末がRRM測定を実施した後、RRM測定の測定結果に従って端末によって送信された測定報告である、制御することと、
測定報告に従って、端末にデータを送信するためのミリメートル波基地局、および端末にデータを送信するために使用されるビームインデックス情報を決定することと
を行うようにさらに構成される。
【００５９】
第8の態様によれば、基地局コントローラが提供され、基地局コントローラは、
ミリメートル波基地局にアップリンク測定構成情報を送信するように構成された送信モジュールであって、アップリンク測定構成情報がビームインデックス情報を含み、アップリンク測定構成情報が、ビームインデックス情報に対応するビーム上で、端末によって送信されたサウンディング基準信号の電力を測定するようにミリメートル波基地局に命令するために使用される、送信モジュールと、
ミリメートル波基地局によって送信され、サウンディング基準信号の電力であり、測定によって取得された電力を含む測定結果を受信するように構成された受信モジュールと、
サウンディング基準信号の電力が事前設定された電力しきい値よりも大きいとき、端末と通信する準備を行うようにミリメートル波基地局に命令するように構成された命令モジュールと
を含み、
端末は、ミリメートル波帯域に対応するビームインデックス情報を使用することにより、ミリメートル波帯域に対応するミリメートル波基地局と通信する。
【００６０】
第8の態様の第1の可能な実装方式では、
受信モジュールは、ミリメートル波基地局によって送信された測定報告を受信するようにさらに構成され、測定報告は、ビームインデックス情報に含まれる第1のビームインデックス情報に対応するビームに従って、端末がRRM測定を実施した後、RRM測定の測定結果に従って端末によって送信された測定報告であり、
装置は、測定報告に従って、端末にデータを送信するためのミリメートル波基地局、および端末にデータを送信するために使用されるビームインデックス情報を決定するように構成された決定モジュールをさらに含む。
【００６１】
第9の態様によれば、ミリメートル波のセルラー通信方法が提供され、方法は、
端末により、ミリメートル波帯域に対応するビームインデックス情報を取得するステップと、
端末により、ビームインデックス情報に対応するビームを使用することにより、ミリメートル波帯域に対応するミリメートル波基地局と通信するステップと
を含む。
【００６２】
第9の態様の第1の可能な実装方式では、端末により、ミリメートル波帯域に対応するビームインデックス情報を取得するステップは、
マスタ基地局もしくはミリメートル波基地局によって送信された無線リソース再構成メッセージもしくはブロードキャストメッセージを受信し、無線リソース再構成メッセージもしくはブロードキャストメッセージに含まれるビームインデックス情報を取得するステップ、または
マスタ基地局もしくはミリメートル波基地局と交渉して、ビームインデックス情報について合意するステップ
を含み、
マスタ基地局およびミリメートル波基地局は、同じ基地局または異なる基地局である。
【００６３】
第9の態様の第1の可能な実装方式を参照して、第9の態様の第2の可能な実装方式では、端末により、ビームインデックス情報に対応するビームを使用することにより、ミリメートル波帯域に対応するミリメートル波基地局と通信するステップは、
ビームインデックス情報内の一部もしくはすべてのビームインデックス情報に対応するビームを選択して、ミリメートル波基地局と通信するステップ、または
ビームインデックス情報内にあり、マスタ基地局もしくはミリメートル波基地局によって指定された第1のビームインデックス情報を決定し、第1のビームインデックス情報に対応するビームに従ってミリメートル波基地局と通信するステップ
を含む。
【００６４】
第9の態様、または第9の態様の第1もしくは第2の可能な実装方式を参照して、第9の態様の第3の可能な実装方式では、ビームインデックス情報の各部分は、1つのプリコーディングコードブックについての情報もしくはアンテナ重みの1つのグループについての情報に対応するか、またはビームインデックスの各々は、複数のプリコーディングコードブックについての情報もしくはアンテナ重みの複数のグループについての情報に対応し、各プリコーディングコードブックまたはアンテナ重みの各グループについての情報は、ビームを一意に決定する。
【００６５】
第9の態様、または第9の態様の第1もしくは第2の可能な実装方式を参照して、第9の態様の第4の可能な実装方式では、ビームインデックス情報の各部分は、1つのセクタもしくは1つのセルのカバレージエリアに対応するか、またはビームインデックス情報の各部分は、1つのセクタもしくは1つのセルのカバレージエリアの一部に対応し、
ビームインデックス情報は、1レベルのインデックス情報またはNレベルのインデックス情報であり、Nは整数であって、N≧2であり、
ビームインデックス情報がNレベルのインデックス情報であるとき、ビームインデックス情報内のi番目のレベルのインデックス情報は、（i＋1）番目のレベルのインデックス情報に関連付けられ、（i＋1）番目のレベルのインデックス情報に対応するビームのカバレージエリアは、i番目のレベルのインデックス情報に対応するビームのカバレージエリアよりも大きくなく、iは整数であって、2≦i≦Nである。
【００６６】
第9の態様または第9の態様の第1の可能な実装方式を参照して、第9の態様の第5の可能な実装方式では、ビームインデックス情報は、無線リソース管理RRM測定に使用される第2のビームインデックス情報を含み、方法は、
端末により、第2のビームインデックス情報に対応するビームに従ってRRM測定を実施して、第1の測定結果を取得するステップであって、第1の測定結果が、基準信号受信電力RSRPおよび／または基準信号受信品質RSRQを含む、ステップと、
端末により、第1の測定結果に従ってマスタ基地局またはミリメートル波基地局に第1の測定報告を送信するステップであって、第1の測定報告が、以下の情報：最も高いRSRPおよび／もしくは最も高いRSRQを有するビームインデックス情報、最も高いRSRPおよび／もしくは最も高いRSRQを有するビームインデックス情報に対応するビーム上のRSRP測定結果および／もしくはRSRQ測定結果、最も高いRSRPおよび／もしくは最も高いRSRQを有するビームインデックス情報が位置する周波数情報、最も高いRSRPおよび／もしくは最も高いRSRQを有するビームインデックス情報に関連付けられたサービングセル情報、または最も高いRSRPおよび／もしくは最も高いRSRQを有するビームインデックス情報に関連付けられた隣接セル情報のうちの少なくとも1つを含む、ステップと
をさらに含み、
サービングセル情報または隣接セル情報は、物理セル識別子PCIおよび／またはセルグローバル識別情報CGIを使用することによって示される。
【００６７】
第9の態様の第5の可能な実装方式を参照して、第9の態様の第6の可能な実装方式では、ビームインデックス情報は、候補RRM測定に使用される第3のビームインデックス情報をさらに含み、方法は、
第1の測定結果に含まれるRSRPが事前構成されたしきい値よりも小さいとき、および／または第1の測定結果に含まれるRSRQが事前構成されたしきい値よりも小さいとき、端末により、第3のビームインデックス情報に対応するビームに従ってRRM測定の実施を開始するステップ
をさらに含む。
【００６８】
第9の態様の第5の可能な実装方式を参照して、第9の態様の第7の可能な実装方式では、ビームインデックス情報は、周波数内測定に使用される第4のビームインデックス情報をさらに含み、方法は、
端末により、第4のビームインデックス情報に関連付けられた測定ギャップ期間情報を取得するステップと、
端末により、測定ギャップ期間情報によって示された測定ギャップ内で、第4のビームインデックス情報に対応するビームに従ってミリメートル波帯域上で周波数内測定を実施するステップと
をさらに含む。
【００６９】
第9の態様の第5の可能な実装方式を参照して、第9の態様の第8の可能な実装方式では、端末により、ビームインデックス情報に対応するビームを使用することにより、ミリメートル波帯域に対応するミリメートル波基地局と通信するステップは、
端末により、最も高いRSRPおよび／または最も高いRSRQを有するビームインデックス情報に対応するビーム上で、ミリメートル波基地局と通信するステップ
を含む。
【００７０】
第9の態様または第9の態様の第1の可能な実装方式を参照して、第9の態様の第9の可能な実装方式では、方法は、
端末により、ビームインデックス情報から、物理ランダムアクセスチャネルリソースとして使用される第5のビームインデックス情報を決定するステップと、
端末により、第5のビームインデックス情報に対応するビームに従ってランダムアクセスを実施するステップと
をさらに含む。
【００７１】
第9の態様の第9の可能な実装方式を参照して、第9の態様の第10の可能な実装方式では、端末により、ビームインデックス情報から、物理ランダムアクセスチャネルリソースとして使用される第5のビームインデックス情報を決定するステップは、
ビームインデックス情報からビームインデックス情報の1部分を第5のビームインデックス情報として選択するステップ、または
ビームインデックス情報内にあり、物理ランダムアクセスチャネルリソースとしてマスタ基地局もしくはミリメートル波基地局によって指定されたビームインデックス情報を、第5のビームインデックス情報として決定するステップ
を含む。
【００７２】
第9の態様の第9の可能な実装方式を参照して、第9の態様の第11の可能な実装方式では、端末により、第5のビームインデックス情報に対応するビームに従ってランダムアクセスを実施するステップは、
第5のビームインデックス情報に対応するビーム上でランダムアクセスプリアンブルを送信するステップと、
第5のビームインデックス情報に対応するビーム上でランダムアクセス応答メッセージを受信するか、またはビームインデックス情報に対応するビーム上でランダムアクセス応答メッセージを受信するステップと
を含む。
【００７３】
第9の態様の第10の可能な実装方式を参照して、第9の態様の第12の可能な実装方式では、ランダムアクセス応答メッセージは第6のビームガイド情報を含み、方法は、
端末により、第6のビームインデックス情報に対応するビーム上でランダムアクセスメッセージを送信するステップであって、ランダムアクセスメッセージが端末の識別子を含む、ステップと、
端末により、第6のビームインデックスに対応するビーム上で競合解消メッセージを受信するか、または端末により、ビームインデックス情報に対応するビーム上で競合解消メッセージを受信するステップであって、競合解消メッセージが端末の識別子を含む、ステップと
をさらに含み、
端末の識別子は、端末のセル無線ネットワーク一時識別子C−RNTIまたはシステムアーキテクチャエボリューション一時移動局識別子S−TMSIである。
【００７４】
第9の態様の第13の可能な実装方式では、方法は、
端末により、ミリメートル波帯域上のセルのサウンディング基準信号構成情報であり、マスタ基地局またはミリメートル波基地局によって送信されたサウンディング基準信号構成情報を受信するステップと、
端末により、サウンディング基準信号構成情報に従って、ビームインデックス情報に対応するビーム上でサウンディング基準信号を送信するステップと
をさらに含む。
【００７５】
第10の態様によれば、ミリメートル波のセルラー通信方法が提供され、方法は、
マスタ基地局により、端末向けに、ミリメートル波帯域に対応するビームインデックス情報を構成するステップであって、ビームインデックス情報は、ビームインデックス情報に対応するビームを使用することにより、ミリメートル波帯域に対応するミリメートル波基地局と通信するように端末に命令するために使用される、ステップ
を含む。
【００７６】
第10の態様の第1の可能な実装方式では、マスタ基地局により、端末向けに、ミリメートル波帯域に対応するビームインデックス情報を構成するステップは、
ビームインデックス情報を含む無線リソース再構成メッセージもしくはブロードキャストメッセージを端末に送信するステップ、または
端末と交渉してビームインデックス情報を決定するステップ
を含む。
【００７７】
第10の態様または第10の態様の第1の可能な実装方式を参照して、第10の態様の第2の可能な実装方式では、方法は、
マスタ基地局により、端末によって送信された測定報告を受信するステップであって、測定報告が、ビームインデックス情報に含まれる第1のビームインデックス情報に対応するビームに従って、端末がRRM測定を実施した後、RRM測定の測定結果に従って端末によって送信された測定報告である、ステップと、
マスタ基地局により、測定報告に従って、端末にデータを送信するためのミリメートル波基地局、および端末にデータを送信するために使用されるビームインデックス情報を決定するステップと
をさらに含む。
【００７８】
第10の態様または第10の態様の第1の可能な実装方式を参照して、第10の態様の第3の可能な実装方式では、方法は、
マスタ基地局により、ミリメートル波帯域上のセルのサウンディング基準信号構成情報を端末に送信するステップであって、サウンディング基準信号構成情報は、ビームインデックス情報に対応するビーム上でサウンディング基準信号を送信するように端末に命令するために使用される、ステップ
をさらに含む。
【００７９】
第10の態様または第10の態様の第1の可能な実装方式を参照して、第10の態様の第4の可能な実装方式では、方法は、
マスタ基地局により、ミリメートル波基地局にアップリンク測定構成情報を送信するステップであって、アップリンク測定構成情報は第2のビームインデックス情報を含み、アップリンク測定構成情報は、第2のビームインデックス情報に対応するビーム上で、端末によって送信されたサウンディング基準信号の電力を測定するようにミリメートル波基地局に命令するために使用される、ステップ
を含む。
【００８０】
第11の態様によれば、ミリメートル波のセルラー通信方法が提供され、方法は、
ミリメートル波基地局により、端末向けに、ミリメートル波帯域に対応するビームインデックス情報を構成するステップであって、ビームインデックス情報は、ビームインデックス情報に対応するビームを使用することにより、ミリメートル波帯域に対応するミリメートル波基地局と通信するように端末に命令するために使用される、ステップ
を含む。
【００８１】
第11の態様の第1の可能な実装方式では、ミリメートル波基地局により、端末向けに、ミリメートル波帯域に対応するビームインデックス情報を構成するステップは、
ビームインデックス情報を含む無線リソース再構成メッセージもしくはブロードキャストメッセージを端末に送信するステップ、または
端末と交渉してビームインデックス情報を決定するステップ
を含む。
【００８２】
第11の態様または第11の態様の第1の可能な実装方式を参照して、第11の態様の第2の可能な実装方式では、方法は、
ミリメートル波基地局により、端末によって送信された測定報告を受信するステップであって、測定報告が、ビームインデックス情報に含まれる第1のビームインデックス情報に対応するビームに従って、端末がRRM測定を実施した後、RRM測定の測定結果に従って端末によって送信された測定報告である、ステップと、
ミリメートル波基地局により、基地局コントローラに測定報告を送信するステップであって、測定報告が、端末にデータを送信するためのミリメートル波基地局、および端末にデータを送信するために使用されるビームインデックス情報を決定するように基地局コントローラに命令するために使用される、ステップと
をさらに含む。
【００８３】
第11の態様または第11の態様の第1の可能な実装方式を参照して、第11の態様の第3の可能な実装方式では、方法は、
ミリメートル波基地局により、ミリメートル波帯域上のセルのサウンディング基準信号構成情報を端末に送信するステップであって、サウンディング基準信号構成情報は、ビームインデックス情報に対応するビーム上でサウンディング基準信号を送信するように端末に命令するために使用される、ステップ
をさらに含む。
【００８４】
第11の態様の第4の可能な実装方式では、方法は、
ミリメートル波基地局により、物理ランダムアクセスチャネルリソースとして使用される第2のビームインデックス情報に対応するビーム上で、端末によって送信されたランダムアクセスプリアンブルを受信するステップと、
ミリメートル波基地局により、第2のビームインデックス情報に対応するビーム上でランダムアクセス応答メッセージを送信するステップと
をさらに含む。
【００８５】
第11の態様の第4の可能な実装方式を参照して、第11の態様の第5の可能な実装方式では、ランダムアクセス応答メッセージは第3のビームガイド情報を含み、方法は、
ミリメートル波基地局により、第3のビームインデックス情報に対応するビーム上でランダムアクセスメッセージを受信するステップであって、ランダムアクセスメッセージが端末の識別子を含む、ステップと、
ミリメートル波基地局により、第3のビームインデックスに対応するビーム上で競合解消メッセージを送信するステップであって、競合解消メッセージが端末の識別子を含む、ステップと
をさらに含み、
端末の識別子は、端末のセル無線ネットワーク一時識別子C−RNTIまたはシステムアーキテクチャエボリューション一時移動局識別子S−TMSIである。
【００８６】
第11の態様の任意の1つ、または第11の態様の第1から第5の可能な実装方式を参照して、第11の態様の第6の可能な実装方式では、方法は、
ミリメートル波基地局により、マスタ基地局または基地局コントローラによって送信されたアップリンク測定構成情報を受信するステップであって、アップリンク測定構成情報が第4のビームインデックス情報を含む、ステップと、
ミリメートル波基地局により、第4のビームインデックス情報に対応するビーム上で、端末によって送信されたサウンディング基準信号の電力を測定するステップと、
ミリメートル波基地局により、サウンディング基準信号の電力であり、測定によって取得された電力を含む測定結果を基地局コントローラに送信するステップであって、サウンディング基準信号の電力が事前設定された電力しきい値よりも大きいとき、測定結果が、端末と通信する準備を行うようにミリメートル波基地局に命令するように基地局コントローラに命令するために使用される、ステップと
をさらに含む。
【００８７】
第12の態様によれば、ミリメートル波のセルラー通信方法が提供され、方法は、
基地局コントローラにより、ミリメートル波基地局にアップリンク測定構成情報を送信するステップであって、アップリンク測定構成情報がビームインデックス情報を含み、アップリンク測定構成情報が、ビームインデックス情報に対応するビーム上で、端末によって送信されたサウンディング基準信号の電力を測定するようにミリメートル波基地局に命令するために使用される、ステップと、
基地局コントローラにより、ミリメートル波基地局によって送信され、サウンディング基準信号の電力であり、測定によって取得された電力を含む測定結果を受信するステップと、
サウンディング基準信号の電力が事前設定された電力しきい値よりも大きいとき、基地局コントローラにより、端末と通信する準備を行うようにミリメートル波基地局に命令するステップと
を含み、
端末は、ミリメートル波帯域に対応するビームインデックス情報を使用することにより、ミリメートル波帯域に対応するミリメートル波基地局と通信する。
【００８８】
第12の態様の第1の可能な実装方式では、方法は、
基地局コントローラにより、ミリメートル波基地局によって送信された測定報告を受信するステップであって、測定報告が、ビームインデックス情報に含まれる第1のビームインデックス情報に対応するビームに従って、端末がRRM測定を実施した後、RRM測定の測定結果に従って端末によって送信された測定報告である、ステップと、
基地局コントローラにより、測定報告に従って、端末にデータを送信するためのミリメートル波基地局、および端末にデータを送信するために使用されるビームインデックス情報を決定するステップと
をさらに含む。
【００８９】
本発明の実施形態において提供される技術的解決策は、以下の有益な効果をもたらす。
【００９０】
端末がセルラー通信を実施するときに利用可能な帯域幅が比較的小さいという従来技術における問題を解決し、端末通信の周波数範囲を拡大し、端末のデータ伝送レートを増大させ、端末とミリメートル波基地局との間のミリメートル波通信の間の信号フェージングおよびひずみを減少させ、同じチャネル上のユーザ間の干渉を減少させるために、少なくとも1つのミリメートル波帯域に対応するビームインデックス情報の少なくとも1部分が取得され、ビームインデックス情報の少なくとも1部分に対応するビームを使用することにより、少なくとも1つのミリメートル波帯域に対応するミリメートル波基地局との通信が実施される。
【００９１】
本発明の実施形態における技術的解決策をより明確に記載するために、以下で、実施形態を記載するために必要な添付図面を簡単に記載する。明らかに、以下の説明における添付図面は本発明のいくつかの実施形態を示すにすぎず、当業者は、創造的な努力なしに、これらの添付図面から他の図面をさらに導出することができる。
【図面の簡単な説明】
【００９２】
【図１】本発明の一実施形態による端末のブロック図である。
【図２】本発明の一実施形態による端末のブロック図である。
【図３】本発明の一実施形態による基地局のブロック図である。
【図４】本発明の一実施形態による基地局のブロック図である。
【図５】本発明の一実施形態による基地局のブロック図である。
【図６】本発明の一実施形態による基地局のブロック図である。
【図７】本発明の一実施形態による基地局コントローラのブロック図である。
【図８】本発明の一実施形態による基地局コントローラのブロック図である。
【図９】本発明の一実施形態によるミリメートル波のセルラー通信方法の方法フローチャートである。
【図１０】本発明の一実施形態によるミリメートル波のセルラー通信方法の方法フローチャートである。
【図１１】本発明の一実施形態によるミリメートル波のセルラー通信方法の方法フローチャートである。
【図１２】本発明の一実施形態によるミリメートル波のセルラー通信方法の方法フローチャートである。
【発明を実施するための形態】
【００９３】
本発明の目的、技術的解決策、および利点をより明確にするために、以下で、添付の図面を参照して、詳細に本発明の実施形態をさらに記載する。
【００９４】
図1を参照すると、図1は、本発明の一実施形態による端末のブロック図を示す。端末100は、バス105と、バスに接続されたプロセッサ101、メモリ102、送信機103、および受信機104とを含む。メモリ102はいくつかの命令を記憶するように構成され、いくつかの命令はプロセッサ101によって実行されるように構成される。
【００９５】
プロセッサ101は、少なくとも1つのミリメートル波帯域に対応するビームインデックス情報の少なくとも1部分を取得するように受信機104を制御することと、
ビームインデックス情報の少なくとも1部分に対応するビームを使用することにより、少なくとも1つのミリメートル波帯域に対応するミリメートル波基地局と通信することと
を行うように構成される。
【００９６】
場合によっては、プロセッサ101は、マスタ基地局もしくはミリメートル波基地局によって送信された無線リソース再構成メッセージもしくはブロードキャストメッセージを受信するように受信機104を制御し、無線リソース再構成メッセージもしくはブロードキャストメッセージに含まれるビームインデックス情報の少なくとも1部分を取得するようにさらに構成されるか、または
プロセッサ101は、マスタ基地局もしくはミリメートル波基地局と交渉して、ビームインデックス情報の少なくとも1部分について合意するように送信機103および受信機104を制御するようにさらに構成される。
【００９７】
マスタ基地局およびミリメートル波基地局は、同じ基地局または異なる基地局であり、様々な帯域内のミリメートル波は、同じミリメートル波基地局または異なるミリメートル波基地局に対応する場合がある。
【００９８】
プロセッサ101は、ビームインデックス情報の少なくとも1部分内の一部もしくはすべてのビームインデックス情報に対応するビームを選択して、ミリメートル波基地局と通信するようにさらに構成されるか、または
プロセッサ101は、ビームインデックス情報の少なくとも1部分内にあり、マスタ基地局もしくはミリメートル波基地局によって指定された第1のビームインデックス情報を決定し、第1のビームインデックス情報に対応するビームに従ってミリメートル波基地局と通信するように送信機および受信機を制御するようにさらに構成される。
【００９９】
ビームインデックス情報の各部分は、1つのプリコーディングコードブックについての情報もしくはアンテナ重みの1つのグループについての情報に対応するか、またはビームインデックスの各々は、複数のプリコーディングコードブックについての情報もしくはアンテナ重みの複数のグループについての情報に対応し、各プリコーディングコードブックまたはアンテナ重みの各グループについての情報は、ビームを一意に決定する。
【０１００】
ビームインデックス情報は、さらに、ビーム特性情報に関連付けられる。マスタ基地局は、ビーム上で様々なビームの決定の特性情報を送信し、その結果、UEは、様々なビーム特性情報に従って様々なビームを識別する。マスタ基地局は、様々なビーム上で様々な基準信号シーケンスを使用するか、またはビーム上で様々なビームのビームインデックス情報をブロードキャストする。UEは、ビームのビームインデックス情報および特性情報に従って決定のビームを一意に決定する場合がある。ビームインデックス情報は、仮想セルアイデンティティとして使用される場合もあり、すなわち、セルは、複数の比較的広いビームに従って様々なセクタまたはサブセクタにさらに分割される。本発明の以下の実施形態におけるビームインデックス情報の機能および使用方法は、この実施形態に記載されたそれらと同じであり、以下では詳細は再び記載されない。
【０１０１】
ビームインデックス情報の各部分は、1つのセクタもしくは1つのセルのカバレージエリアに対応するか、またはビームインデックス情報の各部分は、1つのセクタもしくは1つのセルのカバレージエリアの一部に対応する。ビームインデックス情報は、1レベルのインデックス情報またはNレベルのインデックス情報であり、Nは整数であって、N≧2である。ビームインデックス情報がNレベルのインデックス情報であるとき、ビームインデックス情報内のi番目のレベルのインデックス情報は、（i＋1）番目のレベルのインデックス情報の少なくとも1部分に関連付けられ、（i＋1）番目のレベルのインデックス情報に対応するビームのカバレージエリアは、i番目のレベルのインデックス情報に対応するビームのカバレージエリアよりも大きくなく、iは整数であって、2≦i≦Nである。
【０１０２】
プロセッサ101によって選択または決定されたビームインデックス情報の少なくとも1部分がi番目のレベルのインデックス情報であるとき、送信機103および受信機104は、i番目のレベルのインデックス情報によって表されるビームを使用することにより、ミリメートル波基地局と通信する場合があるか、または（i＋1）番目のレベルのインデックス情報の少なくとも1部分に対応するビームを使用することにより、ミリメートル波基地局と通信する場合がある。
【０１０３】
本発明のこの実施形態では、ミリメートル波帯域はサービス帯域として端末向けに構成され、端末は、端末通信の周波数範囲を拡大し、端末のデータ伝送レートを増大させるために、構成されたミリメートル波帯域上でミリメートル波基地局と通信する。マスタ基地局が端末向けにミリメートル波帯域に対応するセルを構成し、端末がミリメートル波基地局と通信するステップは、以下の通りである。
【０１０４】
（1）ユーザ機器（英語：User Equipment、略してUE）は、ミリメートル波帯域上でダウンリンク無線リソース管理（英語：Radio Resource Management、略してRRM）測定を実施して、ミリメートル波帯域のセル基準信号（英語：cell reference signal、略してCRS）またはチャネル品質インジケータ基準信号（英語：Channel State Indicator Reference Signal、略してCSI−RS）の信号受信電力を測定し、マスタ基地局またはミリメートル波基地局に第1の測定報告を送信する。マスタ基地局は、UEの第1の測定報告に従って、UEがミリメートル波基地局のカバレージエリアに入ったこと、およびミリメートル波周波数に対応する1つまたは複数のセルが、1つまたは複数の2次セル（英語：Secondary Cell、略してSCell）としてUE向けに構成され得ることを判断する。
【０１０５】
本明細書におけるRRM測定は、モビリティ管理に使用される測定を指し、無線リソース制御（英語：Radio Resource Control、略してRRC）レイヤによってフィルタリングされる（filtered）測定方法である。たとえば、LTEシステムにおいて使用されるフィルタ方法は、Fn＝（1−a）・Fn−1＋a・Mnであり、ここで、Fnは最新のフィルタリングされた測定結果であり、測定報告をトリガするための基準を評価するために使用され、Fn−1は前回計算されたフィルタリングされた測定結果であり、Mnは物理レイヤにおける最新の測定結果であり、aは様々な測定要件に従って決定された係数である。
【０１０６】
この前に、マスタ基地局またはミリメートル波基地局は、UE向けに、1つまたは複数のミリメートル波帯域の測定を構成する。構成情報は、少なくとも、ミリメートル波帯域の周波数範囲、CSI−RSポート番号、サブフレーム、およびスクランブリングコードなどの構成情報を含み、その結果、UEは、構成情報に従って測定および報告を実施する。
【０１０７】
代替として、マスタ基地局またはミリメートル波基地局は、UEの第1の測定報告および／またはロングタームエボリューション（英語：Long Term Evolution、略してLTE）帯域などの比較的低い周波数を有する既存帯域内のUE位置情報に従って、UEがミリメートル波基地局のカバレージエリアに入ったと判断する場合がある。比較的低い周波数を有する既存帯域は、主にマスタ基地局またはミリメートル波基地局によって提供され、後者は、ミリメートル波基地局が比較的低い周波数を有する既存帯域とミリメートル波帯域の両方をサポートすることを必要とする。
【０１０８】
（2）マスタ基地局は、ミリメートル波基地局または基地局コントローラに要求メッセージを送信して、UE向けのミリメートル波基地局をSCellとして構成するように要求する。
【０１０９】
マスタ基地局は、少なくとも、UEのセル無線ネットワーク一時識別子（英語：Cell Radio Network Temporary Identifier、略してC−RNTI）、UEの無線ベアラ（英語：Radio Bearer、略してRB）構成情報、マスタ基地局の無線リソース構成情報、1つまたは複数のミリメートル波基地局の識別情報などを要求メッセージに追加する。
【０１１０】
1つまたは複数のミリメートル波基地局は、同じ周波数範囲を有する場合があり、複数のミリメートル波基地局によって提供される周波数は、同じSCellを形成する場合がある。この場合、複数のミリメートル波基地局によって提供される周波数は、同じ物理セル識別子（英語：Physical Cell Identification、略してPCI）および同じ発展型セルグローバル識別情報（英語：Evolved Cell Global Identification、略してECGI）を有する。複数のミリメートル波基地局は、同じ1次同期信号（英語：Primary Synchronization Signal、略してPSS）および同じ2次同期信号（英語：Secondary Synchronization Signal、略してSSS）を送信する。代替として、複数のミリメートル波基地局は、異なるPSSおよび異なるSSSを送信して、異なるミリメートル波基地局を区別する場合がある。複数のミリメートル波基地局によって提供される周波数は、異なるCSI−RSポート構成を有する場合があり、その結果、これに従って異なるミリメートル波基地局を区別することもできる。代替として、複数のミリメートル波基地局によって提供される周波数は、同じCSI−RSポート構成を有する場合があり、ミリメートル波基地局は区別されない。
【０１１１】
1つまたは複数のミリメートル波基地局は、異なる周波数範囲を有する場合があり、複数のミリメートル波基地局によって提供される周波数は、異なるSCellとして個別に使用される。複数のミリメートル波基地局によって提供される周波数は、異なる物理セル識別子および異なる発展型セルグローバル識別情報を有し、複数のミリメートル波基地局は、異なるPSSおよび異なるSSSを送信する。
【０１１２】
（3）ミリメートル波基地局または基地局コントローラは、承認制御を実施し、UE向けに、少なくとも1つのミリメートル波帯域に対応するセルをSCellとして構成することに同意し、マスタ基地局に応答メッセージを送信する。
【０１１３】
応答メッセージは、以下の情報：UEのサウンディング基準信号（英語：Sounding Reference Signal、SRS）構成情報およびUEに割り振られたC−RNTIを搬送する場合がある。一方、SRS構成情報は、マスタ基地局によって一意に構成される場合もあり、その結果、ミリメートル波基地局は、SRS構成情報を提供しない。ミリメートル波基地局は、C−RNTI構成情報も提供しない場合があり、その結果、UEは、PCellとSCellの両方において、PCellによって割り振られたC−RNTIを使用する。
【０１１４】
応答メッセージは、さらに、少なくとも以下の情報：ミリメートル波の周波数範囲、共通無線リソース構成情報、および専用無線リソース構成情報を搬送する。
【０１１５】
ミリメートル波基地局または基地局コントローラは、クラスタ（英語：cluster）内のすべてのミリメートル波基地局に通知メッセージを送信し、その結果、クラスタ内のすべてのミリメートル波基地局は、UEのSRSを測定する準備を行い、すべてのミリメートル波基地局によって実施された測定または基地局コントローラの通知メッセージに従ってリソースを準備して、UEにサービスする。
【０１１６】
（4）マスタ基地局またはミリメートル波基地局は、UEに無線リソース再構成メッセージを送信し、UE向けのSCellを構成する。
【０１１７】
無線リソース再構成メッセージは、少なくともミリメートル波基地局に関係する無線リソース構成情報を搬送し、さらに、マスタ基地局の無線リソース構成情報を搬送する場合がある。
【０１１８】
（5）UEは無線リソース構成を実施し、マスタ基地局に無線リソース再構成完了メッセージを送信する。
【０１１９】
（6）UEは、1つまたは複数のミリメートル波基地局とのアップリンク同期を実装するために、1つまたは複数のミリメートル波基地局とのランダムアクセスプロセスを実施する。
【０１２０】
（7）ミリメートル波基地局または基地局コントローラは、UEのSRSの測定に従って、指定された時間内にUEと通信する1つまたは複数のミリメートル波基地局を決定する。
【０１２１】
場合によっては、ミリメートル波基地局または基地局コントローラは、ミリメートル波基地局の識別情報をマスタ基地局に通知する場合がある。
【０１２２】
（8）1つまたは複数のミリメートル波基地局は、UEにリソースを割り振り、ダウンリンク通信および／またはアップリンク通信を含むデータ通信をUEと実施する。
【０１２３】
（9）ミリメートル波基地局は、UEのSRSを測定して、UEへのサービスを続けるべきかどうかを判定する。
【０１２４】
UEの移動に起因して、1つまたは複数のミリメートル波基地局は、UEとのデータ通信にもはや適さない場合がある。たとえば、UEのSRSの測定された信号強度が指定されたしきい値よりも小さいとき、1つまたは複数のミリメートル波基地局は、1つまたは複数のミリメートル波基地局がUEへのサービスを停止する必要があると判断する。
【０１２５】
（10）ミリメートル波基地局または基地局コントローラは、UEへのサービスを続けるべきかどうかを判定する第1の測定報告および／またはメッセージをマスタ基地局に送信する。
【０１２６】
ミリメートル波基地局または基地局コントローラによって、UEへのサービスを続けるべきと判定されたミリメートル波基地局は、マスタ基地局にメッセージを送信する必要がなく、ステップ10〜13は必要ではない。
【０１２７】
（11）マスタ基地局は、UEにサービスするミリメートル波基地局のセットを更新することを決定する。
【０１２８】
（12）マスタ基地局は、UEにサービスする必要がないミリメートル波基地局の識別情報を、ミリメートル波基地局または基地局コントローラに送信する。
【０１２９】
（13）ミリメートル波基地局または基地局コントローラは、UEのSRSの測定結果に従って、1つまたは複数のミリメートル波基地局がUEにリソースを割り振ってダウンリンク通信および／またはアップリンク通信を実施することを、動的に決定する。
【０１３０】
ミリメートル波帯域信号は、比較的大きい自由空間減衰を有し、空気吸収、ならびに、雨、霧、建物、および他の物体の吸収および散乱などの要因も、ミリメートル波帯域に対する比較的大きい影響を有する。したがって、本発明のこの実施形態では、決定のビームインデックス情報が端末向けに設定され、端末およびミリメートル波基地局がミリメートル波通信を実施するときに空間損失およびマルチパス効果などの要因によって伝送プロセスにおいて引き起こされる無線信号の信号フェージングおよびひずみを減少させ、同じチャネル上のユーザ間の干渉を減少させるために、端末は、決定のビームインデックス情報に対応するビーム上で通信を実施する。
【０１３１】
端末は、少なくとも1つのミリメートル波帯域に対応するビームインデックス情報の少なくとも1部分を使用することにより、ランダムアクセス、RRM測定、サウンディング基準信号SRSの送信などを実施する場合がある。詳細は以下のステップを参照されたい。
【０１３２】
端末は、ビームインデックス情報の少なくとも1部分内の一部またはすべてのビームインデックス情報に対応するビームを選択して、ミリメートル波基地局と通信する。代替として、端末は、ビームインデックス情報の少なくとも1部分内にあり、マスタ基地局またはミリメートル波基地局によって指定された第1のビームインデックス情報を決定し、第1のビームインデックス情報に対応するビームに従ってミリメートル波基地局と通信する場合がある。
【０１３３】
端末自体は、ビームインデックス情報の少なくとも1部分の一部またはすべてに対応するビームを選択して、データの受信および送信を実施する場合がある。代替として、マスタ基地局またはミリメートル波基地局は、ビームインデックス情報の少なくとも1部分内のビームインデックス情報の1つまたは複数の部分を指定し、端末は、マスタ基地局またはミリメートル波基地局によって指定されたビームインデックス情報に従って、データの受信および送信を実施する。
【０１３４】
加えて、端末は、さらに、少なくとも1つのミリメートル波帯域に対応するビームインデックス情報の少なくとも1部分を使用することにより、ランダムアクセス、RRM測定、サウンディング基準信号SRSの送信などを実施する場合がある。詳細は以下の通りである。
【０１３５】
場合によっては、ビームインデックス情報の少なくとも1部分は、無線リソース管理RRM測定に使用される第2のビームインデックス情報を含む。
【０１３６】
プロセッサ101は、
第2のビームインデックス情報に対応するビームに従ってRRM測定を実施して、第1の測定結果を取得するようにさらに構成され、第1の測定結果は、基準信号受信電力RSRPおよび／または基準信号受信品質RSRQを含む。
【０１３７】
ミリメートル波セルでは、UEは、異なるビーム間を迅速に移動する場合がある。したがって、ビーム管理に使用されるRRM測定に対する要件は、既存のLTEシステムにおける要件よりも厳しい場合があり、たとえば、測定報告基準が満たされるかどうかを判定するために、10ミリ秒ごとに評価が実施される。さらに、広い意味では、ミリメートル波セルのビーム管理に使用されるRRM測定は、ビームトレーニング方式で実施される測定を指す場合もある。たとえば、マスタ基地局およびUEは、それぞれ、セル範囲内の複数のビーム上で測定信号を送信および受信して、最も良く一致したビームペアを見つける。ビームを送信し、ビームを受信するそのようなペアの間で通信が実施されると、受信効率は最も高く、送信データは最も信頼性が高い。そのような場合の測定は、RRCレイヤによってフィルタリングされる場合があり、測定要件はより厳しいか、またはそのような場合の測定は、RRCレイヤによってフィルタリングされる必要がなく、現在の測定結果が直接使用される。このようにして、より小さい送信電力を使用することにより、マスタ基地局とUEとの間でより良い伝送効果が実現される場合がある。本発明の以下の実施形態におけるミリメートル波セルのビーム管理用のRRM測定の意味は、この実施形態に記載されたそれらと同じであり、以下では詳細は再び記載されない。
【０１３８】
プロセッサ101は、第1の測定結果に従ってマスタ基地局またはミリメートル波基地局に第1の測定報告を送信するように送信機103を制御するようにさらに構成され、第1の測定報告は、以下の情報：最も高いRSRPおよび／もしくは最も高いRSRQを有するビームインデックス情報の少なくとも1部分、最も高いRSRPおよび／もしくは最も高いRSRQを有するビームインデックス情報の少なくとも1部分に対応するビーム上のRSRP測定結果および／もしくはRSRQ測定結果、最も高いRSRPおよび／もしくは最も高いRSRQを有するビームインデックス情報の少なくとも1部分が位置する周波数情報、最も高いRSRPおよび／もしくは最も高いRSRQを有するビームインデックス情報の少なくとも1部分に関連付けられたサービングセル情報、または最も高いRSRPおよび／もしくは最も高いRSRQを有するビームインデックス情報の少なくとも1部分に関連付けられた隣接セル情報のうちの少なくとも1つを含む。
【０１３９】
サービングセル情報または隣接セル情報は、物理セル識別子PCIおよび／またはセルグローバル識別情報CGIを使用することによって示される。
【０１４０】
RRM測定は、複数の事前構成された固定ビーム方向／幅で実施される。UEは、最も良い信号品質を有する1つまたは複数のビーム上で測定されたRSRP／RSRQを報告し、対応するビームインデックス情報は報告の間に含まれ、その結果、マスタ基地局は、第1の測定報告に従ってスケジューリングを実施する。
【０１４１】
代替として、UEは、複数のビーム上で測定を実施することを適応的に選び、最も良い信号品質を有する1つまたは複数のビーム上でRSRP／RSRQ情報を報告することを選ぶ場合がある。UEによって選択されたビームインデックス情報、たとえば、複数のアンテナ重みについての情報は、報告の間に含まれる。
【０１４２】
場合によっては、ビームインデックス情報の少なくとも1部分は、候補RRM測定に使用される第3のビームインデックス情報をさらに含む。
【０１４３】
プロセッサ101は、第1の測定結果に含まれるRSRPが事前構成されたしきい値よりも小さいとき、および／または第1の測定結果に含まれるRSRQが事前構成されたしきい値よりも小さいとき、第3のビームインデックス情報に対応するビームに従ってRRM測定の実施を開始するように送信機103および受信機104を制御するようにさらに構成される。
【０１４４】
ビームインデックス情報の1部分に対応するビーム上でUEによる測定によって取得されたRSRP／RSRQが事前設定されたしきい値よりも大きい場合、UEは、別のビーム上の信号を測定しない場合があるか、または、同じセルから、データ通信範囲として比較的広いより良いビーム範囲を選択するために、より長い期間を使用することにより、別のビーム上の信号を測定する場合がある。
【０１４５】
代替として、UEは、比較的良い信号品質と比較的良い空間分離の両方を有する複数の比較的広いビーム範囲を選択して、測定を実施する場合がある。測定期間は同じであり得るか、または複数のビームの同時動作をサポートするために異なる場合がある。
【０１４６】
場合によっては、ビームインデックス情報の少なくとも1部分は、周波数内測定に使用される第4のビームインデックス情報をさらに含む。
【０１４７】
プロセッサ101は、
第4のビームインデックス情報に関連付けられた測定ギャップ期間情報を取得するように送信機103および受信機104を制御することと、
測定ギャップ期間情報によって示された測定ギャップ内で、第4のビームインデックス情報に対応するビームに従って少なくとも1つのミリメートル波帯域上で周波数内測定を実施することと
を行うようにさらに構成される。
【０１４８】
UEが、隣接セルの同期チャネル信号（英語：Synchronization Channel、略してSCH）信号、共通基準信号（英語：Common Reference String、略してCRS）、CSI−RSなどを測定するために、別のビームに対応する方向角に調整される必要があるとき、周波数内測定の場合でも、UEがより多くのアンテナおよび無線周波数（英語：Radio Frequency、略してRF）リンクをもたない限り、サービングセルは、複数のビーム方向にUEをスケジュールすることができない。したがって、マスタ基地局または基地局コントローラは、端末向けの測定ギャップ期間情報を事前構成し、測定ギャップ期間情報を周波数内測定に使用されるビームインデックス情報と関連付ける場合がある。周波数内測定は、測定ギャップ期間情報によって示された測定ギャップ内でのみ実施される。
【０１４９】
この実施形態では、第1の測定報告を送信するイベント用に、トリガ条件がさらに設定される場合がある。たとえば、ビームインデックス情報の1部分に対応するビーム上のRSRPが事前設定された値よりも小さいとき、ビームインデックス情報の別の部分に対応するビーム上のRSRPは、事前設定された値よりもまだ高く、第1の測定報告がトリガされる。
【０１５０】
場合によっては、プロセッサ101は、最も高いRSRPおよび／または最も高いRSRQを有するビームインデックス情報の少なくとも1部分に対応するビーム上で、ミリメートル波基地局と通信するようにさらに構成される。
【０１５１】
このステップに示されたRRM測定方法を参照して、ミリメートル波基地局と通信するとき、端末は、最も高いRSRPおよび／または最も高いRSRQを有するビームインデックス情報の少なくとも1部分に対応するビーム上で通信を実施する場合がある。
【０１５２】
場合によっては、プロセッサ101は、
ビームインデックス情報の少なくとも1部分から、物理ランダムアクセスチャネルリソースとして使用される第5のビームインデックス情報を決定し、第5のビームインデックス情報に対応するビームに従ってランダムアクセスを実施するようにさらに構成される。
【０１５３】
プロセッサ101は、ビームインデックス情報の少なくとも1部分からビームインデックス情報の1部分を第5のビームインデックス情報として選択するようにさらに構成されるか、または
プロセッサ101は、ビームインデックス情報の少なくとも1部分内にあり、マスタ基地局もしくはミリメートル波基地局によって指定され、物理ランダムアクセスチャネルリソースとして使用されるビームインデックス情報を、第5のビームインデックス情報として決定するようにさらに構成される。
【０１５４】
場合によっては、プロセッサ101は、
第5のビームインデックス情報に対応するビーム上でランダムアクセスプリアンブルを送信するように送信機103を制御することと、
第5のビームインデックス情報に対応するビーム上でランダムアクセス応答メッセージを受信するか、またはビームインデックス情報の少なくとも1部分に対応するビーム上でランダムアクセス応答メッセージを受信するように受信機104を制御することと
を行うようにさらに構成される。
【０１５５】
ランダムアクセスプロセスは、競合ベースのランダムアクセスであり得るか、または非競合ベースのランダムアクセスであり得る。非競合ベースのランダムアクセスプロセスでは、マスタ基地局または基地局コントローラは、アクセス用のミリメートル波基地局、およびアクセスに使用されるビームインデックス情報、すなわち第5のビームインデックス情報を端末に割り振る。端末は、第5のビームインデックス情報に対応するビーム上でランダムアクセスプリアンブル（preamble、すなわちmsg1）を送信する。第5のビームインデックス情報に対応するビームの方向にあるミリメートル波基地局がmsg1を受信した後、ミリメートル波基地局が、マスタ基地局または基地局コントローラによって端末に割り振られたランダムアクセス用の基地局である場合、ミリメートル波基地局は、第5のビームインデックス情報に対応するビーム上でランダムアクセス応答メッセージ（msg2）を送信する。端末は、第5のビームインデックス情報に対応するビーム上でランダムアクセス応答メッセージを受信する。ランダムアクセス応答メッセージは、少なくとも1つのUEについての情報を含む場合がある。これらのUEは、同じ時間周波数領域リソースを使用することにより、msg1を送信する。UEは、物理ダウンリンク制御チャネル（英語：Physical Downlink Control Channel、略してPDCCH）上のランダムアクセス無線ネットワーク一時識別子（英語：random access−radio network temporary identifier、略してRA−RNTI）などの識別子に従って、msg2がUEについての情報を含むかどうかを判定する。UEがランダムアクセスプリアンブルを送信するときに使用される時間周波数リソースとRA−RNTIが一致するとき、UEは、msg2がUEについての情報を含む場合があると判定する。さらに、UEがmsg1を送信するときに使用されるpreambleとmsg2に含まれるpreambleが一致するかどうかに応じて、UEは、msg2がUEについての情報を含むかどうかを最終的に判定する。端末が第5のビームインデックス情報に対応するビーム上でのみmsg2を受信するとき、RA−RNTIの計算式は、従来のLTEにおける計算方法を使用する場合がある。計算式は以下の通りである。
RA−RNTI＝1＋t＿id＋10＊f＿id、ここで、
t＿idは、UEがmsg1を送信するときに使用される物理ランダムアクセスチャネル（英語：physical random access channel、略してPRACH）が位置するサブフレーム（subframe）を指し、f＿idは、サブフレーム内のPRACHリソースのインデックスを指す。たとえば、時分割複信（英語：time division duplex、略してTDD）モードの場合、複数のPRACHチャネルリソースは、サブフレーム用の様々な周波数範囲内で構成される場合があり、各PRACHチャネルの周波数範囲は、周波数領域のインデックス情報の1部分に対応する。
【０１５６】
代替として、端末は、ビームインデックス情報の少なくとも1部分に対応するビーム上で、ランダムアクセス応答メッセージmsg2を受信する場合がある。この場合、msg2は、様々なビームインデックスに対応するビーム上でmsg1を送信するUEについての情報を含む場合がある。RA−RNTIの計算式は、ビームインデックスに対応し、UEがmsg1メッセージを送信するビームを示すために、ビームインデックス情報を含む場合がある。したがって、UEは、msg2がUEについての情報を含むかどうかをより正確に判定することができる。RA−RNTIの計算式は以下の通りである。
RA−RNTI＝1＋t＿id＋10＊f＿id＋beam＿idx
ここで、beam＿idxは、UEがmsg1を送信するときに使用されるビームインデックス情報を指す。
【０１５７】
ここまでで、非競合ベースのランダムアクセスが完了する。
【０１５８】
さらに、ランダムアクセス応答メッセージは、第6のビームガイド情報を含む。
【０１５９】
場合によっては、プロセッサ101は、
第6のビームインデックス情報に対応するビーム上でランダムアクセスメッセージを送信するように送信機103を制御することであって、ランダムアクセスメッセージが端末の識別子を含む、制御することと、
第6のビームインデックスに対応するビーム上で競合解消メッセージを受信するか、またはビームインデックス情報の少なくとも1部分に対応するビーム上で競合解消メッセージを受信するように受信機104を制御することであって、競合解消メッセージが端末の識別子を含む、制御することと
を行うようにさらに構成される。
【０１６０】
端末の識別子は、端末のセル無線ネットワーク一時識別子C−RNTIまたはシステムアーキテクチャエボリューション一時移動局識別子S−TMSIである。
【０１６１】
競合ベースのランダムアクセスプロセスでは、マスタ基地局または基地局コントローラは、アクセスに使用されるビームインデックス情報、すなわち第5のビームインデックス情報のみを端末に割り振るが、端末向けに、アクセス用のミリメートル波基地局を指定しない。端末は、第5のビームインデックス情報に対応するビーム上でランダムアクセスプリアンブル（msg1）を送信する。msg1を受信した後、第5のビームインデックス情報に対応するビームの方向にあるミリメートル波基地局は、第5のビームインデックス情報に対応するビーム上でランダムアクセス応答メッセージ（msg2）を送信する。端末は、第5のビームインデックス情報に対応するビーム上でmsg2を受信し、UEは、式RA−RNTI＝1＋t＿id＋10＊f＿idを使用して、msg2がUEについての情報を含むかどうかを判定する。代替として、端末は、ビームインデックス情報の少なくとも1部分に対応するビーム上でmsg2を受信する場合があり、UEは、式RA−RNTI＝1＋t＿id＋10＊f＿id＋beam＿idxを使用して、msg2がUEについての情報を含むかどうかを判定する。msg2は第6のビームガイド情報を含み、端末は、第6のビームインデックス情報に従ってランダムアクセスメッセージ（msg3）を送信する。msg3は端末の識別子を含み、端末は、第6のビームインデックス情報に対応するビーム上でmsg3を受信する。端末がアクセスすることを許可された場合、端末の識別子を含むmsg4が同じビーム上で送信される。msg4を受信し、msg4が端末の識別子を含むことを検出した後、端末は、アクセスが成功したことを確認する。後続の実施形態におけるランダムアクセスプロセスの場合、UEにより、msg2がUEについての情報を含むかどうかを判定するための方法は、この実施形態における方法と同じであり、本発明では詳細は記載されない。競合ベースのランダムアクセスプロセスでは、UE自体がランダムアクセスプリアンブルおよびランダムアクセス時間周波数領域リソースを選択する場合があり、マスタ基地局またはミリメートル波基地局は、アクセスに使用されるビームインデックス情報を端末に割り振らない場合がある。これは、第5のビームインデックス情報が任意のビームインデックス情報であり得ることを意味する。UEは、UEによって現在使用されているビームインデックス情報に対応するビーム上でmsg1を送信し、ミリメートル波基地局は、UEにランダムアクセス応答メッセージ（msg2）を送信するために、UEによって使用されているビームインデックス情報を知る必要があり、そうでない場合、ミリメートル波基地局は、ビームインデックス情報の複数の部分に対応するビーム上でmsg2を送信する必要がある。ミリメートル波基地局がビームインデックス情報の複数の部分に対応するビーム上でmsg2を送信しないように防止して、オーバーヘッドおよび遅延を減少させるために、マスタ基地局またはミリメートル波基地局は、様々なビームインデックス情報に従ってミリメートル波セルのランダムアクセスプリアンブルを事前にグループ化し、UE向けのグループ化情報を構成する場合がある。UEは、UEによって現在使用されているビームインデックス情報に対応するランダムアクセスプリアンブルを送信することを選ぶ。ランダムアクセスプリアンブルを受信した後、ミリメートル波基地局は、ランダムアクセスプリアン��ルとビームインデックス情報との間のマッピング関係に従って、UEによって現在使用されているビームインデックス情報を知り、そのビームインデックス情報に対応するビーム上でmsg2を送信する場合がある。代替として、マスタ基地局またはミリメートル波基地局は、様々なビームインデックス情報に従ってミリメートル波セルのランダムアクセス時間周波数領域リソースを事前にグループ化し、UE向けのグループ化情報を構成する場合がある。UEは、UEによって現在使用されているビームインデックス情報に対応するランダムアクセス時間周波数領域リソース上でmsg1を送信する。msg1を受信した後、ミリメートル波基地局は、ランダムアクセス時間周波数領域リソースとビームインデックス情報との間のマッピング関係に従って、UEによって現在使用されているビームインデックス情報を知り、そのビームインデックス情報に対応するビーム上でmsg2を送信する場合がある。後続の実施形態における競合ベースのランダムアクセスプロセスの場合、マスタ基地局またはミリメートル波基地局により、アクセスに使用されるビームインデックス情報を端末に割り振ることを省略するための方法は、この実施形態における方法と同じであり、本発明では詳細は記載されない。
【０１６２】
別のアクセス方法では、UEは、上記のステップ106におけるRRM測定の測定結果に従って、ビーム方向に、ミリメートル波基地局にmsg1を送信する、たとえば、前回報告されたRRM測定結果において最も良い信号を有し、ビームインデックス情報の1部分に対応するビーム上でmsg1を送信することを選ぶ場合がある。ミリメートル波基地局は、全方向受信方式でmsg1内のランダムアクセスプリアンブルを検出する。
【０１６３】
ミリメートル波基地局は、msg1が受信された方向にmsg2を送信し、msg2はその方向にある複数のUEについての情報を含む。その方向にある異なるUEによって生成された送信ビームは異なる場合があり、ミリメートル波基地局は、複数のUEのビームに適応して新しいダウンリンクビームを生成し、その結果、同じ時間周波数領域リソースを使用するすべてのUEは、msg2を受信することができる。加えて、UEは別の方向に移動する場合もあるので、msg2は異なる方向に送信される必要があり、msg2内のコンテンツは異なる。たとえば、含まれるランダムアクセスプリアンブルは、異なるUEに起因して異なる。UEは、msg1が送信された方向においてのみmsg2を受信する。
【０１６４】
加えて、競合ベースのランダムアクセスプロセスでは、UEは、複数のビームを同時に使用してmsg1を送信する場合もある。したがって、マスタ基地局がmsg1を検出する確率を大きくすることができる。
【０１６５】
場合によっては、プロセッサ101は、
少なくとも1つのミリメートル波帯域上の少なくとも1つのセルのサウンディング基準信号構成情報であり、マスタ基地局またはミリメートル波基地局によって送信されたサウンディング基準信号構成情報を受信するように受信機104を制御することと、
サウンディング基準信号構成情報に従って、ビームインデックス情報の少なくとも1部分に対応するビーム上でサウンディング基準信号を送信するように送信機103を制御することと
を行うようにさらに構成される。
【０１６６】
マスタ基地局またはミリメートル波基地局コントローラは、決定のUEのSRSを測定するように決定のミリメートル波基地局に命令する。UEは、事前構成されたビームインデックス情報の複数の部分に対応するビームに従ってSRSを送信する。ミリメートル波基地局は、指定されたUEのSRSを測定して、ミリメートル波基地局がUEにサービスすることに適しているかどうかを判定する。はいの場合、ミリメートル波基地局は、干渉を回避するために、ミリメートル波基地局によってUEに割り振られるべき時間周波数空間領域リソースについての情報を、基地局コントローラまたは別のミリメートル波基地局に通知する。
【０１６７】
マスタ基地局は、ミリメートル波基地局用の第7のビームインデックス情報を指定する場合があり、ミリメートル波基地局は、第7のビームインデックス情報に従って端末のサウンディング基準信号の電力を測定する。代替として、ミリメートル波基地局自体が第7のビームインデックス情報を決定し、第7のビームインデックス情報に従って端末のサウンディング基準信号の電力を測定する場合がある。
【０１６８】
端末によって送信されたサウンディング基準信号の電力を測定した後、ミリメートル波基地局は、基地局コントローラにサウンディング基準信号の測定結果を送信する。ミリメートル波基地局が端末と通信する前に、基地局コントローラは、端末によって送信されたサウンディング基準信号の電力に従って、端末にサービスするべきかどうかを判定する。代替として、ミリメートル波基地局が端末と通信するプロセスにおいて、基地局コントローラは、端末によって送信されたサウンディング基準信号の電力に従って、端末へのサービスを続けるべきかどうかを判定する。たとえば、端末によって送信されたサウンディング基準信号の電力がしきい値よりも小さい場合、それは、端末がミリメートル波基地局と通信することにもはや適していないことを示し、基地局コントローラは、マスタ基地局に検出報告を送信して、端末にサービスするミリメートル波基地局のセットを更新するようにマスタ基地局に要求する場合がある。端末によって送信されたサウンディング基準信号の電力がしきい値よりも小さくない場合、検出報告は送信されない。
【０１６９】
基地局がUEにサービスするミリメートル波基地局のセットを更新すると、追加されたミリメートル波基地局（目標mmB）は、ブロードキャスト制御チャネル（英語：broadcast control channel、略してBCH）、SSH、CRS、CSI−RS、復調基準信号（英語：Demodulation Reference Signal、略してDMRS）、物理ランダムアクセスチャネル、および測定構成に含まれるビーム構成情報などの、追加されたミリメートル波基地局に対応するセルの構成情報を、現在端末にサービスしているmmBに通知する。現在端末にサービスしているミリメートル波基地局はUEに構成情報を送信し、その結果、UEは目標ミリメートル波基地局に迅速にアクセスする。
【０１７０】
結論として、本発明のこの実施形態において提供された端末は、端末がセルラー通信を実施するときに利用可能な帯域幅が比較的小さいという従来技術における問題を解決し、端末通信の周波数範囲を拡大し、端末のデータ伝送レートを増大させるために、少なくとも1つのミリメートル波帯域に対応するビームインデックス情報の少なくとも1部分を取得し、ビームインデックス情報の少なくとも1部分に対応するビームを使用することにより、少なくとも1つのミリメートル波帯域に対応するミリメートル波基地局と通信する。
【０１７１】
加えて、本発明のこの実施形態において提供された端末は、端末とミリメートル波基地局との間のミリメートル波通信の間の信号フェージングおよびひずみを減少させ、同じチャネル上のユーザ間の干渉を減少させるために、指定されたビームインデックス情報に対応するビーム上で、通信、RRM測定、およびランダムアクセスを実施する。
【０１７２】
図2を参照すると、図2は、本発明の一実施形態による端末のブロック図を示す。端末は、
少なくとも1つのミリメートル波帯域に対応するビームインデックス情報の少なくとも1部分を取得するように構成された受信モジュール201と、
ビームインデックス情報の少なくとも1部分に対応するビームを使用することにより、少なくとも1つのミリメートル波帯域に対応するミリメートル波基地局と通信するように構成された通信モジュール202と
を含む場合がある。
【０１７３】
場合によっては、受信モジュール201は、
マスタ基地局またはミリメートル波基地局によって送信された無線リソース再構成メッセージまたはブロードキャストメッセージを受信することと、
無線リソース再構成メッセージまたはブロードキャストメッセージに含まれるビームインデックス情報の少なくとも1部分を取得することと
を行うようにさらに構成される。
【０１７４】
通信モジュール202は、マスタ基地局またはミリメートル波基地局と交渉して、ビームインデックス情報の少なくとも1部分について合意するようにさらに構成される。
【０１７５】
マスタ基地局およびミリメートル波基地局は、同じ基地局または異なる基地局である。
【０１７６】
場合によっては、通信モジュール202は、
ビームインデックス情報の少なくとも1部分内の一部もしくはすべてのビームインデックス情報に対応するビームを選択して、ミリメートル波基地局と通信すること、または
ビームインデックス情報の少なくとも1部分内にあり、マスタ基地局もしくはミリメートル波基地局によって指定された第1のビームインデックス情報を決定し、第1のビームインデックス情報に対応するビームに従ってミリメートル波基地局と通信すること
を行うようにさらに構成される。
【０１７７】
場合によっては、ビームインデックス情報の各部分は、1つのプリコーディングコードブックについての情報もしくはアンテナ重みの1つのグループについての情報に対応するか、またはビームインデックスの各々は、複数のプリコーディングコードブックについての情報もしくはアンテナ重みの複数のグループについての情報に対応し、各プリコーディングコードブックまたはアンテナ重みの各グループについての情報は、ビームを一意に決定する。
【０１７８】
場合によっては、ビームインデックス情報の各部分は、1つのセクタもしくは1つのセルのカバレージエリアに対応するか、またはビームインデックス情報の各部分は、1つのセクタもしくは1つのセルのカバレージエリアの一部に対応する。
【０１７９】
ビームインデックス情報は、1レベルのインデックス情報またはNレベルのインデックス情報であり、Nは整数であって、N≧2である。
【０１８０】
ビームインデックス情報がNレベルのインデックス情報であるとき、ビームインデックス情報内のi番目のレベルのインデックス情報は、（i＋1）番目のレベルのインデックス情報の少なくとも1部分に関連付けられ、（i＋1）番目のレベルのインデックス情報に対応するビームのカバレージエリアは、i番目のレベルのインデックス情報に対応するビームのカバレージエリアよりも大きくなく、iは整数であって、2≦i≦Nである。
【０１８１】
場合によっては、ビームインデックス情報の少なくとも1部分は、無線リソース管理RRM測定に使用される第2のビームインデックス情報を含み、端末は、
第2のビームインデックス情報に対応するビームに従ってRRM測定を実施して、第1の測定結果を取得するように構成された測定モジュール203であって、第1の測定結果が、基準信号受信電力RSRPおよび／または基準信号受信品質RSRQを含む、測定モジュール203と、
第1の測定結果に従ってマスタ基地局に第1の測定報告を送信するように構成された送信モジュール204であって、第1の測定報告が、以下の情報：最も高いRSRPおよび／もしくは最も高いRSRQを有するビームインデックス情報の少なくとも1部分、最も高いRSRPおよび／もしくは最も高いRSRQを有するビームインデックス情報の少なくとも1部分に対応するビーム上のRSRP測定結果および／もしくはRSRQ測定結果、最も高いRSRPおよび／もしくは最も高いRSRQを有するビームインデックス情報の少なくとも1部分が位置する周波数情報、最も高いRSRPおよび／もしくは最も高いRSRQを有するビームインデックス情報の少なくとも1部分に関連付けられたサービングセル情報、または最も高いRSRPおよび／もしくは最も高いRSRQを有するビームインデックス情報の少なくとも1部分に関連付けられた隣接セル情報のうちの少なくとも1つを含む、送信モジュール204と
をさらに含む。
【０１８２】
サービングセル情報または隣接セル情報は、物理セル識別子PCIおよび／またはセルグローバル識別情報CGIを使用することによって示される。
【０１８３】
場合によっては、ビームインデックス情報の少なくとも1部分は、候補RRM測定に使用される第3のビームインデックス情報をさらに含み、測定モジュール203は、
第1の測定結果に含まれるRSRPが事前構成されたしきい値よりも小さいとき、および／または第1の測定結果に含まれるRSRQが事前構成されたしきい値よりも小さいとき、第3のビームインデックス情報に対応するビームに従ってRRM測定の実施を開始するようにさらに構成される。
【０１８４】
場合によっては、ビームインデックス情報の少なくとも1部分は、周波数内測定に使用される第4のビームインデックス情報をさらに含む。
【０１８５】
受信モジュール201は、第4のビームインデックス情報に関連付けられた測定ギャップ期間情報を取得するようにさらに構成される。
【０１８６】
測定モジュール203は、測定ギャップ期間情報によって示された測定ギャップ内で、第4のビームインデックス情報に対応するビームに従って少なくとも1つのミリメートル波帯域上で周波数内測定を実施するようにさらに構成される。
【０１８７】
場合によっては、通信モジュール202は、端末により、最も高いRSRPおよび／または最も高いRSRQを有するビームインデックス情報の少なくとも1部分に対応するビーム上で、ミリメートル波基地局と通信するようにさらに構成される。
【０１８８】
場合によっては、端末は、
ビームインデックス情報の少なくとも1部分から、物理ランダムアクセスチャネルリソースとして使用される第5のビームインデックス情報を決定するように構成された決定モジュール205と、
第5のビームインデックス情報に対応するビームに従ってランダムアクセスを実施するように構成されたアクセスモジュール206と
をさらに含む。
【０１８９】
場合によっては、決定モジュール205は、具体的に、
ビームインデックス情報の少なくとも1部分からビームインデックス情報の1部分を第5のビームインデックス情報として選択すること、または
ビームインデックス情報の少なくとも1部分内にあり、物理ランダムアクセスチャネルリソースとしてマスタ基地局もしくはミリメートル波基地局によって指定されたビームインデックス情報を、第5のビームインデックス情報として決定すること
を行うように構成される。
【０１９０】
場合によっては、送信モジュール204は、第5のビームインデックス情報に対応するビーム上でランダムアクセスプリアンブルを送信するようにさらに構成される。
【０１９１】
受信モジュール201は、
第5のビームインデックス情報に対応するビーム上でランダムアクセス応答メッセージを受信すること、または
ビームインデックス情報の少なくとも1部分に対応するビーム上でランダムアクセス応答メッセージを受信すること
を行うようにさらに構成される。
【０１９２】
場合によっては、ランダムアクセス応答メッセージは、第6のビームガイド情報を含む。
【０１９３】
送信モジュール204は、第6のビームインデックス情報に対応するビーム上でランダムアクセスメッセージを送信するようにさらに構成され、ランダムアクセスメッセージは端末の識別子を含む。
【０１９４】
受信モジュール201は、
第6のビームインデックスに対応するビーム上で競合解消メッセージを受信すること、または
ビームインデックス情報の少なくとも1部分に対応するビーム上で競合解消メッセージを受信することであって、競合解消メッセージが端末の識別子を含む、受信すること
を行うようにさらに構成される。
【０１９５】
端末の識別子は、端末のセル無線ネットワーク一時識別子C−RNTIまたはシステムアーキテクチャエボリューション一時移動局識別子S−TMSIである。
【０１９６】
場合によっては、受信モジュール201は、少なくとも1つのミリメートル波帯域上のセルのサウンディング基準信号構成情報であり、マスタ基地局またはミリメートル波基地局によって送信されたサウンディング基準信号構成情報を受信するようにさらに構成される。
【０１９７】
送信モジュール204は、サウンディング基準信号構成情報に従って、ビームインデックス情報の少なくとも1部分に対応するビーム上でサウンディング基準信号を送信するようにさらに構成される。
【０１９８】
結論として、本発明のこの実施形態において提供された端末は、端末がセルラー通信を実施するときに利用可能な帯域幅が比較的小さいという従来技術における問題を解決し、端末通信の周波数範囲を拡大し、端末のデータ伝送レートを増大させるために、少なくとも1つのミリメートル波帯域に対応するビームインデックス情報の少なくとも1部分を取得し、ビームインデックス情報の少なくとも1部分に対応するビームを使用することにより、少なくとも1つのミリメートル波帯域に対応するミリメートル波基地局と通信する。
【０１９９】
加えて、本発明のこの実施形態において提供された端末は、端末とミリメートル波基地局との間のミリメートル波通信の間の信号フェージングおよびひずみを減少させ、同じチャネル上のユーザ間の干渉を減少させるために、指定されたビームインデックス情報に対応するビーム上で、通信、RRM測定、およびランダムアクセスを実施する。
【０２００】
図3を参照すると、図3は、本発明の一実施形態による基地局のブロック図を示す。基地局は、LTE−A基地局などの、図1に示された実施形態におけるマスタ基地局であり得る。基地局300は、バス305と、バスに接続されたプロセッサ301、メモリ302、送信機303、および受信機304とを含む。メモリ302はいくつかの命令を記憶するように構成され、いくつかの命令はプロセッサ301によって実行されるように構成される。
【０２０１】
プロセッサ301は、端末向けに、少なくとも1つのミリメートル波帯域に対応するビームインデックス情報の少なくとも1部分を構成するように構成され、ビームインデックス情報の少なくとも1部分は、ビームインデックス情報の少なくとも1部分に対応するビームを使用することにより、少なくとも1つのミリメートル波帯域に対応するミリメートル波基地局と通信するように端末に命令するために使用される。
【０２０２】
端末がビームインデックス情報の少なくとも1部分に従って通信、ランダムアクセス、RRM測定、およびSRS信号の送信を実施するステップについては、図1に対応する実施形態における説明に対して参照が行われてもよく、本明細書では詳細は再び記載されない。
【０２０３】
場合によっては、プロセッサ301は、ビームインデックス情報の少なくとも1部分を含む無線リソース再構成メッセージもしくはブロードキャストメッセージを端末に送信するように送信機303を制御するようにさらに構成されるか、または
プロセッサ301は、端末と交渉してビームインデックス情報の少なくとも1部分を決定するようにさらに構成される。
【０２０４】
具体的には、マスタ基地局は、ビームインデックス情報の少なくとも1部分を含む無線リソース再構成メッセージを端末に送信する場合があるか、またはマスタ基地局は、端末と交渉してビームインデックス情報の少なくとも1部分を決定する場合がある。
【０２０５】
場合によっては、プロセッサ301は、
端末によって送信された測定報告を受信するように受信機304を制御することであって、測定報告が、ビームインデックス情報の少なくとも1部分に含まれる第1のビームインデックス情報に対応するビームに従って、端末がRRM測定を実施した後、RRM測定の測定結果に従って端末によって送信された報告である、制御することと、
測定報告に従って、端末にデータを送信するためのミリメートル波基地局、および端末にデータを送信するために使用されるビームインデックス情報を決定することと
を行うようにさらに構成される。
【０２０６】
測定報告は、ビームインデックス情報の少なくとも1部分に含まれる第1のビームインデックス情報に対応するビームに従って、端末がRRM測定を実施した後、RRM測定の測定結果に従って端末によって送信された報告である。
【０２０７】
端末により、第1のビームインデックス情報に対応するビームに従ってRRM測定を実施する決定のプロセスについては、図1に対応する実施形態における説明に対して参照が行われてもよく、本明細書では詳細は再び記載されない。加えて、この実施形態における第1のビームインデックス情報は、図1に示された実施形態における第2のビームインデックス情報と等価である。
【０２０８】
マスタ基地局は、測定報告に従って、端末にデータを送信するためのミリメートル波基地局、および端末にデータを送信するために使用されるビームインデックス情報を決定する場合がある。
【０２０９】
場合によっては、プロセッサ301は、少なくとも1つのミリメートル波帯域上の少なくとも1つのセルのサウンディング基準信号構成情報を端末に送信するように送信機303を制御するようにさらに構成され、サウンディング基準信号構成情報は、ビームインデックス情報の少なくとも1部分に対応するビーム上でサウンディング基準信号を送信するように端末に命令するために使用される。
【０２１０】
プロセッサ301は、ミリメートル波基地局にアップリンク測定構成情報を送信するように送信機303を制御するようにさらに構成され、アップリンク測定構成情報は第2のビームインデックス情報を含み、アップリンク測定構成情報は、第2のビームインデックス情報に対応するビーム上で、端末によって送信されたサウンディング基準信号の電力を測定するようにミリメートル波基地局に命令するために使用される。
【０２１１】
マスタ基地局または基地局コントローラは、決定のミリメートル波基地局が決定の端末のサウンディング基準信号の電力を測定することを指定する場合がある。具体的には、マスタ基地局または基地局コントローラは、ビームインデックス情報の少なくとも1部分に対応するビーム上でSRSを送信するように端末に命令し、決定のビームインデックス情報（第2のビームインデックス情報）に対応するビーム上で端末のサウンディング基準信号を測定するようにミリメートル波基地局に命令する。本発明のこの実施形態における第2のビームインデックス情報、および図1に示された実施形態における第7のビームインデックス情報は、同じ機能を有する。
【０２１２】
加えて、代替として、ミリメートル波基地局自体が第2のビームインデックス情報を決定し、第2のビームインデックス情報に従って端末のサウンディング基準信号の電力を測定する場合がある。
【０２１３】
端末によって送信されたサウンディング基準信号の電力を測定した後、ミリメートル波基地局は、基地局コントローラにサウンディング基準信号の測定結果を送信する。ミリメートル波基地局が端末と通信する前に、基地局コントローラは、端末によって送信されたサウンディング基準信号の電力に従って、端末にサービスするべきかどうかを判定する。代替として、ミリメートル波基地局が端末と通信するプロセスにおいて、基地局コントローラは、端末によって送信されたサウンディング基準信号の電力に従って、端末へのサービスを続けるべきかどうかを判定する。たとえば、端末によって送信されたサウンディング基準信号の電力がしきい値よりも小さい場合、それは、端末がミリメートル波基地局と通信することにもはや適していないことを示し、基地局コントローラは、マスタ基地局に検出報告を送信して、端末にサービスするミリメートル波基地局のセットを更新するようにマスタ基地局に要求する場合がある。端末によって送信されたサウンディング基準信号の電力がしきい値よりも小さくない場合、検出報告は送信されない。
【０２１４】
結論として、本発明のこの実施形態において提供された基地局は、端末向けに、少なくとも1つのミリメートル波帯域に対応するビームインデックス情報の少なくとも1部分を構成し、その結果、端末は、端末がセルラー通信を実施するときに利用可能な帯域幅が比較的小さいという従来技術における問題を解決し、端末通信の周波数範囲を拡大し、端末のデータ伝送レートを増大させ、端末とミリメートル波基地局との間のミリメートル波通信の間の信号フェージングおよびひずみを減少させ、同じチャネル上のユーザ間の干渉を減少させるために、ビームインデックス情報の少なくとも1部分に対応するビームを使用することにより、少なくとも1つのミリメートル波帯域に対応するミリメートル波基地局と通信する。
【０２１５】
図4を参照すると、図4は、本発明の一実施形態による基地局のブロック図を示す。基地局は、LTE−A基地局などの、図1に示された実施形態におけるマスタ基地局であり得る。基地局は、
端末向けに、少なくとも1つのミリメートル波帯域に対応するビームインデックス情報の少なくとも1部分を構成するように構成された構成モジュール401を含む場合があり、ビームインデックス情報の少なくとも1部分は、ビームインデックス情報の少なくとも1部分に対応するビームを使用することにより、少なくとも1つのミリメートル波帯域に対応するミリメートル波基地局と通信するように端末に命令するために使用される。
【０２１６】
場合によっては、基地局は、ビームインデックス情報の少なくとも1部分を含む無線リソース再構成メッセージもしくはブロードキャストメッセージを端末に送信するように構成された送信モジュール402をさらに含むか、または
基地局は、端末と交渉してビームインデックス情報の少なくとも1部分を決定するように構成された交渉モジュール403をさらに含む。
【０２１７】
場合によっては、基地局は、
端末によって送信された測定報告を受信するように構成された受信モジュール404であって、測定報告が、ビームインデックス情報の少なくとも1部分に含まれる第1のビームインデックス情報に対応するビームに従って、端末がRRM測定を実施した後、RRM測定の測定結果に従って端末によって送信された報告である、受信モジュール404と、
測定報告に従って、端末にデータを送信するためのミリメートル波基地局、および端末にデータを送信するために使用されるビームインデックス情報を決定するように構成された決定モジュール405と
をさらに含む。
【０２１８】
場合によっては、
送信モジュール402は、少なくとも1つのミリメートル波帯域上の少なくとも1つのセルのサウンディング基準信号構成情報を端末に送信するようにさらに構成され、サウンディング基準信号構成情報は、ビームインデックス情報の少なくとも1部分に対応するビーム上でサウンディング基準信号を送信するように端末に命令するために使用される。
【０２１９】
場合によっては、
送信モジュール402は、ミリメートル波基地局にアップリンク測定構成情報を送信するようにさらに構成され、アップリンク測定構成情報は第2のビームインデックス情報を含み、アップリンク測定構成情報は、第2のビームインデックス情報に対応するビーム上で、端末によって送信されたサウンディング基準信号の電力を測定するようにミリメートル波基地局に命令するために使用される。
【０２２０】
結論として、本発明のこの実施形態において提供された基地局は、端末向けに、少なくとも1つのミリメートル波帯域に対応するビームインデックス情報の少なくとも1部分を構成し、その結果、端末は、端末がセルラー通信を実施するときに利用可能な帯域幅が比較的小さいという従来技術における問題を解決し、端末通信の周波数範囲を拡大し、端末のデータ伝送レートを増大させ、端末とミリメートル波基地局との間のミリメートル波通信の間の信号フェージングおよびひずみを減少させ、同じチャネル上のユーザ間の干渉を減少させるために、ビームインデックス情報の少なくとも1部分に対応するビームを使用することにより、少なくとも1つのミリメートル波帯域に対応するミリメートル波基地局と通信する。
【０２２１】
図5を参照すると、図5は、本発明の一実施形態による基地局のブロック図を示す。基地局は、図1に示された実施形態におけるミリメートル波基地局（英語：Millimeter wave Base、略してmmB）であり得る。基地局500は、バス505と、バスに接続されたプロセッサ501、メモリ502、送信機503、および受信機504とを含む。メモリ502はいくつかの命令を記憶するように構成され、いくつかの命令はプロセッサ501によって実行されるように構成される。
【０２２２】
プロセッサ501は、端末向けに、少なくとも1つのミリメートル波帯域に対応するビームインデックス情報の少なくとも1部分を構成するように構成され、ビームインデックス情報の少なくとも1部分は、ビームインデックス情報の少なくとも1部分に対応するビームを使用することにより、少なくとも1つのミリメートル波帯域に対応するミリメートル波基地局と通信するように端末に命令するために使用される。
【０２２３】
場合によっては、プロセッサ501は、ビームインデックス情報の少なくとも1部分を含む無線リソース再構成メッセージもしくはブロードキャストメッセージを端末に送信するように送信機503を制御するようにさらに構成されるか、または
プロセッサ501は、端末と交渉してビームインデックス情報の少なくとも1部分を決定するようにさらに構成される。
【０２２４】
場合によっては、プロセッサ501は、
端末によって送信された測定報告を受信するように受信機504を制御することであって、測定報告が、ビームインデックス情報の少なくとも1部分に含まれる第1のビームインデックス情報に対応するビームに従って、端末がRRM測定を実施した後、RRM測定の測定結果に従って端末によって送信された測定報告である、制御することと、
基地局コントローラに測定報告を送信するように送信機503を制御することであって、測定報告が、端末にデータを送信するためのミリメートル波基地局、および端末にデータを送信するために使用されるビームインデックス情報を決定するように基地局コントローラに命令するために使用される、制御することと
を行うようにさらに構成される。
【０２２５】
ビームインデックス情報の少なくとも1部分に含まれる第1のビームインデックス情報に対応するビームに従って、端末がRRM測定を実施した後、RRM測定の測定結果に従って端末が測定報告送信するプロセスは、図1に示された実施形態において示されてもよく、本明細書では詳細は再び記載されないことに留意されたい。本発明のこの実施形態における第1のビームインデックス情報、および図1に示された実施形態における第2のビームインデックス情報は、同じ機能を有する。
【０２２６】
場合によっては、プロセッサ501は、少なくとも1つのミリメートル波帯域上の少なくとも1つのセルのサウンディング基準信号構成情報を端末に送信するように送信機503を制御するようにさらに構成され、サウンディング基準信号構成情報は、ビームインデックス情報の少なくとも1部分に対応するビーム上でサウンディング基準信号を送信するように端末に命令するために使用される。
【０２２７】
場合によっては、プロセッサ501は、
物理ランダムアクセスチャネルリソースとして使用される第2のビームインデックス情報に対応するビーム上で、端末によって送信されたランダムアクセスプリアンブルを受信するように受信機504を制御することと、
第2のビームインデックス情報に対応するビーム上でランダムアクセス応答メッセージを送信するように送信機503を制御することと
を行うようにさらに構成される。
【０２２８】
本発明のこの実施形態における第2のビームインデックス情報、および図1に示された実施形態における第5のビームインデックス情報は、同じ機能を有する。
【０２２９】
場合によっては、ランダムアクセス応答メッセージは、第3のビームガイド情報を含む。
【０２３０】
プロセッサ501は、
第3のビームインデックス情報に対応するビーム上でランダムアクセスメッセージを受信するように受信機504を制御することであって、ランダムアクセスメッセージが端末の識別子を含む、制御することと、
第3のビームインデックスに対応するビーム上で競合解消メッセージを送信するように送信機503を制御することであって、競合解消メッセージが端末の識別子を含む、制御することと
を行うようにさらに構成される。
【０２３１】
端末の識別子は、端末のセル無線ネットワーク一時識別子C−RNTIまたはシステムアーキテクチャエボリューション一時移動局識別子S−TMSIである。
【０２３２】
本発明のこの実施形態における第3のビームインデックス情報、および図1に示された実施形態における第6のビームインデックス情報は、同じ機能を有する。
【０２３３】
端末は、ビームインデックス情報の少なくとも1部分内の第2のビームインデックス情報に従って、ミリメートル波基地局へのランダムアクセスを実施する場合がある。ランダムアクセスは、非競合ベースのランダムアクセスプロセスであり得るか、または競合ベースのランダムアクセスプロセスであり得る。決定のランダムアクセス方法については、図1に対応する実施形態における説明に対して参照が行われてもよく、本明細書では詳細は再び記載されない。
【０２３４】
場合によっては、プロセッサ501は、
マスタ基地局または基地局コントローラによって送信されたアップリンク測定構成情報を受信するように受信機504を制御することであって、アップリンク測定構成情報が第4のビームインデックス情報を含む、制御することと、
第4のビームインデックス情報に対応するビーム上で、端末によって送信されたサウンディング基準信号の電力を測定することと、
サウンディング基準信号の電力であり、測定によって取得された電力を含む測定結果を基地局コントローラに送信するように送信機503を制御することであって、サウンディング基準信号の電力が事前設定された電力しきい値よりも大きいとき、測定結果が、端末と通信する準備を行うようにミリメートル波基地局に命令するように基地局コントローラに命令するために使用される、制御することと
を行うようにさらに構成される。
【０２３５】
マスタ基地局または基地局コントローラは、決定のミリメートル波基地局が決定の端末のサウンディング基準信号の電力を測定することを指定する場合がある。具体的には、マスタ基地局または基地局コントローラは、ビームインデックス情報の少なくとも1部分に対応するビーム上でSRSを送信するように端末に命令し、決定のビームインデックス情報（第4のビームインデックス情報）に対応するビーム上で端末のサウンディング基準信号を測定するようにミリメートル波基地局に命令する。
【０２３６】
本発明のこの実施形態における第4のビームインデックス情報、および図1に示された実施形態における第7のビームインデックス情報は、同じ機能を有する。
【０２３７】
端末によって送信されたサウンディング基準信号の電力を測定した後、ミリメートル波基地局は、基地局コントローラにサウンディング基準信号の測定結果を送信する。ミリメートル波基地局が端末と通信する前に、基地局コントローラは、端末によって送信されたサウンディング基準信号の電力に従って、端末にサービスするべきかどうかを判定する。代替として、ミリメートル波基地局が端末と通信するプロセスにおいて、基地局コントローラは、端末によって送信されたサウンディング基準信号の電力に従って、端末へのサービスを続けるべきかどうかを判定する。たとえば、端末によって送信されたサウンディング基準信号の電力がしきい値よりも小さい場合、それは、端末がミリメートル波基地局と通信することにもはや適していないことを示し、基地局コントローラは、マスタ基地局に検出報告を送信して、端末にサービスするミリメートル波基地局のセットを更新するようにマスタ基地局に要求する場合がある。端末によって送信されたサウンディング基準信号の電力がしきい値よりも小さくない場合、検出報告は送信されない。
【０２３８】
結論として、本発明のこの実施形態において提供された基地局は、端末がセルラー通信を実施するときに利用可能な帯域幅が比較的小さいという従来技術における問題を解決し、端末通信の周波数範囲を拡大し、端末のデータ伝送レートを増大させ、端末とミリメートル波基地局との間のミリメートル波通信の間の信号フェージングおよびひずみを減少させ、同じチャネル上のユーザ間の干渉を減少させるために、少なくとも1つのミリメートル波帯域に対応するビームインデックス情報の少なくとも1部分に対応するビームを使用することにより、端末と通信する。
【０２３９】
図6を参照すると、図6は、本発明の一実施形態による基地局のブロック図を示す。基地局は、図1に示された実施形態におけるミリメートル波基地局であり得る。基地局は、
端末向けに、少なくとも1つのミリメートル波帯域に対応するビームインデックス情報の少なくとも1部分を構成するように構成された構成モジュール601を含む場合があり、ビームインデックス情報の少なくとも1部分は、ビームインデックス情報の少なくとも1部分に対応するビームを使用することにより、少なくとも1つのミリメートル波帯域に対応するミリメートル波基地局と通信するように端末に命令するために使用される。
【０２４０】
場合によっては、基地局は、ビームインデックス情報の少なくとも1部分を含む無線リソース再構成メッセージもしくはブロードキャストメッセージを端末に送信するように構成された送信モジュール602をさらに含むか、または
基地局は、端末と交渉してビームインデックス情報の少なくとも1部分を決定するように構成された交渉モジュール603をさらに含む。
【０２４１】
場合によっては、基地局は、
端末によって送信された測定報告を受信するように構成された受信モジュール604をさらに含み、測定報告は、ビームインデックス情報の少なくとも1部分に含まれる第1のビームインデックス情報に対応するビームに従って、端末がRRM測定を実施した後、RRM測定の測定結果に従って端末によって送信された測定報告である。
【０２４２】
送信モジュール602は、基地局コントローラに測定報告を送信するように構成され、測定報告は、端末にデータを送信するためのミリメートル波基地局、および端末にデータを送信するために使用されるビームインデックス情報を決定するように基地局コントローラに命令するために使用される。
【０２４３】
場合によっては、送信モジュール602は、少なくとも1つのミリメートル波帯域上の少なくとも1つのセルのサウンディング基準信号構成情報を端末に送信するようにさらに構成され、サウンディング基準信号構成情報は、ビームインデックス情報の少なくとも1部分に対応するビーム上でサウンディング基準信号を送信するように端末に命令するために使用される。
【０２４４】
場合によっては、受信モジュール604は、物理ランダムアクセスチャネルリソースとして使用される第2のビームインデックス情報に対応するビーム上で、端末によって送信されたランダムアクセスプリアンブルを受信するようにさらに構成される。
【０２４５】
送信モジュール602は、第2のビームインデックス情報に対応するビーム上でランダムアクセス応答メッセージを送信するようにさらに構成される。
【０２４６】
場合によっては、ランダムアクセス応答メッセージは、第3のビームガイド情報を含む。
【０２４７】
受信モジュール604は、第3のビームインデックス情報に対応するビーム上でランダムアクセスメッセージを受信するようにさらに構成され、ランダムアクセスメッセージは端末の識別子を含む。
【０２４８】
送信モジュール602は、第3のビームインデックスに対応するビーム上で競合解消メッセージを送信するようにさらに構成され、競合解消メッセージは端末の識別子を含む。
【０２４９】
端末の識別子は、端末のセル無線ネットワーク一時識別子C−RNTIまたはシステムアーキテクチャエボリューション一時移動局識別子S−TMSIである。
【０２５０】
場合によっては、受信モジュール604は、マスタ基地局または基地局コントローラによって送信されたアップリンク測定構成情報を受信するようにさらに構成され、アップリンク測定構成情報は第4のビームインデックス情報を含む。
【０２５１】
基地局は、第4のビームインデックス情報に対応するビーム上で、端末によって送信されたサウンディング基準信号の電力を測定するように構成された測定モジュール605をさらに含む。
【０２５２】
送信モジュール602は、サウンディング基準信号の電力であり、測定によって取得された電力を含む測定結果を送信するようにさらに構成され、サウンディング基準信号の電力が事前設定された電力しきい値よりも大きいとき、測定結果は、端末と通信する準備を行うようにミリメートル波基地局に命令するように基地局コントローラに命令するために使用される。
【０２５３】
結論として、本発明のこの実施形態において提供された基地局は、端末がセルラー通信を実施するときに利用可能な帯域幅が比較的小さいという従来技術における問題を解決し、端末通信の周波数範囲を拡大し、端末のデータ伝送レートを増大させ、端末とミリメートル波基地局との間のミリメートル波通信の間の信号フェージングおよびひずみを減少させ、同じチャネル上のユーザ間の干渉を減少させるために、少なくとも1つのミリメートル波帯域に対応するビームインデックス情報の少なくとも1部分に対応するビームを使用することにより、端末と通信する。
【０２５４】
図7を参照すると、図7は、本発明の一実施形態による基地局コントローラのブロック図を示す。基地局コントローラは、少なくとも1つのミリメートル波基地局を制御するために使用される場合がある。基地局コントローラ700は、
バス705と、バスに接続されたプロセッサ701、メモリ702、送信機703、および受信機704と
を含む。メモリ702はいくつかの命令を記憶するように構成され、いくつかの命令はプロセッサ701によって実行されるように構成される。
【０２５５】
プロセッサ701は、
ミリメートル波基地局にアップリンク測定構成情報を送信するように送信機703を制御することであって、アップリンク測定構成情報がビームインデックス情報を含み、アップリンク測定構成情報が、ビームインデックス情報に対応するビーム上で、端末によって送信されたサウンディング基準信号の電力を測定するようにミリメートル波基地局に命令するために使用される、制御することと、
ミリメートル波基地局によって送信され、サウンディング基準信号の電力であり、測定によって取得された電力を含む測定結果を受信するように受信機704を制御することと、
サウンディング基準信号の電力が事前設定された電力しきい値よりも大きいとき、端末と通信する準備を行うようにミリメートル波基地局に命令することと
を行うように構成される。
【０２５６】
端末は、少なくとも1つのミリメートル波帯域に対応するビームインデックス情報の少なくとも1部分を使用することにより、少なくとも1つのミリメートル波帯域に対応するミリメートル波基地局と通信する。
【０２５７】
マスタ基地局または基地局コントローラは、決定のミリメートル波基地局が決定の端末のサウンディング基準信号の電力を測定することを指定する場合がある。具体的には、マスタ基地局または基地局コントローラは、ビームインデックス情報の少なくとも1部分に対応するビーム上でSRSを送信するように端末に命令し、決定のビームインデックス情報に対応するビーム上で端末のサウンディング基準信号を測定するようにミリメートル波基地局に命令する。本発明のこの実施形態におけるビームインデックス情報、および図1に示された実施形態における第7のビームインデックス情報は、同じ機能を有する。
【０２５８】
端末によって送信されたサウンディング基準信号の電力を測定した後、ミリメートル波基地局は、基地局コントローラにサウンディング基準信号の測定結果を送信する。ミリメートル波基地局が端末と通信する前に、基地局コントローラは、端末によって送信されたサウンディング基準信号の電力に従って、端末にサービスするべきかどうかを判定する。代替として、ミリメートル波基地局が端末と通信するプロセスにおいて、基地局コントローラは、端末によって送信されたサウンディング基準信号の電力に従って、端末へのサービスを続けるべきかどうかを判定する。たとえば、端末によって送信されたサウンディング基準信号の電力がしきい値よりも小さい場合、それは、端末がミリメートル波基地局と通信することにもはや適していないことを示し、基地局コントローラは、マスタ基地局に検出報告を送信して、端末にサービスするミリメートル波基地局のセットを更新するようにマスタ基地局に要求する場合がある。端末によって送信されたサウンディング基準信号の電力がしきい値よりも小さくない場合、検出報告は送信されない。
【０２５９】
場合によっては、プロセッサ701は、
ミリメートル波基地局によって送信された測定報告を受信するように受信機704を制御することであって、測定報告が、ビームインデックス情報に含まれる第1のビームインデックス情報に対応するビームに従って、端末がRRM測定を実施した後、RRM測定の測定結果に従って端末によって送信された測定報告である、制御することと、
測定報告に従って、端末にデータを送信するためのミリメートル波基地局、および端末にデータを送信するために使用されるビームインデックス情報を決定することと
を行うようにさらに構成される。
【０２６０】
結論として、本発明のこの実施形態において提供された基地局コントローラは、決定のビームインデックス情報に対応するビーム上で端末のサウンディング基準信号を測定するようにミリメートル波基地局に命令し、その結果、端末は、端末がセルラー通信を実施するときに利用可能な帯域幅が比較的小さいという従来技術における問題を解決し、端末通信の周波数範囲を拡大し、端末のデータ伝送レートを増大させ、端末とミリメートル波基地局との間のミリメートル波通信の間の信号フェージングおよびひずみを減少させ、同じチャネル上のユーザ間の干渉を減少させるために、少なくとも1つのミリメートル波帯域に対応するビームインデックス情報の少なくとも1部分に対応するビーム上で通信を実施する。
【０２６１】
図8を参照すると、図8は、本発明の一実施形態による基地局コントローラのブロック図を示す。基地局コントローラは、図1に示された実施形態における基地局コントローラであり得る。基地局コントローラは、
ミリメートル波基地局にアップリンク測定構成情報を送信するように構成された送信モジュール801であって、アップリンク測定構成情報がビームインデックス情報を含み、アップリンク測定構成情報が、ビームインデックス情報に対応するビーム上で、端末によって送信されたサウンディング基準信号の電力を測定するようにミリメートル波基地局に命令するために使用される、送信モジュール801と、
ミリメートル波基地局によって送信され、サウンディング基準信号の電力であり、測定によって取得された電力を含む測定結果を受信するように構成された受信モジュール802と、
サウンディング基準信号の電力が事前設定された電力しきい値よりも大きいとき、端末と通信する準備を行うようにミリメートル波基地局に命令するように構成された命令モジュール803と
を含む場合がある。
【０２６２】
端末は、少なくとも1つのミリメートル波帯域に対応するビームインデックス情報の少なくとも1部分を使用することにより、少なくとも1つのミリメートル波帯域に対応するミリメートル波基地局と通信する。
【０２６３】
受信モジュール802は、ミリメートル波基地局によって送信された測定報告を受信するようにさらに構成され、測定報告は、ビームインデックス情報に含まれる第1のビームインデックス情報に対応するビームに従って、端末がRRM測定を実施した後、RRM測定の測定結果に従って端末によって送信された測定報告である。
【０２６４】
基地局コントローラは、
測定報告に従って、端末にデータを送信するためのミリメートル波基地局、および端末にデータを送信するために使用されるビームインデックス情報を決定するように構成された決定モジュール804
をさらに含む。
【０２６５】
結論として、本発明のこの実施形態において提供された基地局コントローラは、決定のビームインデックス情報に対応するビーム上で端末のサウンディング基準信号を測定するようにミリメートル波基地局に命令し、その結果、端末は、端末がセルラー通信を実施するときに利用可能な帯域幅が比較的小さいという従来技術における問題を解決し、端末通信の周波数範囲を拡大し、端末のデータ伝送レートを増大させ、端末とミリメートル波基地局との間のミリメートル波通信の間の信号フェージングおよびひずみを減少させ、同じチャネル上のユーザ間の干渉を減少させるために、少なくとも1つのミリメートル波帯域に対応するビームインデックス情報の少なくとも1部分に対応するビーム上で通信を実施する。
【０２６６】
本発明の上記の実施形態に示されたマスタ基地局、ミリメートル波基地局、および基地局コントローラの場合、基地局コントローラは、マスタ基地局およびミリメートル波基地局の外部に別個に配置される場合があるか、または基地局コントローラは、マスタ基地局もしくはミリメートル波基地局の中に配置される場合があることに留意されたい。基地局コントローラを配置する決定の方式は、本発明の実施形態では具体的に限定されない。
【０２６７】
図9を参照すると、図9は、本発明の一実施形態によるミリメートル波のセルラー通信方法の方法フローチャートを示す。ミリメートル波のセルラー通信方法に対応する端末は、図1に示された実施形態における端末であり得る。図1に示された実施形態における端末は、方法の以下のステップを実施することができる。
【０２６８】
902．端末がミリメートル波帯域に対応するビームインデックス情報を取得する。
【０２６９】
904．端末が、ビームインデックス情報に従って、ミリメートル波帯域に対応するミリメートル波基地局と通信する。
【０２７０】
ミリメートル波帯域に対応するビームインデックス情報を取得する前に、端末は、マスタ基地局またはミリメートル波基地局によって送信された無線リソース再構成メッセージまたはブロードキャストメッセージを受信し、無線リソース再構成メッセージまたはブロードキャストメッセージに含まれ、ミリメートル波帯域に対応するビームインデックス情報を取得する場合がある。
【０２７１】
代替として、ミリメートル波帯域に対応するビームインデックス情報を取得する前に、端末は、マスタ基地局またはミリメートル波基地局と交渉して、ビームインデックス情報について合意する場合がある。マスタ基地局およびミリメートル波基地局は、同じ基地局または異なる基地局である。
【０２７２】
ビームインデックス情報の各部分は、1つのプリコーディングコードブックについての情報もしくはアンテナ重みの1つのグループについての情報に対応するか、またはビームインデックスの各々は、複数のプリコーディングコードブックについての情報もしくはアンテナ重みの複数のグループについての情報に対応し、各プリコーディングコードブックまたはアンテナ重みの各グループについての情報は、ビームを一意に決定する。
【０２７３】
ビームインデックス情報は、さらに、ビーム特性情報に関連付けられる。マスタ基地局は、ビーム上で様々なビームの決定の特性情報を送信し、その結果、UEは、様々なビーム特性情報に従って様々なビームを識別する。マスタ基地局は、様々なビーム上で様々な基準信号シーケンスを使用するか、またはビーム上で様々なビームのビームインデックス情報をブロードキャストする。UEは、ビームのビームインデックス情報および特性情報に従って決定のビームを一意に決定する場合がある。ビームインデックス情報は、仮想セルアイデンティティとして使用される場合もあり、すなわち、セルは、複数の比較的広いビームに従って様々なセクタまたはサブセクタにさらに分割される。本発明の以下の実施形態におけるビームインデックス情報の機能および使用方法は、この実施形態に記載されたそれらと同じであり、以下では詳細は再び記載されない。
【０２７４】
加えて、ビームインデックス情報の各部分は、1つのセクタもしくは1つのセルのカバレージエリアに対応するか、またはビームインデックス情報の各部分は、1つのセクタもしくは1つのセルのカバレージエリアの一部に対応する。ビームインデックス情報は、1レベルのインデックス情報またはNレベルのインデックス情報であり、Nは整数であって、N≧2である。ビームインデックス情報がNレベルのインデックス情報であるとき、ビームインデックス情報内のi番目のレベルのインデックス情報は、（i＋1）番目のレベルのインデックス情報に関連付けられ、（i＋1）番目のレベルのインデックス情報に対応するビームのカバレージエリアは、i番目のレベルのインデックス情報に対応するビームのカバレージエリアよりも大きくなく、iは整数であって、2≦i≦Nである。
【０２７５】
UEによって選択または決定されたビームインデックス情報がi番目のレベルのインデックス情報であるとき、UEは、i番目のレベルのインデックス情報によって表されるビームを使用することにより、ミリメートル波基地局と通信する場合があるか、または（i＋1）番目のレベルのインデックス情報に対応するビームを使用することにより、ミリメートル波基地局と通信する場合がある。
【０２７６】
本発明のこの実施形態では、ミリメートル波帯域はサービス帯域として端末向けに構成され、端末は、端末通信の周波数範囲を拡大し、端末のデータ伝送レートを増大させるために、構成されたミリメートル波帯域上でミリメートル波基地局と通信する。マスタ基地局が端末向けにミリメートル波帯域に対応するセルを構成し、端末がミリメートル波基地局と通信するステップは、以下の通りである。
【０２７７】
（1）ユーザ機器は、ミリメートル波帯域上でダウンリンク無線リソース管理測定を実施して、ミリメートル波帯域のセル基準信号またはチャネル品質インジケータ基準信号の信号受信電力を測定し、マスタ基地局またはミリメートル波基地局に第1の測定報告を送信する。マスタ基地局は、UEの第1の測定報告に従って、UEがミリメートル波基地局のカバレージエリアに入ったこと、およびミリメートル波周波数に対応する1つまたは複数のセルが、1つまたは複数の2次セルとしてUE向けに構成され得ることを判断する。
【０２７８】
本明細書におけるRRM測定は、モビリティ管理に使用される測定を指し、無線リソース制御レイヤによってフィルタリングされる測定方法である。たとえば、LTEシステムにおいて使用されるフィルタ方法は、Fn＝（1−a）・Fn−1＋a・Mnであり、ここで、Fnは最新のフィルタリングされた測定結果であり、測定報告をトリガするための基準を評価するために使用され、Fn−1は前回計算されたフィルタリングされた測定結果であり、Mnは物理レイヤにおける最新の測定結果であり、aは様々な測定要件に従って決定された係数である。
【０２７９】
この前に、マスタ基地局またはミリメートル波基地局は、UE向けに、1つまたは複数のミリメートル波帯域の測定を構成する。構成情報は、少なくとも、ミリメートル波帯域の周波数範囲、CSI−RSポート番号、サブフレーム、およびスクランブリングコードなどの構成情報を含み、その結果、UEは、構成情報に従って測定および報告を実施する。
【０２８０】
代替として、マスタ基地局またはミリメートル波基地局は、UEの第1の測定報告および／またはLTE帯域などの比較的低い周波数を有する既存帯域内のUE位置情報に従って、UEがミリメートル波基地局のカバレージエリアに入ったと判断する場合がある。比較的低い周波数を有する既存帯域は、主にマスタ基地局またはミリメートル波基地局によって提供され、後者は、ミリメートル波基地局が比較的低い周波数を有する既存帯域とミリメートル波帯域の両方をサポートすることを必要とする。
【０２８１】
（2）マスタ基地局は、ミリメートル波基地局または基地局コントローラに要求メッセージを送信して、SCellとしてUE向けにミリメートル波基地局を構成するように要求する。
【０２８２】
マスタ基地局は、少なくとも、UEのセル無線ネットワーク一時識別子、UEの無線ベアラ構成情報、マスタ基地局の無線リソース構成情報、1つまたは複数のミリメートル波基地局の識別情報などを要求メッセージに追加する。
【０２８３】
1つまたは複数のミリメートル波基地局は、同じ周波数範囲を有する場合があり、複数のミリメートル波基地局によって提供される周波数は、同じSCellを形成する場合がある。この場合、複数のミリメートル波基地局によって提供される周波数は、同じ物理セル識別子および同じ発展型セルグローバル識別情報を有する。複数のミリメートル波基地局は、同じ1次同期信号および同じ2次同期信号を送信する。代替として、複数のミリメートル波基地局は、異なるPSSおよび異なるSSSを送信して、異なるミリメートル波基地局を区別する場合がある。複数のミリメートル波基地局によって提供される周波数は、異なるCSI−RSポート構成を有する場合があり、その結果、これに従って異なるミリメートル波基地局を区別することもできる。代替として、複数のミリメートル波基地局によって提供される周波数は、同じCSI−RSポート構成を有する場合があり、ミリメートル波基地局は区別されない。
【０２８４】
1つまたは複数のミリメートル波基地局は、異なる周波数範囲を有する場合があり、複数のミリメートル波基地局によって提供される周波数は、異なるSCellとして個別に使用される。複数のミリメートル波基地局によって提供される周波数は、異なる物理セル識別子および異なる発展型セルグローバル識別情報を有し、複数のミリメートル波基地局は、異なるPSSおよび異なるSSSを送信する。
【０２８５】
（3）ミリメートル波基地局または基地局コントローラは、承認制御を実施し、UE向けに、少なくとも1つのミリメートル波帯域に対応するセルをSCellとして構成することに同意し、マスタ基地局に応答メッセージを送信する。
【０２８６】
応答メッセージは、以下の情報：UEのサウンディング基準信号構成情報およびUEに割り振られたC−RNTIを搬送する場合がある。一方、SRS構成情報は、マスタ基地局によって一意に構成される場合もあり、その結果、ミリメートル波基地局は、SRS構成情報を提供しない。ミリメートル波基地局は、C−RNTI構成情報も提供しない場合があり、その結果、UEは、PCellとSCellの両方において、PCellによって割り振られたC−RNTIを使用する。
【０２８７】
応答メッセージは、さらに、少なくとも以下の情報：ミリメートル波の周波数範囲、共通無線リソース構成情報、および専用無線リソース構成情報を搬送する。
【０２８８】
ミリメートル波基地局または基地局コントローラは、クラスタ内のすべてのミリメートル波基地局に通知メッセージを送信し、その結果、クラスタ内のすべてのミリメートル波基地局は、UEのSRSを測定する準備を行い、すべてのミリメートル波基地局によって実施された測定または基地局コントローラの通知メッセージに従ってリソースを準備して、UEにサービスする。
【０２８９】
（4）マスタ基地局またはミリメートル波基地局は、UEに無線リソース再構成メッセージを送信し、UE向けのSCellを構成する。
【０２９０】
無線リソース再構成メッセージは、少なくともミリメートル波基地局に関係する無線リソース構成情報を搬送し、さらに、マスタ基地局の無線リソース構成情報を搬送する場合がある。
【０２９１】
（5）UEは無線リソース構成を実施し、マスタ基地局に無線リソース再構成完了メッセージを送信する。
【０２９２】
（6）UEは、1つまたは複数のミリメートル波基地局とのアップリンク同期を実装するために、1つまたは複数のミリメートル波基地局とのランダムアクセスプロセスを実施する。
【０２９３】
（7）ミリメートル波基地局または基地局コントローラは、UEのSRSの測定に従って、指定された時間内にUEと通信する1つまたは複数のミリメートル波基地局を決定する。
【０２９４】
場合によっては、ミリメートル波基地局または基地局コントローラは、ミリメートル波基地局の識別情報をマスタ基地局に通知する場合がある。
【０２９５】
（8）1つまたは複数のミリメートル波基地局は、UEにリソースを割り振り、ダウンリンク通信および／またはアップリンク通信を含むデータ通信をUEと実施する。
【０２９６】
（9）ミリメートル波基地局は、UEのSRSを測定して、UEへのサービスを続けるべきかどうかを判定する。
【０２９７】
UEの移動に起因して、1つまたは複数のミリメートル波基地局は、UEとのデータ通信にもはや適さない場合がある。たとえば、UEのSRSの測定された信号強度が指定されたしきい値よりも小さいとき、1つまたは複数のミリメートル波基地局は、1つまたは複数のミリメートル波基地局がUEへのサービスを停止する必要があると判断する。
【０２９８】
（10）ミリメートル波基地局または基地局コントローラは、UEへのサービスを続けるべきかどうかを判定する第1の測定報告および／またはメッセージをマスタ基地局に送信する。
【０２９９】
ミリメートル波基地局または基地局コントローラによって、UEへのサービスを続けるべきと判定されたミリメートル波基地局は、マスタ基地局にメッセージを送信する必要がなく、ステップ10〜13は必要ではない。
【０３００】
（11）マスタ基地局は、UEにサービスするミリメートル波基地局のセットを更新することを決定する。
【０３０１】
（12）マスタ基地局は、UEにサービスする必要がないミリメートル波基地局の識別情報を、ミリメートル波基地局または基地局コントローラに送信する。
【０３０２】
（13）ミリメートル波基地局または基地局コントローラは、UEのSRSの測定結果に従って、1つまたは複数のミリメートル波基地局がUEにリソースを割り振ってダウンリンク通信および／またはアップリンク通信を実施することを、動的に決定する。
【０３０３】
ミリメートル波帯域信号は、比較的大きい自由空間減衰を有し、空気吸収、ならびに、雨、霧、建物、および他の物体の吸収および散乱などの要因も、ミリメートル波帯域に対する比較的大きい影響を有する。したがって、本発明のこの実施形態では、決定のビームインデックス情報が端末向けに設定され、端末およびミリメートル波基地局がミリメートル波通信を実施するときに空間損失およびマルチパス効果などの要因によって伝送プロセスにおいて引き起こされる無線信号の信号フェージングおよびひずみを減少させ、同じチャネル上のユーザ間の干渉を減少させるために、端末は、決定のビームインデックス情報に対応するビーム上で通信を実施する。
【０３０４】
端末は、指定されたミリメートル波帯域に対応するビームインデックス情報を使用することにより、ランダムアクセス、RRM測定、サウンディング基準信号SRSの送信などを実施する場合がある。詳細は以下のステップを参照されたい。
【０３０５】
端末は、ビームインデックス情報内の一部もしくはすべてのビームインデックス情報に対応するビームを選択して、ミリメートル波基地局と通信するか、または
端末は、ビームインデックス情報内にあり、マスタ基地局もしくはミリメートル波基地局によって指定された第1のビームインデックス情報を決定し、第1のビームインデックス情報に対応するビームに従ってミリメートル波基地局と通信する場合がある。
【０３０６】
ビームインデックス情報の1つまたは複数の部分が存在する場合がある。端末は、ビームインデックス情報の一部またはすべてに対応するビームを選択して、データの受信および送信を実施する場合がある。代替として、マスタ基地局またはミリメートル波基地局は、ビームインデックス情報内のビームインデックス情報の1つまたは複数の部分を指定し、端末は、マスタ基地局またはミリメートル波基地局によって指定されたビームインデックス情報に従って、データの受信および送信を実施する。
【０３０７】
場合によっては、端末は、ビームインデックス情報に従ってダウンリンク無線リソース管理測定を実施する。
【０３０８】
ビームインデックス情報は、RRM測定に使用される第2のビームインデックス情報を含む場合がある。端末は、第2のビームインデックス情報に対応するビームに従ってRRM測定を実施して、第1の測定結果を取得し、第1の測定結果は、基準信号受信電力RSRPおよび／または基準信号受信品質RSRQを含む。
【０３０９】
ミリメートル波セルでは、UEは、異なるビーム間を迅速に移動する場合がある。したがって、ビーム管理に使用されるRRM測定に対する要件は、既存のLTEシステムにおける要件よりも厳しい場合があり、たとえば、測定報告基準が満たされるかどうかを判定するために、10ミリ秒ごとに評価が実施される。さらに、広い意味では、ミリメートル波セルのビーム管理に使用されるRRM測定は、ビームトレーニング方式で実施される測定を指す場合もある。たとえば、マスタ基地局およびUEは、それぞれ、セル範囲内の複数のビーム上で測定信号を送信および受信して、最も良く一致したビームペアを見つける。ビームを送信し、ビームを受信するそのようなペアの間で通信が実施されると、受信効率は最も高く、送信データは最も信頼性が高い。そのような場合の測定は、RRCレイヤによってフィルタリングされる場合があり、測定要件はより厳しいか、またはそのような場合の測定は、RRCレイヤによってフィルタリングされる必要がなく、現在の測定結果が直接使用される。このようにして、より小さい送信電力を使用することにより、マスタ基地局とUEとの間でより良い伝送効果が実現される場合がある。本発明の以下の実施形態におけるミリメートル波セルのビーム管理用のRRM測定の意味は、この実施形態に記載されたそれらと同じであり、以下では詳細は再び記載されない。
【０３１０】
端末は、第1の測定結果に従ってマスタ基地局に第1の測定報告を送信する。第1の測定報告は、以下の情報：最も高いRSRPおよび／もしくは最も高いRSRQを有するビームインデックス情報の少なくとも1部分、最も高いRSRPおよび／もしくは最も高いRSRQを有するビームインデックス情報の少なくとも1部分に対応するビーム上のRSRP測定結果および／もしくはRSRQ測定結果、最も高いRSRPおよび／もしくは最も高いRSRQを有するビームインデックス情報の少なくとも1部分が位置する周波数情報、最も高いRSRPおよび／もしくは最も高いRSRQを有するビームインデックス情報の少なくとも1部分に関連付けられたサービングセル情報、または最も高いRSRPおよび／もしくは最も高いRSRQを有するビームインデックス情報の少なくとも1部分に関連付けられた隣接セル情報のうちの少なくとも1つを含む。サービングセル情報または隣接セル情報は、物理セル識別子PCIおよび／またはセルグローバル識別情報CGIを使用することによって示される。
【０３１１】
RRM測定は、複数の事前構成された固定ビーム方向／幅で実施される。UEは、最も良い信号品質を有する1つまたは複数のビーム上で測定されたRSRP／RSRQを報告し、対応するビームインデックス情報は報告の間に含まれ、その結果、マスタ基地局は、第1の測定報告に従ってスケジューリングを実施する。
【０３１２】
代替として、UEは、複数のビーム上で測定を実施することを適応的に選び、最も良い信号品質を有する1つまたは複数のビーム上でRSRP／RSRQ情報を報告することを選ぶ場合がある。UEによって選択されたビームインデックス情報、たとえば、複数のアンテナ重みについての情報は、報告の間に含まれる。
【０３１３】
さらに、ビームインデックス情報は、候補RRM測定に使用される第3のビームインデックス情報をさらに含む。第1の測定結果に含まれるRSRPが事前構成されたしきい値よりも小さいとき、および／または第1の測定結果に含まれるRSRQが事前構成されたしきい値よりも小さいとき、端末は、第3のビームインデックス情報に対応するビームに従ってRRM測定の実施を開始する。
【０３１４】
ビームインデックス情報の1部分に対応するビーム上でUEによる測定によって取得されたRSRP／RSRQが事前設定されたしきい値よりも大きい場合、UEは、別のビーム上の信号を測定しない場合があるか、または、同じセルから、データ通信範囲として比較的広いより良いビーム範囲を選択するために、より長い期間を使用することにより、別のビーム上の信号を測定する場合がある。
【０３１５】
代替として、UEは、比較的良い信号品質と比較的良い空間分離の両方を有する複数の比較的広いビーム範囲を選択して、測定を実施する場合がある。測定期間は同じであり得るか、または複数のビームの同時動作をサポートするために異なる場合がある。
【０３１６】
さらに、ビームインデックス情報は、周波数内測定に使用される第4のビームインデックス情報をさらに含む。端末は、第4のビームインデックス情報に関連付けられた測定ギャップ期間情報を取得する。端末は、測定ギャップ期間情報によって示された測定ギャップ内で、第4のビームインデックス情報に対応するビームに従ってミリメートル波帯域上で周波数内測定を実施する。
【０３１７】
UEが、隣接セルのSCH、CRS、CSI−RSなどを測定するために、別のビームに対応する方向角に調整される必要があるとき、周波数内測定の場合でも、UEがより多くのアンテナおよび無線周波数リンクをもたない限り、サービングセルは、複数のビーム方向にUEをスケジュールすることができない。したがって、マスタ基地局または基地局コントローラは、端末向けの測定ギャップ期間情報を事前構成し、測定ギャップ期間情報を周波数内測定に使用されるビームインデックス情報と関連付ける場合がある。周波数内測定は、測定ギャップ期間情報によって示された測定ギャップ内でのみ実施される。
【０３１８】
この実施形態では、第1の測定報告を送信するイベント用に、トリガ条件がさらに設定される場合がある。たとえば、ビームインデックス情報の1部分に対応するビーム上のRSRPが事前設定された値よりも小さいとき、ビームインデックス情報の別の部分に対応するビーム上のRSRPは、事前設定された値よりもまだ高く、第1の測定報告がトリガされる。
【０３１９】
このステップに示されたRRM測定方法を参照して、ミリメートル波基地局と通信するとき、端末は、最も高いRSRPおよび／または最も高いRSRQを有するビームインデックス情報に対応するビーム上で通信を実施する場合がある。
【０３２０】
場合によっては、端末は、ビームインデックス情報に従ってランダムアクセスを実施する。
【０３２１】
端末は、ビームインデックス情報から、物理ランダムアクセスチャネルリソースとして使用される第5のビームインデックス情報を決定し、第5のビームインデックス情報に対応するビームに従ってランダムアクセスを実施する。
【０３２２】
第5のビームインデックス情報を決定するとき、端末は、ビームインデックス情報からビームインデックス情報の1部分を第5のビームインデックス情報として選択する場合があるか、または端末は、ビームインデックス情報内にあり、物理ランダムアクセスチャネルリソースとしてマスタ基地局もしくはミリメートル波基地局によって指定されたビームインデックス情報を、第5のビームインデックス情報として決定する場合がある。
【０３２３】
ランダムアクセスプロセスは、競合ベースのランダムアクセスであり得るか、または非競合ベースのランダムアクセスであり得る。非競合ベースのランダムアクセスプロセスでは、マスタ基地局または基地局コントローラは、アクセス用のミリメートル波基地局、およびアクセスに使用されるビームインデックス情報、すなわち第5のビームインデックス情報を端末に割り振る。端末は、第5のビームインデックス情報に対応するビーム上でランダムアクセスプリアンブル（preamble、すなわちmsg1）を送信する。第5のビームインデックス情報に対応するビームの方向にあるミリメートル波基地局がmsg1を受信した後、ミリメートル波基地局が、マスタ基地局または基地局コントローラによって端末に割り振られたランダムアクセス用の基地局である場合、ミリメートル波基地局は、第5のビームインデックス情報に対応するビーム上でランダムアクセス応答メッセージ（msg2）を送信する。端末は、第5のビームインデックス情報に対応するビーム上でランダムアクセス応答メッセージを受信する。ランダムアクセス応答メッセージは、少なくとも1つのUEについての情報を含む場合がある。これらのUEは、同じ時間周波数領域リソースを使用することにより、msg1を送信する。UEは、物理ダウンリンク制御チャネル上のランダムアクセス無線ネットワーク一時識別子などの識別子に従って、msg2がUE向けについての情報を含むかどうかを判定する。UEがランダムアクセスプリアンブルを送信するときに使用される時間周波数リソースとRA−RNTIが一致するとき、UEは、msg2がUEについての情報を含む場合があると判定する。さらに、UEがmsg1を送信するときに使用されるpreambleとmsg2に含まれるpreambleが一致するかどうかに応じて、UEは、msg2がUEについての情報を含むかどうかを最終的に判定する。端末が第5のビームインデックス情報に対応するビーム上でのみmsg2を受信するとき、RA−RNTIの計算式は、従来のLTEにおける計算方法を使用する場合がある。計算式は以下の通りである。
RA−RNTI＝1＋t＿id＋10＊f＿id、ここで、
t＿idは、UEがmsg1を送信するときに使用される物理ランダムアクセスチャネルが位置するサブフレームを指し、f＿idは、サブフレーム内のPRACHリソースのインデックスを指す。たとえば、時分割複信モードの場合、複数のPRACHチャネルリソースは、サブフレーム用の様々な周波数範囲内で構成される場合があり、各PRACHチャネルの周波数範囲は、周波数領域のインデックス情報の1部分に対応する。
【０３２４】
代替として、端末は、ビームインデックス情報に対応するビーム上で、ランダムアクセス応答メッセージmsg2を受信する場合がある。この場合、msg2は、様々なビームインデックスに対応するビーム上でmsg1を送信するUEについての情報を含む場合がある。RA−RNTIの計算式は、ビームインデックスに対応し、UEがmsg1メッセージを送信するビームを示すために、ビームインデックス情報を含む場合がある。したがって、UEは、msg2がUEについての情報を含むかどうかをより正確に判定することができる。RA−RNTIの計算式は以下の通りである。
RA−RNTI＝1＋t＿id＋10＊f＿id＋beam＿idx
ここで、beam＿idxは、UEがmsg1を送信するときに使用されるビームインデックス情報を指す。
【０３２５】
ここまでで、非競合ベースのランダムアクセスが完了する。
【０３２６】
さらに、ランダムアクセス応答メッセージは、第6のビームガイド情報を含む。端末は、第6のビームインデックス情報に対応するビーム上でランダムアクセスメッセージを送信し、ランダムアクセスメッセージは端末の識別子を含む。端末は、第6のビームインデックスに対応するビーム上で競合解消メッセージを受信するか、または端末は、ビームインデックス情報に対応するビーム上で競合解消メッセージを受信し、競合解消メッセージは端末の識別子を含む。端末の識別子は、端末のセル無線ネットワーク一時識別子C−RNTIまたはシステムアーキテクチャエボリューション一時移動局識別子S−TMSIである。
【０３２７】
競合ベースのランダムアクセスプロセスでは、マスタ基地局または基地局コントローラは、アクセスに使用されるビームインデックス情報、すなわち第5のビームインデックス情報のみを端末に割り振るが、端末向けに、アクセス用のミリメートル波基地局を指定しない。端末は、第5のビームインデックス情報に対応するビーム上でランダムアクセスプリアンブル（msg1）を送信する。msg1を受信した後、第5のビームインデックス情報に対応するビームの方向にあるミリメートル波基地局は、第5のビームインデックス情報に対応するビーム上でランダムアクセス応答メッセージ（msg2）を送信する。端末は、第5のビームインデックス情報に対応するビーム上でmsg2を受信し、UEは、式RA−RNTI＝1＋t＿id＋10＊f＿idを使用して、msg2がUEについての情報を含むかどうかを判定する。代替として、端末は、ビームインデックス情報に対応するビーム上でmsg2を受信する場合があり、UEは、式RA−RNTI＝1＋t＿id＋10＊f＿id＋beam＿idxを使用して、msg2がUEについての情報を含むかどうかを判定する。msg2は第6のビームガイド情報を含み、端末は、第6のビームインデックス情報に従ってランダムアクセスメッセージ（msg3）を送信する。msg3は端末の識別子を含み、端末は、第6のビームインデックス情報に対応するビーム上でmsg3を受信する。端末がアクセスすることを許可された場合、端末の識別子を含むmsg4が同じビーム上で送信される。msg4を受信し、msg4が端末の識別子を含むことを検出した後、端末は、アクセスが成功したことを確認する。後続の実施形態におけるランダムアクセスプロセスの場合、UEにより、msg2がUEについての情報を含むかどうかを判定するための方法は、この実施形態における方法と同じであり、本発明では詳細は記載されない。
【０３２８】
別のアクセス方法では、マスタ基地局または基地局コントローラは、ランダムアクセスプリアンブル用のビームインデックス情報を指定する。UEは、上記のステップ906におけるRRM測定の測定結果に従って、ビーム方向に、ミリメートル波基地局にmsg1を送信する、たとえば、前回報告されたRRM測定結果において最も良い信号を有し、ビームインデックス情報の1部分に対応するビーム上でmsg1を送信することを選ぶ場合がある。ミリメートル波基地局は、全方向受信方式でmsg1内のランダムアクセスプリアンブルを検出する。
【０３２９】
ミリメートル波基地局は、msg1が受信された方向にmsg2を送信し、msg2はその方向にある複数のUEについての情報を含む。その方向にある異なるUEによって生成された送信ビームは異なる場合があり、ミリメートル波基地局は、複数のUEのビームに適応して新しいダウンリンクビームを生成し、その結果、同じ時間周波数領域リソースを使用するすべてのUEは、msg2を受信することができる。加えて、UEは別の方向に移動する場合もあるので、msg2は異なる方向に送信される必要があり、msg2内のコンテンツは異なる。たとえば、含まれるランダムアクセスプリアンブルは、異なるUEに起因して異なる。UEは、msg1が送信された方向においてのみmsg2を受信する。
【０３３０】
加えて、競合ベースのランダムアクセスプロセスでは、UEは、複数のビームを同時に使用してmsg1を送信する場合もある。したがって、マスタ基地局がmsg1を検出する確率を大きくすることができる。
【０３３１】
場合によっては、端末は、ビームインデックス情報に従ってサウンディング基準信号を送信する。
【０３３２】
具体的には、端末は、マスタ基地局によって送信されたサウンディング基準信号構成情報を受信し、端末は、サウンディング基準信号構成情報に従って、ビームインデックス情報に対応するビーム上でサウンディング基準信号を送信する。
【０３３３】
マスタ基地局またはミリメートル波基地局コントローラは、決定のUEのSRSを測定するように決定のミリメートル波基地局に命令する。UEは、事前構成されたビームインデックス情報の複数の部分に対応するビームに従ってSRSを送信する。ミリメートル波基地局は、指定されたUEのSRSを測定して、ミリメートル波基地局がUEにサービスすることに適しているかどうかを判定する。はいの場合、ミリメートル波基地局は、干渉を回避するために、ミリメートル波基地局によってUEに割り振られるべき時間周波数空間領域リソースについての情報を、基地局コントローラまたは別のミリメートル波基地局に通知する。
【０３３４】
端末によって送信されたサウンディング基準信号の電力を測定した後、ミリメートル波基地局は、基地局コントローラにサウンディング基準信号の測定結果を送信する。ミリメートル波基地局が端末と通信する前に、基地局コントローラは、端末によって送信されたサウンディング基準信号の電力に従って、端末にサービスするべきかどうかを判定する。代替として、ミリメートル波基地局が端末と通信するプロセスにおいて、基地局コントローラは、端末によって送信されたサウンディング基準信号の電力に従って、端末へのサービスを続けるべきかどうかを判定する。たとえば、端末によって送信されたサウンディング基準信号の電力がしきい値よりも小さい場合、それは、端末がミリメートル波基地局と通信することにもはや適していないことを示し、基地局コントローラは、マスタ基地局に検出報告を送信して、端末にサービスするミリメートル波基地局のセットを更新するようにマスタ基地局に要求する場合がある。端末によって送信されたサウンディング基準信号の電力がしきい値よりも小さくない場合、検出報告は送信されない。
【０３３５】
基地局がUEにサービスするミリメートル波基地局のセットを更新すると、追加されたミリメートル波基地局（目標mmB）は、ブロードキャスト制御チャネル、SSH、CRS、CSI−RS、復調基準信号、物理ランダムアクセスチャネル、および測定構成に含まれるビーム構成情報などの、追加されたミリメートル波基地局に対応するセルの構成情報を、現在端末にサービスしているmmBに通知する。現在端末にサービスしているミリメートル波基地局は、UEに構成情報を送信し、その結果、UEは目標ミリメートル波基地局に迅速にアクセスする。
【０３３６】
結論として、本発明のこの実施形態において提供された方法によれば、端末がセルラー通信を実施するときに利用可能な帯域幅が比較的小さいという従来技術における問題を解決し、端末通信の周波数範囲を拡大し、端末のデータ伝送レートを増大させるために、端末は、ミリメートル波帯域に対応するビームインデックス情報を取得し、ビームインデックス情報に対応するビームを使用することにより、ミリメートル波帯域に対応するミリメートル波基地局と通信する。
【０３３７】
加えて、本発明のこの実施形態において提供された方法によれば、端末とミリメートル波基地局との間のミリメートル波通信の間の信号フェージングおよびひずみを減少させ、同じチャネル上のユーザ間の干渉を減少させるために、端末は、指定されたビームインデックス情報に対応するビーム上で、通信、RRM測定、およびランダムアクセスを実施する。
【０３３８】
図10を参照すると、図10は、本発明の一実施形態によるミリメートル波のセルラー通信方法の方法フローチャートを示す。ミリメートル波の通信方法に対応するマスタ基地局は、図3に示された実施形態における基地局であり得る。図3に示された実施形態における基地局は、方法の以下のステップを実施することができる。
【０３３９】
ステップ1002：マスタ基地局が、端末向けに、ミリメートル波帯域に対応するビームインデックス情報を構成し、ビームインデックス情報は、ビームインデックス情報に対応するビームを使用することにより、ミリメートル波帯域に対応するミリメートル波基地局と通信するように端末に命令するために使用される。
【０３４０】
具体的には、マスタ基地局は、ビームインデックス情報を含む無線リソース再構成メッセージを端末に送信する場合があるか、またはマスタ基地局は、端末と交渉してビームインデックス情報を決定する場合がある。
【０３４１】
場合によっては、マスタ基地局は、端末によって送信された測定報告を受信する。
【０３４２】
測定報告は、ビームインデックス情報に含まれる第1のビームインデックス情報に対応するビームに従って、端末がRRM測定を実施した後、RRM測定の測定結果に従って端末によって送信された報告である。
【０３４３】
端末により、第1のビームインデックス情報に対応するビームに従ってRRM測定を実施する決定のプロセスについては、図9に対応する実施形態における説明に対して参照が行われてもよく、本明細書では詳細は再び記載されない。本発明のこの実施形態における第1のビームインデックス情報、および図9に対応する実施形態における第2のビームインデックス情報は、同じ機能を有する。
【０３４４】
場合によっては、マスタ基地局は、測定報告に従ってデータスケジューリングを実施する。
【０３４５】
具体的には、マスタ基地局は、測定報告に従って、端末にデータを送信するためのミリメートル波基地局、および端末にデータを送信するために使用されるビームインデックス情報を決定する場合がある。
【０３４６】
場合によっては、マスタ基地局は、ミリメートル波帯域上のセルのサウンディング基準信号構成情報を端末に送信し、ミリメートル波基地局にアップリンク測定構成情報を送信する。
【０３４７】
マスタ基地局は、端末にサウンディング基準信号構成情報を送信し、サウンディング基準信号構成情報は、ビームインデックス情報に対応するビーム上でサウンディング基準信号を送信するように端末に命令するために使用される。
【０３４８】
加えて、マスタ基地局は、さらに、ミリメートル波基地局にアップリンク測定構成情報を送信し、アップリンク測定構成情報は第2のビームインデックス情報を含み、アップリンク測定構成情報は、第2のビームインデックス情報に対応するビーム上で、端末によって送信されたサウンディング基準信号の電力を測定するようにミリメートル波基地局に命令するために使用される。
【０３４９】
マスタ基地局または基地局コントローラは、決定のミリメートル波基地局が決定の端末のサウンディング基準信号の電力を測定することを指定する場合がある。具体的には、マスタ基地局または基地局コントローラは、ビームインデックス情報に対応するビーム上でSRSを送信するように端末に命令し、決定のビームインデックス情報（第2のビームインデックス情報）に対応するビーム上で端末のサウンディング基準信号を測定するようにミリメートル波基地局に命令する。本発明のこの実施形態における第2のビームインデックス情報、および図9に対応する実施形態における第7のビームインデックス情報は、同じ機能を有する。
【０３５０】
端末によって送信されたサウンディング基準信号の電力を測定した後、ミリメートル波基地局は、基地局コントローラにサウンディング基準信号の測定結果を送信する。ミリメートル波基地局が端末と通信する前に、基地局コントローラは、端末によって送信されたサウンディング基準信号の電力に従って、端末にサービスするべきかどうかを判定する。代替として、ミリメートル波基地局が端末と通信するプロセスにおいて、基地局コントローラは、端末によって送信されたサウンディング基準信号の電力に従って、端末へのサービスを続けるべきかどうかを判定する。たとえば、端末によって送信されたサウンディング基準信号の電力がしきい値よりも小さい場合、それは、端末がミリメートル波基地局と通信することにもはや適していないことを示し、基地局コントローラは、マスタ基地局に検出報告を送信して、端末にサービスするミリメートル波基地局のセットを更新するようにマスタ基地局に要求する場合がある。端末によって送信されたサウンディング基準信号の電力がしきい値よりも小さくない場合、検出報告は送信されない。
【０３５１】
結論として、本発明のこの実施形態において提供された方法によれば、マスタ基地局は、端末向けに、ミリメートル波帯域に対応するビームインデックス情報を構成し、その結果、端末がセルラー通信を実施するときに利用可能な帯域幅が比較的小さいという従来技術における問題を解決し、端末通信の周波数範囲を拡大し、端末のデータ伝送レートを増大させ、端末とミリメートル波基地局との間のミリメートル波通信の間の信号フェージングおよびひずみを減少させ、同じチャネル上のユーザ間の干渉を減少させるために、端末は、ビームインデックス情報に対応するビームを使用することにより、ミリメートル波帯域に対応するミリメートル波基地局と通信する。
【０３５２】
図11を参照すると、図11は、本発明の一実施形態によるミリメートル波のセルラー通信方法の方法フローチャートを示す。ミリメートル波の通信方法に対応するミリメートル波基地局は、図5に示された実施形態における基地局であり得る。図5に示された実施形態における基地局は、方法の以下のステップを実施することができる。
【０３５３】
ステップ1102：ミリメートル波基地局が、端末向けに、ミリメートル波帯域に対応するビームインデックス情報を構成し、ビームインデックス情報は、ビームインデックス情報に対応するビームを使用することにより、ミリメートル波帯域に対応するミリメートル波基地局と通信するように端末に命令するために使用される。
【０３５４】
具体的には、ミリメートル波基地局は、ビームインデックス情報を含む無線リソース再構成メッセージもしくはブロードキャストメッセージを端末に送信する場合があるか、または
ミリメートル波基地局は、端末と交渉してビームインデックス情報を決定する場合がある。
【０３５５】
加えて、ミリメートル波基地局は、さらに、端末によって送信された測定報告を受信する場合があり、測定報告は、ビームインデックス情報に含まれる第1のビームインデックス情報に対応するビームに従って、端末がRRM測定を実施した後、RRM測定の測定結果に従って端末によって送信された測定報告である。ミリメートル波基地局は、基地局コントローラに測定報告を送信し、測定報告は、端末にデータを送信するためのミリメートル波基地局、および端末にデータを送信するために使用されるビームインデックス情報を決定するように基地局コントローラに命令するために使用される。
【０３５６】
本発明のこの実施形態における第1のビームインデックス情報、および図9に対応する上記の実施形態における第2のビームインデックス情報は、同じ機能を有する。
【０３５７】
加えて、ミリメートル波基地局は、さらに、ミリメートル波帯域上のセルのサウンディング基準信号構成情報を端末に送信する場合があり、サウンディング基準信号構成情報は、ビームインデックス情報に対応するビーム上でサウンディング基準信号を送信するように端末に命令するために使用される。
【０３５８】
場合によっては、ミリメートル波基地局は、物理ランダムアクセスチャネルリソースとして使用される第2のビームインデックス情報に対応するビーム上で、端末によって送信されたランダムアクセスプリアンブルを受信する。
【０３５９】
場合によっては、ミリメートル波基地局は、第2のビームインデックス情報に対応するビーム上でランダムアクセス応答メッセージを送信する。
【０３６０】
ランダムアクセス応答メッセージは、第3のビームガイド情報を含む。
【０３６１】
場合によっては、ミリメートル波基地局は、第3のビームインデックス情報に対応するビーム上でランダムアクセスメッセージを受信し、ランダムアクセスメッセージは端末の識別子を含む。
【０３６２】
場合によっては、ミリメートル波基地局は、第3のビームインデックスに対応するビーム上で競合解消メッセージを送信し、競合解消メッセージは端末の識別子を含む。
【０３６３】
端末の識別子は、端末のセル無線ネットワーク一時識別子C−RNTIまたはシステムアーキテクチャエボリューション一時移動局識別子S−TMSIである。
【０３６４】
端末は、ビームインデックス情報内の第2のビームインデックス情報に従ってミリメートル波基地局へのランダムアクセスを実施する場合がある。ランダムアクセスは、非競合ベースのランダムアクセスプロセスであり得るか、または競合ベースのランダムアクセスプロセスであり得る。決定のランダムアクセス方法については、図9に対応する実施形態における説明に対して参照が行われてもよく、本明細書では詳細は再び記載されない。本発明のこの実施形態における第2のビームインデックス情報、および図9に対応する上記の実施形態における第5のビームインデックス情報は、同じ機能を有する。本発明のこの実施形態における第3のビームインデックス情報、および図9に対応する上記の実施形態における第6のビームインデックス情報は、同じ機能を有する。
【０３６５】
場合によっては、ミリメートル波基地局は、マスタ基地局または基地局コントローラによって送信されたアップリンク測定構成情報を受信し、アップリンク測定構成情報は第4のビームインデックス情報を含む。
【０３６６】
場合によっては、ミリメートル波基地局は、第4のビームインデックス情報に対応するビーム上で、端末によって送信されたサウンディング基準信号の電力を測定する。
【０３６７】
場合によっては、ミリメートル波基地局は、サウンディング基準信号の電力であり、測定によって取得された電力を含む測定結果を基地局コントローラに送信し、サウンディング基準信号の電力が事前設定された電力しきい値よりも大きいとき、測定結果は、端末と通信する準備を行うようにミリメートル波基地局に命令するように基地局コントローラに命令するために使用される。
【０３６８】
本発明のこの実施形態における第4のビームインデックス情報、および図9に対応する上記の実施形態における第7のビームインデックス情報は、同じ機能を有する。
【０３６９】
マスタ基地局または基地局コントローラは、決定のミリメートル波基地局が決定の端末のサウンディング基準信号の電力を測定することを指定する場合がある。具体的には、マスタ基地局または基地局コントローラは、ビームインデックス情報に対応するビーム上でSRSを送信するように端末に命令し、決定のビームインデックス情報（第4のビームインデックス情報）に対応するビーム上で端末のサウンディング基準信号を測定するようにミリメートル波基地局に命令する。
【０３７０】
端末によって送信されたサウンディング基準信号の電力を測定した後、ミリメートル波基地局は、基地局コントローラにサウンディング基準信号の測定結果を送信する。ミリメートル波基地局が端末と通信する前に、基地局コントローラは、端末によって送信されたサウンディング基準信号の電力に従って、端末にサービスするべきかどうかを判定する。代替として、ミリメートル波基地局が端末と通信するプロセスにおいて、基地局コントローラは、端末によって送信されたサウンディング基準信号の電力に従って、端末へのサービスを続けるべきかどうかを判定する。たとえば、端末によって送信されたサウンディング基準信号の電力がしきい値よりも小さい場合、それは、端末がミリメートル波基地局と通信することにもはや適していないことを示し、基地局コントローラは、マスタ基地局に検出報告を送信して、端末にサービスするミリメートル波基地局のセットを更新するようにマスタ基地局に要求する場合がある。端末によって送信されたサウンディング基準信号の電力がしきい値よりも小さくない場合、検出報告は送信されない。
【０３７１】
結論として、本発明のこの実施形態において提供された方法によれば、ミリメートル波基地局は、端末がセルラー通信を実施するときに利用可能な帯域幅が比較的小さいという従来技術における問題を解決し、端末通信の周波数範囲を拡大し、端末のデータ伝送レートを増大させ、端末とミリメートル波基地局との間のミリメートル波通信の間の信号フェージングおよびひずみを減少させ、同じチャネル上のユーザ間の干渉を減少させるために、ミリメートル波帯域に対応するビームインデックス情報に対応するビームを使用することにより、端末と通信する。
【０３７２】
図12を参照すると、図12は、本発明の一実施形態によるミリメートル波のセルラー通信方法の方法フローチャートを示す。ミリメートル波の通信方法に対応する基地局コントローラは、図7に示された実施形態における基地局コントローラであり得る。図7に示された実施形態における基地局コントローラは、方法の以下のステップを実施することができる。
【０３７３】
ステップ1202：基地局コントローラが、ミリメートル波基地局にアップリンク測定構成情報を送信し、アップリンク測定構成情報はビームインデックス情報を含み、アップリンク測定構成情報は、ビームインデックス情報に対応するビーム上で、端末によって送信されたサウンディング基準信号の電力を測定するようにミリメートル波基地局に命令するために使用される。
【０３７４】
ステップ1204：基地局コントローラが、ミリメートル波基地局によって送信され、サウンディング基準信号の電力であり、測定によって取得された電力を含む測定結果を受信する。
【０３７５】
ステップ1206：サウンディング基準信号の電力が事前設定された電力しきい値よりも大きいとき、基地局コントローラが、端末と通信する準備を行うようにミリメートル波基地局に命令する。
【０３７６】
端末は、ミリメートル波帯域に対応するビームインデックス情報を使用することにより、ミリメートル波帯域に対応するミリメートル波基地局と通信する。
【０３７７】
マスタ基地局または基地局コントローラは、決定のミリメートル波基地局が決定の端末のサウンディング基準信号の電力を測定することを指定する場合がある。具体的には、マスタ基地局または基地局コントローラは、ビームインデックス情報に対応するビーム上でSRSを送信するように端末に命令し、決定のビームインデックス情報に対応するビーム上で端末のサウンディング基準信号を測定するようにミリメートル波基地局に命令する。本発明のこの実施形態におけるビームインデックス情報、および図9に対応する上記の実施形態における第7のビームインデックス情報は、同じ機能を有する。
【０３７８】
端末によって送信されたサウンディング基準信号の電力を測定した後、ミリメートル波基地局は、基地局コントローラにサウンディング基準信号の測定結果を送信する。ミリメートル波基地局が端末と通信する前に、基地局コントローラは、端末によって送信されたサウンディング基準信号の電力に従って、端末にサービスするべきかどうかを判定する。代替として、ミリメートル波基地局が端末と通信するプロセスにおいて、基地局コントローラは、端末によって送信されたサウンディング基準信号の電力に従って、端末へのサービスを続けるべきかどうかを判定する。たとえば、端末によって送信されたサウンディング基準信号の電力がしきい値よりも小さい場合、それは、端末がミリメートル波基地局と通信することにもはや適していないことを示し、基地局コントローラは、マスタ基地局に検出報告を送信して、端末にサービスするミリメートル波基地局のセットを更新するようにマスタ基地局に要求する場合がある。端末によって送信されたサウンディング基準信号の電力がしきい値よりも小さくない場合、検出報告は送信されない。
【０３７９】
加えて、基地局コントローラは、さらに、ミリメートル波基地局によって送信された測定報告を受信する場合があり、測定報告は、ビームインデックス情報に含まれる第1のビームインデックス情報に対応するビームに従って、端末がRRM測定を実施した後、RRM測定の測定結果に従って端末によって送信された測定報告である。
【０３８０】
基地局コントローラは、測定報告に従って、端末にデータを送信するためのミリメートル波基地局、および端末にデータを送信するために使用されるビームインデックス情報を決定する。
【０３８１】
結論として、本発明のこの実施形態において提供されたミリメートル波のセルラー通信方法によれば、基地局コントローラは、決定のビームインデックス情報に対応するビーム上で端末のサウンディング基準信号を測定するようにミリメートル波基地局に命令し、その結果、端末は、端末がセルラー通信を実施するときに利用可能な帯域幅が比較的小さいという従来技術における問題を解決し、端末通信の周波数範囲を拡大し、端末のデータ伝送レートを増大させ、端末とミリメートル波基地局との間のミリメートル波通信の間の信号フェージングおよびひずみを減少させ、同じチャネル上のユーザ間の干渉を減少させるために、ミリメートル波帯域に対応するビームインデックス情報に対応するビーム上で通信を実施する。
【０３８２】
当業者は、実施形態のステップのうちのすべてまたはいくつかが、ハードウェア、または関連するハードウェアに命令するプログラムによって実装される得ることを理解することができる。プログラムは、コンピュータ可読記憶媒体に記憶される場合がある。記憶媒体は、読取り専用メモリ、磁気ディスク、または光ディスクであり得る。
【０３８３】
上記の説明は、本発明の実施形態の例にすぎず、本発明を限定するものではない。本発明の趣旨および原理から逸脱することなく行われる、いかなる修正、等価交換、および改善も、本発明の保護範囲内に入るべきである。
【符号の説明】
【０３８４】
100  端末
101  プロセッサ
102  メモリ
103  送信機
104  受信機
105  バス
201  受信モジュール
202  通信モジュール
203  測定モジュール
204  送信モジュール
205  決定モジュール
206  アクセスモジュール
300  基地局
301  プロセッサ
302  メモリ
303  送信機
304  受信機
305  バス
401  構成モジュール
402  送信モジュール
403  交渉モジュール
404  受信モジュール
405  決定モジュール
500  基地局
501  プロセッサ
502  メモリ
503  送信機
504  受信機
505  バス
601  構成モジュール
602  送信モジュール
603  交渉モジュール
604  受信モジュール
605  測定モジュール
700  基地局コントローラ
701  プロセッサ
702  メモリ
703  送信機
704  受信機
705  バス
801  送信モジュール
802  受信モジュール
803  命令モジュール
804  決定モジュール
【図１】
2019180092.tif 000003
【図２】
2019180092.tif 000004
【図３】
2019180092.tif 000005
【図４】
2019180092.tif 000006
【図５】
2019180092.tif 000007
【図６】
2019180092.tif 000008
【図７】
2019180092.tif 000009
【図８】
2019180092.tif 000010
【図９】
2019180092.tif 000011
【図１０】
2019180092.tif 000012
【図１１】
2019180092.tif 000013
【図１２】
2019180092.tif 000014
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
ビームインデックス情報と、基地局からのビームインデックス情報に対応する、ランダムアクセス時間周波数領域リソースのグループ化を示すグループ化情報と、の両方を受信する手段と、
前記グループ化情報に従って第１のランダムアクセス時間周波数領域リソースを判断する手段と、
前記第１のランダムアクセス時間周波数領域リソースを介して基地局へランダムアクセスプリアンブルを送信する手段と、
前記基地局から前記グループ化情報に従ってビームを介してランダムアクセス応答を受信する手段と、
を備える、装置。
【請求項２】
前記ビームインデックス情報および前記ランダムアクセス時間周波数領域リソースがマッピング関係を有する、請求項１に記載の装置。
【請求項３】
前記ランダムアクセス時間周波数領域リソースが前記ビームインデックス情報に従ってグループに分割される、請求項１または２に記載の装置。
【請求項４】
前記ビームインデックス情報が、
前記基地局のセルのカバレージエリア、もしくは、
前記基地局のセルのカバレージエリアの一部、
のいずれか１つに対応する、請求項１から３のいずれか１項に記載の装置。
【請求項５】
端末に、ビームインデックス情報と、前記ビームインデックス情報に関するランダムアクセス時間周波数領域リソースのグループ化を示すものであるグループ化情報と、を送信する手段と、
前記端末から、前記グループ化情報に従って、第１のランダムアクセス時間周波数領域リソースを介して、ランダムアクセスプリアンブルを受信する手段と、
前記端末へ、前記グループ化情報に従って、ビームを介してランダムアクセス応答を送信する手段と、
を備える装置。
【請求項６】
前記ビームインデックス情報および前記ランダムアクセス時間周波数領域リソースがマッピング関係を有する、請求項５に記載の装置。
【請求項７】
前記ランダムアクセス時間周波数領域リソースが前記ビームインデックス情報に従ってグループに分割される、請求項５または６に記載の装置。
【請求項８】
前記ビームインデックス情報が、
前記基地局のセルのカバレージエリア、もしくは、
前記基地局のセルのカバレージエリアの一部、
のいずれか１つに対応する、請求項５から７のいずれか１項に記載の装置。
【請求項９】
ビームインデックス情報と、基地局からのビームインデックス情報に対応する、ランダムアクセス時間周波数領域リソースのグループ化を示すグループ化情報と、の両方を受信するステップと、
前記グループ化情報に従って第１のランダムアクセス時間周波数領域リソースを判断するステップと、
前記第１のランダムアクセス時間周波数領域リソースを介して基地局へランダムアクセスプリアンブルを送信するステップと、
前記基地局から前記グループ化情報に従ってビームを介してランダムアクセス応答を受信するステップと、
を備える、方法。
【請求項１０】
前記ビームインデックス情報および前記ランダムアクセス時間周波数領域リソースがマッピング関係を有する、請求項９に記載の方法。
【請求項１１】
前記ランダムアクセス時間周波数領域リソースが前記ビームインデックス情報に従ってグループに分割される、請求項９または１０に記載の方法。
【請求項１２】
前記ビームインデックス情報が、
前記基地局のセルのカバレージエリア、もしくは、
前記基地局のセルのカバレージエリアの一部、
のいずれか１つに対応する、請求項９から１１のいずれか１項に記載の方法。
【請求項１３】
端末に、ビームインデックス情報と、前記ビームインデックス情報に関するランダムアクセス時間周波数領域リソースのグループ化を示すものであるグループ化情報と、を送信するステップと、
前記端末から、前記グループ化情報に従って、第１のランダムアクセス時間周波数領域リソースを介して、ランダムアクセスプリアンブルを受信するステップと、
前記端末へ、前記グループ化情報に従って、ビームを介してランダムアクセス応答を送信するステップと、
を備える方法。
【請求項１４】
前記ビームインデックス情報および前記ランダムアクセス時間周波数領域リソースがマッピング関係を有する、請求項１３に記載の方法。
【請求項１５】
前記ランダムアクセス時間周波数領域リソースが前記ビームインデックス情報に従ってグループに分割される、請求項１２または１３に記載の方法。
【請求項１６】
前記ビームインデックス情報が、
前記基地局のセルのカバレージエリア、もしくは、
前記基地局のセルのカバレージエリアの一部、
のいずれか１つに対応する、請求項１３から１５のいずれか１項に記載の方法。
【請求項１７】
装置であって、前記装置がプロセッサと、メモリと、前記メモリに格納され前記プロセッサによって実行されることが可能な命令と、を備え、前記命令が実行されるときに、前記装置が請求項９から１６のいずれか１項に記載の方法を実行することが可能となる、前記装置。
【請求項１８】
命令を備える、コンピュータ読み出し可能な記録媒体であって、前記命令がコンピュータ上で実行されるときに、前記コンピュータが請求項９から１６のいずれか１項に記載の方法を実行することが可能となる、記録媒体。
【請求項１９】
コンピュータプログラムであって、前記コンピュータプログラムがコンピュータ上で実行されるときに、前記コンピュータが請求項９から１６のいずれか１項に記載の方法を実行することが可能となる、コンピュータプログラム。
【外国語明細書】
2019180092000001.pdf